(57)【特許請求の範囲】
【請求項１】
１又は複数のＯＮＵ（Ｏｐｔｉｃａｌ  Ｎｅｔｗｏｒｋ  Ｕｎｉｔ）と信号を送受信するＯＬＴ（Ｏｐｔｉｃａｌ  Ｌｉｎｅ  Ｔｅｒｍｉｎａｌ）として機能する通信装置であって、
スイッチを備え、
ＯＳＵに備わるスイッチ機能、
ＰＯＮのＭＡＣ（Ｍｅｄｉａ  Ａｃｃｅｓｓ  Ｃｏｎｔｒｏｌ）機能、
ＰＯＮ区間での識別するためのＧＥＭ（ＧＰＯＮ  Ｅｎｃａｐｓｕｌａｔｉｏｎ  Ｍｅｔｈｏｄ）−ＩＤ又はＬＬＩＤ（Ｌｏｇｉｃａｌ  Ｌｉｎｋ  ＩＤ）とＰＯＮ区間を終端した後で識別するためのＶＩＤ（ＶＬＡＮ  ＩＤ）とを変換するＣｌａｓｓｉｆｉｅｒ／Ｍｏｄｉｆｉｅｒ機能以外のＰＯＮブリッジ機能、
機器無依存アプリ、機器依存アプリ、ベンダ依存アプリ、制御・管理エージェント、設定・管理アプリ、ＤＢＡ（Ｄｙｎａｍｉｃ  Ｂａｎｄｗｉｄｔｈ  Ａｓｓｉｇｎｍｅｎｔ）アプリ、ＤＷＡ（Ｄｙｎａｍｉｃ  Ｗａｖｅｌｅｎｇｔｈ  Ａｓｓｉｇｎｍｅｎｔ）アプリ、ＤＷＢＡ（Ｄｙｎａｍｉｃ  Ｗａｖｅｌｅｎｇｔｈ  ａｎｄ  Ｂａｎｄｗｉｄｔｈ  Ａｓｓｉｇｎｍｅｎｔ）アプリ、プロテクションアプリ、ＯＮＵ登録認証アプリ、省電力アプリ、ＭＬＤ（Ｍｕｌｔｉｃａｓｔ  Ｌｉｓｔｅｎｅｒ  Ｄｉｓｃｏｖｅｒ）プロキシアプリ、低速監視アプリ、保守運用機能のアプリ、ＰＳ（Ｐｏｗｅｒ  Ｓａｖｅ）アプリ、ＩＦ（Ｉｎｔｅｒｆａｃｅ）変換アプリ又は高速監視アプリの少なくともいずれかを含むソフト化機能、
フレーム化で利用されるＶＬＡＮ（Ｖｉｒｔｕａｌ  Ｌｏｃａｌ  Ａｒｅａ  Ｎｅｔｗｏｒｋ）制御、シェーパの前段の優先制御、ＭｕＸ（Ｍｕｌｔｉｐｌｅｘ）／Ｄｍｕｘ（Ｄｅｍｕｌｔｉｐｌｅｘ）、Ｑｕｅｕｅ、又はフレーム化の前段のシェーパの少なくともいずれかを含むＬ２主信号処理機能、
シェーパの前段のコピー機能及び当該コピー機能で利用されるＭＬＤプロキシを含むマルチキャスト機能のうちのＰＯＮに配備されていたＰＯＮ主信号処理機能及びＰＯＮアクセス制御機能、
ＧＥＭフレームを生成又はＬＬＩＤを付与するアダプタ、
の少なくともいずれかが前記スイッチに備わる、通信装置。
【請求項２】
１又は複数のＯＮＵ（Ｏｐｔｉｃａｌ  Ｎｅｔｗｏｒｋ  Ｕｎｉｔ）と信号を送受信するＯＬＴ（Ｏｐｔｉｃａｌ  Ｌｉｎｅ  Ｔｅｒｍｉｎａｌ）として機能する通信装置であって、
スイッチを備え、
当該スイッチを経由して、制御情報を保持するＰＬＯＡＭ（Ｐｈｙｓｉｃａｌ  Ｌａｙｅｒ  ＯＡＭ）、Ｅｍｂｅｄｄｅｄ  ＯＡＭ、ＯＭＣＩのいずれかをフレーム化して処理する、
通信装置。
【請求項３】
１又は複数のＯＮＵと信号を送受信するＯＬＴとして機能する通信装置が実行する通信方法であって、
前記通信装置に備わるスイッチが、
ＯＳＵに備わるスイッチ機能、
ＰＯＮのＭＡＣ（Ｍｅｄｉａ  Ａｃｃｅｓｓ  Ｃｏｎｔｒｏｌ）機能、
ＰＯＮ区間での識別するためのＧＥＭ（ＧＰＯＮ  Ｅｎｃａｐｓｕｌａｔｉｏｎ  Ｍｅｔｈｏｄ）−ＩＤ又はＬＬＩＤ（Ｌｏｇｉｃａｌ  Ｌｉｎｋ  ＩＤ）とＰＯＮ区間を終端した後で識別するためのＶＩＤ（ＶＬＡＮ  ＩＤ）とを変換するＣｌａｓｓｉｆｉｅｒ／Ｍｏｄｉｆｉｅｒ機能以外のＰＯＮブリッジ機能、
機器無依存アプリ、機器依存アプリ、ベンダ依存アプリ、制御・管理エージェント、設定・管理アプリ、ＤＢＡ（Ｄｙｎａｍｉｃ  Ｂａｎｄｗｉｄｔｈ  Ａｓｓｉｇｎｍｅｎｔ）アプリ、ＤＷＡ（Ｄｙｎａｍｉｃ  Ｗａｖｅｌｅｎｇｔｈ  Ａｓｓｉｇｎｍｅｎｔ）アプリ、ＤＷＢＡ（Ｄｙｎａｍｉｃ  Ｗａｖｅｌｅｎｇｔｈ  ａｎｄ  Ｂａｎｄｗｉｄｔｈ  Ａｓｓｉｇｎｍｅｎｔ）アプリ、プロテクションアプリ、ＯＮＵ登録認証アプリ、省電力アプリ、ＭＬＤ（Ｍｕｌｔｉｃａｓｔ  Ｌｉｓｔｅｎｅｒ  Ｄｉｓｃｏｖｅｒ）プロキシアプリ、低速監視アプリ、保守運用機能のアプリ、ＰＳ（Ｐｏｗｅｒ  Ｓａｖｅ）アプリ、ＩＦ（Ｉｎｔｅｒｆａｃｅ）変換アプリ又は高速監視アプリの少なくともいずれかを含むソフト化機能、
フレーム化で利用されるＶＬＡＮ（Ｖｉｒｔｕａｌ  Ｌｏｃａｌ  Ａｒｅａ  Ｎｅｔｗｏｒｋ）制御、シェーパの前段の優先制御、ＭｕＸ（Ｍｕｌｔｉｐｌｅｘ）／Ｄｍｕｘ（Ｄｅｍｕｌｔｉｐｌｅｘ）、Ｑｕｅｕｅ、又はフレーム化の前段のシェーパの少なくともいずれかを含むＬ２主信号処理機能、
シェーパの前段のコピー機能及び当該コピー機能で利用されるＭＬＤプロキシを含むマルチキャスト機能のうちのＰＯＮに配備されていたＰＯＮ主信号処理機能及びＰＯＮアクセス制御機能、
ＧＥＭフレームを生成又はＬＬＩＤを付与するアダプタ、
の少なくともいずれかの機能を実行する、通信方法。
【請求項４】
１又は複数のＯＮＵと信号を送受信するＯＬＴとして機能する通信装置が実行する通信方法であって、
前記通信装置は、スイッチを備え、
当該スイッチを経由して、制御情報を保持するＰＬＯＡＭ（Ｐｈｙｓｉｃａｌ  Ｌａｙｅｒ  ＯＡＭ）、Ｅｍｂｅｄｄｅｄ  ＯＡＭ、ＯＭＣＩのいずれかをフレーム化して処理する、通信方法。
【請求項５】
コンピュータを、請求項１又は２に記載の通信装置に備わるスイッチとして機能させるためのプログラム。
【発明の詳細な説明】
【技術分野】
【０００１】
本発明は、通信装置、通信方法及び通信プログラムに関する。
【背景技術】
【０００２】
ＰＯＮ（Ｐａｓｓｉｖｅ  Ｏｐｔｉｃａｌ  Ｎｅｔｗｏｒｋ）システム［例えば、非特許文献２、３参照］は、お客様宅内に設置するＯＮＵ（Ｏｐｔｉｃａｌ  Ｎｅｔｗｏｒｋ  Ｕｎｉｔ）と、局舎に設置するＯＬＴ（Ｏｐｔｉｃａｌ  Ｌｉｎｅ  Ｔｅｒｍｉｎａｌ）と、複数ＯＮＵとＯＬＴを接続する光ファイバ網とから構成される。
【先行技術文献】
【非特許文献】
【０００３】
【非特許文献１】ｈｔｔｐ：／／ｌａｇｏｐｕｓ．ｇｉｔｈｕｂ．ｉｏ／
【非特許文献２】ＩＥＥＥ  Ｓｔｄ．８０２．３ａｖ−２００９，“Ｐｈｙｓｉｃａｌ  Ｌａｙｅｒ  Ｓｐｅｃｉｆｉｃａｔｉｏｎｓ  ａｎｄ  Ｍａｎａｇｅｍｅｎｔ  Ｐａｒａｍｅｔｅｒｓ  ｆｏｒ  １０  Ｇｂ／ｓ  Ｐａｓｓｉｖｅ  Ｏｐｔｉｃａｌ  Ｎｅｔｗｏｒｋｓ，”  Ｏｃｔ．  ２００９．
【非特許文献３】ＩＴＵ−Ｔ  Ｇ．９８９．３
【発明の概要】
【発明が解決しようとする課題】
【０００４】
ＯＬＴはスイッチに比べ生産台数が少ない。このため、スイッチと異なり汎用化、非特許文献１のようなソフトウェア化の検討が活発ではない。これらの検討は、ベンダロックインを回避して、安価な機器調達と、安価且つ柔軟且つ迅速な機能追加を期待してのものである。
【０００５】
本発明は、ＯＬＴについて、安価な機器調達と、安価且つ柔軟且つ迅速な機能追加を可能にすることを目的とする。
【課題を解決するための手段】
【０００６】
ＯＬＴ自体を汎用化又はソフトウェア化する代わりに、ＯＬＴの機能を通常のスイッチとそれ以外に分離配備し、それ以外の部分を少なくし、通常のスイッチを流用可能にする。例えば、ＯＳＵに備わるスイッチ機能をスイッチに移し、汎用化またはソフト化されたスイッチをそのまま活用して、ＰＯＮ、特にＭＡＣ機能をスイッチに移して汎用スイッチを活用して、ＯＬＴに備わる回路規模や複雑さを簡易化することで、ＰＯＮ基本機能を縮小し、ＰＯＮ、特にＭＡＣチップの入手性を向上し、安価な機器調達と、安価且つ柔軟且つ迅速な機能追加の効果を得る。
【０００７】
具体的には、本発明に係る通信装置は、
１又は複数のＯＮＵ（Ｏｐｔｉｃａｌ  Ｎｅｔｗｏｒｋ  Ｕｎｉｔ）と信号を送受信するＯＬＴ（Ｏｐｔｉｃａｌ  Ｌｉｎｅ  Ｔｅｒｍｉｎａｌ）として機能する通信装置であって、
スイッチを備え、
ＯＳＵに備わるスイッチ機能、
ＰＯＮのＭＡＣ（Ｍｅｄｉａ  Ａｃｃｅｓｓ  Ｃｏｎｔｒｏｌ）機能、
ＰＯＮ区間での識別するためのＧＥＭ（ＧＰＯＮ  Ｅｎｃａｐｓｕｌａｔｉｏｎ  Ｍｅｔｈｏｄ）−ＩＤ又はＬＬＩＤ（Ｌｏｇｉｃａｌ  Ｌｉｎｋ  ＩＤ）とＰＯＮ区間を終端した後で識別するためのＶＩＤ（ＶＬＡＮ  ＩＤ）とを変換するＣｌａｓｓｉｆｉｅｒ／Ｍｏｄｉｆｉｅｒ機能以外のＰＯＮブリッジ機能、
機器無依存アプリ、機器依存アプリ、ベンダ依存アプリ、制御・管理エージェント、設定・管理アプリ、ＤＢＡ（Ｄｙｎａｍｉｃ  Ｂａｎｄｗｉｄｔｈ  Ａｓｓｉｇｎｍｅｎｔ）アプリ、ＤＷＡ（Ｄｙｎａｍｉｃ  Ｗａｖｅｌｅｎｇｔｈ  Ａｓｓｉｇｎｍｅｎｔ）アプリ、ＤＷＢＡ（Ｄｙｎａｍｉｃ  Ｗａｖｅｌｅｎｇｔｈ  ａｎｄ  Ｂａｎｄｗｉｄｔｈ  Ａｓｓｉｇｎｍｅｎｔ）アプリ、プロテクションアプリ、ＯＮＵ登録認証アプリ、省電力アプリ、ＭＬＤ（Ｍｕｌｔｉｃａｓｔ  Ｌｉｓｔｅｎｅｒ  Ｄｉｓｃｏｖｅｒ）プロキシアプリ、低速監視アプリ、保守運用機能のアプリ、ＰＳ（Ｐｏｗｅｒ  Ｓａｖｅ）アプリ、ＩＦ（Ｉｎｔｅｒｆａｃｅ）変換アプリ又は高速監視アプリの少なくともいずれかを含むソフト化機能、
フレーム化で利用されるＶＬＡＮ（Ｖｉｒｔｕａｌ  Ｌｏｃａｌ  Ａｒｅａ  Ｎｅｔｗｏｒｋ）制御、シェーパの前段の優先制御、ＭｕＸ（Ｍｕｌｔｉｐｌｅｘ）／Ｄｍｕｘ（Ｄｅｍｕｌｔｉｐｌｅｘ）、Ｑｕｅｕｅ、又はフレーム化の前段のシェーパの少なくともいずれかを含むＬ２主信号処理機能、
シェーパの前段のコピー機能及び当該コピー機能で利用されるＭＬＤプロキシを含むマルチキャスト機能のうちのＰＯＮに配備されていたＰＯＮ主信号処理機能及びＰＯＮアクセス制御機能、
ＧＥＭフレームを生成又はＬＬＩＤを付与するアダプタ、
の少なくともいずれかが前記スイッチに備わる。
具体的には、本発明に係る通信装置は、
１又は複数のＯＮＵ（Ｏｐｔｉｃａｌ  Ｎｅｔｗｏｒｋ  Ｕｎｉｔ）と信号を送受信するＯＬＴ（Ｏｐｔｉｃａｌ  Ｌｉｎｅ  Ｔｅｒｍｉｎａｌ）として機能する通信装置であって、
スイッチを備え、
当該スイッチを経由して、制御情報を保持するＰＬＯＡＭ（Ｐｈｙｓｉｃａｌ  Ｌａｙｅｒ  ＯＡＭ）、Ｅｍｂｅｄｄｅｄ  ＯＡＭ、ＯＭＣＩのいずれかをフレーム化して処理する。
【０００８】
具体的には、本発明に係る通信方法は、
１又は複数のＯＮＵと信号を送受信するＯＬＴとして機能する通信装置が実行する通信方法であって、
前記通信装置に備わるスイッチが、
ＯＳＵに備わるスイッチ機能、
ＰＯＮのＭＡＣ（Ｍｅｄｉａ  Ａｃｃｅｓｓ  Ｃｏｎｔｒｏｌ）機能、
ＰＯＮ区間での識別するためのＧＥＭ（ＧＰＯＮ  Ｅｎｃａｐｓｕｌａｔｉｏｎ  Ｍｅｔｈｏｄ）−ＩＤ又はＬＬＩＤ（Ｌｏｇｉｃａｌ  Ｌｉｎｋ  ＩＤ）とＰＯＮ区間を終端した後で識別するためのＶＩＤ（ＶＬＡＮ  ＩＤ）とを変換するＣｌａｓｓｉｆｉｅｒ／Ｍｏｄｉｆｉｅｒ機能以外のＰＯＮブリッジ機能、
機器無依存アプリ、機器依存アプリ、ベンダ依存アプリ、制御・管理エージェント、設定・管理アプリ、ＤＢＡ（Ｄｙｎａｍｉｃ  Ｂａｎｄｗｉｄｔｈ  Ａｓｓｉｇｎｍｅｎｔ）アプリ、ＤＷＡ（Ｄｙｎａｍｉｃ  Ｗａｖｅｌｅｎｇｔｈ  Ａｓｓｉｇｎｍｅｎｔ）アプリ、ＤＷＢＡ（Ｄｙｎａｍｉｃ  Ｗａｖｅｌｅｎｇｔｈ  ａｎｄ  Ｂａｎｄｗｉｄｔｈ  Ａｓｓｉｇｎｍｅｎｔ）アプリ、プロテクションアプリ、ＯＮＵ登録認証アプリ、省電力アプリ、ＭＬＤ（Ｍｕｌｔｉｃａｓｔ  Ｌｉｓｔｅｎｅｒ  Ｄｉｓｃｏｖｅｒ）プロキシアプリ、低速監視アプリ、保守運用機能のアプリ、ＰＳ（Ｐｏｗｅｒ  Ｓａｖｅ）アプリ、ＩＦ（Ｉｎｔｅｒｆａｃｅ）変換アプリ又は高速監視アプリの少なくともいずれかを含むソフト化機能、
フレーム化で利用されるＶＬＡＮ（Ｖｉｒｔｕａｌ  Ｌｏｃａｌ  Ａｒｅａ  Ｎｅｔｗｏｒｋ）制御、シェーパの前段の優先制御、ＭｕＸ（Ｍｕｌｔｉｐｌｅｘ）／Ｄｍｕｘ（Ｄｅｍｕｌｔｉｐｌｅｘ）、Ｑｕｅｕｅ、又はフレーム化の前段のシェーパの少なくともいずれかを含むＬ２主信号処理機能、
シェーパの前段のコピー機能及び当該コピー機能で利用されるＭＬＤプロキシを含むマルチキャスト機能のうちのＰＯＮに配備されていたＰＯＮ主信号処理機能及びＰＯＮアクセス制御機能、
ＧＥＭフレームを生成又はＬＬＩＤを付与するアダプタ、
の少なくともいずれかの機能を実行する。
具体的には、本発明に係る通信方法は、
１又は複数のＯＮＵと信号を送受信するＯＬＴとして機能する通信装置が実行する通信方法であって、
前記通信装置は、スイッチを備え、
当該スイッチを経由して、制御情報を保持するＰＬＯＡＭ（Ｐｈｙｓｉｃａｌ  Ｌａｙｅｒ  ＯＡＭ）、Ｅｍｂｅｄｄｅｄ  ＯＡＭ、ＯＭＣＩのいずれかをフレーム化して処理する。
【０００９】
具体的には、本発明に係る通信プログラムは、コンピュータを、本発明に係る通信装置に備わるスイッチとして機能させるためのプログラムである。
【発明の効果】
【００１０】
本発明によれば、ＯＬＴについて、安価な機器調達と、安価且つ柔軟且つ迅速な機能追加を可能にすることができる。
【図面の簡単な説明】
【００１１】
【図１】本発明の実施形態に係るアーキテクチャの例１を示す。
【図２】本発明の実施形態に係るアーキテクチャの例２を示す。
【図３】本発明の実施形態に係るアーキテクチャの例３を示す。
【図４】本発明の実施形態に係るアーキテクチャの例４を示す。
【図５】本発明の実施形態に係る通信システムの一例を示す。
【図６】主要な８機能とその周辺の一例を示す。
【図７】ＰＯＮ主信号処理機能の一例を示す。
【図８】ＰＯＮアクセス制御機能の一例を示す。
【図９】Ｌ２主信号処理機能の一例を示す。
【図１０】保守運用機能  （１）装置設定・管理の一例を示す。
【図１１】保守運用機能  （２）低速監視・試験の一例を示す。
【図１２】保守運用機能  （３）高速監視・制御の一例を示す。
【図１３】ＰＯＮマルチキャスト機能の一例を示す。
【図１４】省電力制御機能の一例を示す。
【図１５】周波数／時刻同期機能の一例を示す。
【図１６】プロテクション機能の一例を示す。
【図１７】ＯＬＴ機能の一例を示す。
【図１８】アーキテクチャのイメージであって、ソフト化対象機能を実装可能なアーキテクチャの例を示す。
【図１９】機能配備
【図２０】各種ソフト機能の検証用に外部のサーバを用いる構成についての検討の一例を示す。
【図２１】ＯＳＵ、ＳＷのハードウェアブロック図を含むＯＬＴ構成（想定）の一例を示す。
【図２２】Ｇ．９８９．３機能図との対応の第一例を示す。
【図２３】Ｇ．９８９．３機能図との対応の第２例を示す。
【発明を実施するための形態】
【００１２】
以下、本発明の実施形態について、図面を参照しながら詳細に説明する。なお、本発明は、以下に示す実施形態に限定されるものではない。これらの実施の例は例示に過ぎず、本発明は当業者の知識に基づいて種々の変更、改良を施した形態で実施することができる。なお、本明細書及び図面において符号が同じ構成要素は、相互に同一のものを示すものとする。
【００１３】
（実施形態１）
本実施形態では、ＧＥＭ−ＩＤ⇔ＶＩＤのＣｌａｓｓｉｆｉｅｒ／Ｍｏｄｉｆｉｅｒ機能以外のＰＯＮブリッジ機能をスイッチに移管する。まず、ＴＷＤＭ−ＰＯＮ  （Ｔｉｍｅ  ａｎｄ  Ｗａｖｅｌｅｎｇｔｈ  Ｄｉｖｉｓｉｏｎ  Ｍｕｌｔｉｐｌｅｘｉｎｇ  −  Ｐａｓｓｉｖｅ  Ｏｐｔｉｃａｌ  Ｎｅｔｗｏｒｋ）システムのようなＩＴＵ−Ｔ勧告準拠のＰＯＮのＯＬＴ  （Ｏｐｔｉｃａｌ  Ｌｉｎｅ  Ｔｅｒｍｉｎａｌ）を前提に例示する。
【００１４】
ここでＯＬＴとしているが、ＯＮＵであってもよく、ＴＷＤＭ−ＰＯＮ以外のＩＴＵ−Ｔ勧告準拠のＰＯＮのＯＬＴ又はＯＮＵのいずれかであってもよいし、ＧＥ−ＰＯＮ、１０ＧＥ−ＰＯＮ等のＩＥＥＥ規格準拠のＰＯＮであってもよく、ＴＣ（Ｔｒａｎｓｍｉｓｓｉｏｎ  Ｃｏｎｖｅｒｇｅｎｃｅ）レイヤやＰＭＤ（Ｐｈｙｓｉｃａｌ  Ｍｅｄｉｕｍ  Ｄｅｐｅｎｄｅｎｔ）レイヤは対応する層に読み替えれば同様である。
【００１５】
（実施形態１−１）
実施形態１−１では、ＴＷＤＭ−ＰＯＮに用いられる構成について説明する。アーキテクチャとしてアーキテクチャの例１〜４に示すアーキテクチャで以下例示するが、それ以外のアーキテクチャであってよく、ソフト化する機能をハードとして備えてもよい。
【００１６】
（アーキテクチャの例１）
図１に、アーキテクチャの例１を示す。アーキテクチャの例１では、下から準拠する標準や製造ベンダに依存する機器依存部と、機器依存部のハードウェアやソフトウェアの違いを隠蔽するミドルウェア、機器に依存しない汎用の機器無依存アプリを備える。ミドルウェアと機器無依存アプリは機器無依存ＡＰＩ２１で接続され、ミドルウェアと機器依存部のソフトウェアやＯＡＭやハードウェアは機器依存ＡＰＩ２３で接続され、ミドルウェアとＮＥ管理・制御部は機器依存ＡＰＩ２５で接続される。
【００１７】
どの機能を、機器依存部とするか機器無依存アプリとするかは、ミドルウェアや機器無依存アプリを実現するため処理からくる制限、例えば、ソフトウェアの処理能力からくる制限に加えて、機能の更新頻度や独自仕様等の実現等の重要度に応じてすすめることで、機器無依存アプリによる拡張機能（独自機能）の柔軟・迅速な追加を容易にし、サービスのタイムリーな提供を実現する。例えば、主信号の優先処理や回線の利用効率を向上するＤＢＡ等の更改頻度が高い又はサービス差異化に寄与するものからすすめる。更に、共用化を図る機器の準拠する規格、世代、方式、システム、機器種別、製造ベンダの少なくともいずれかに関する差異の隔たりが小さいものから機器無依存アプリとするのが好ましい。
【００１８】
準拠する規格、世代、方式、システム、機器種別、製造ベンダの少なくともいずれか機能の汎用化をすすめるために、準拠する規格、世代、方式、システム、機器種別、製造ベンダの少なくともいずれかで最適ではないが、共通のインタフェースとする。共通のインタフェースの中には、機器依存部の準拠する規格、世代、方式、システム、機器種別、製造ベンダによっては、使用しないインタフェースやパラメータを含んでいてもよい。図１、２の構成のミドルウェア、図３、４の構成の機器依存部のドライバに、図２、４の構成のベンダ依存アプリの少なくともいずれかに、インタフェースやパラメータ等を機器依存部に対応するように変換する変換機能や不足するインタフェースやパラメータ等に対応して自動設定する機能を備えることが望ましい。
【００１９】
図１では、機器依存部は、下から準拠する標準や製造ベンダに依存するハードウェア、ドライバ、ファームウェア、アプリケーション等の機器依存のソフトウェアで例示し、ハードウェアはＭＡＣ（Ｍｅｄｉａ  Ａｃｃｅｓｓ  Ｃｏｎｔｒｏｌ）処理を行う「ハードウェア（ＭＡＣ）」とＰＨＹ（ＰＨＹｓｉｃａｌ  ｓｕｂｌａｙｅｒ）と呼ばれる物理層処理から光送受信関連の処理までを行う「ハードウェア（ＰＨＹ）」で例示している。機器依存部のハードウェアは、これら以外に汎用サーバやレイヤ２スイッチ等を含んでいてもよいし、逆にハードウェア（ＭＡＣ）を含まなくてもよいし、ハードウェア（ＰＨＹ）の一部を含まなくてもよい。
【００２０】
例えば、変復調信号処理、前方誤り訂正（Ｆｏｒｗａｒｄ  Ｅｒｒｏｒ  Ｃｏｒｒｅｃｔｉｏｎ）、符復号処理、暗号化処理等の低位の信号処理を含まずに光関連の機能のみであってもよいし、ＰＣＳ（Ｐｈｙｓｉｃａｌ  Ｃｏｄｉｎｇ  Ｓｕｂｌａｙｅｒ）と呼ぶデータを符号化する部分のみを含まなくてもよいし、ＰＣＳに加えて、データのシリアル化を行うＰＭＡ  （Ｐｈｙｓｉｃａｌ  Ｍｅｄｉｕｍ  Ａｔｔａｃｈｍｅｎｔ）を含まなくてもよいし、更に物理媒体に接続するＰＭＤ（Ｐｈｙｓｉｃａｌ  Ｍｅｄｉｕｍ  Ｄｅｐｅｎｄｅｎｔ）を含まなくてもよい。機器依存部のハードウェアを機器依存部のソフトウェアを介さずにミドルウェアから直接駆動・制御・操作・管理可能な場合は機器依存部のソフトウェアはなくてもよい。
【００２１】
機器無依存アプリは、例えば、ＮＥ（Ｎｅｔｗｏｒｋ  Ｅｌｅｍｅｎｔ）コントローラ等のＥＭＳ（Ｅｌｅｍｅｎｔ  Ｍａｎａｇｅｍｅｎｔ  Ｓｙｓｔｅｍ）からの通信を受ける制御・管理エージェントと、基本機能と、拡張機能である。但し、機器無依存アプリは、これらの全てを含まなくてもよいし、これ以上含んでいてもよい。例えば、拡張機能が不要である時は、拡張機能はなくてよい。ＡＢＣの３つで例示している拡張機能の数も３以外でもよい。また、拡張機能は、他の機能に不要な影響を与えずに独立して追加又は削除又は入替又は変更が可能であることが好ましい。例えば、サービス上の要求に合わせて、例えばマルチキャストサービス、省電力対応を拡張機能とする場合、その拡張機能が必要になった時に適宜追加しても削除しても入替しても変更してもよい。
【００２２】
基本機能は、拡張機能の一部として含まれてもよいし、ミドルウェア下位で代替されてもよい。拡張機能が基本機能を含む場合や、ミドルウェア下位が基本機能を代替する場合や、それらの組み合わせである場合、機器無依存アプリは基本機能を含まなくてもよい。ＥＭＳからの通信を受けずに、予めの設定に従って自動設定する場合、管理制御エージェントはＥＭＳと入出力しなくてよい。更に、管理設定機能を管理制御エージェントが備えず他の機器無依存アプリや基本機能や機器依存部が備える場合は、管理制御エージェントも備えなくてもよい。逆にＥＭＳと各機器無依存アプリと直接入出力してもよい。また、ＮＥ管理・制御部及びそのＩＦも備えなくともよい。
【００２３】
基本機能は、拡張機能の一部として含まれてもよいし、ミドルウェア下位で代替されてもよい。拡張機能が基本機能を含む場合や、ミドルウェア下位が基本機能を代替する場合や、それらの組み合わせである場合、機器無依存アプリは基本機能を含まなくてもよい。また、基本機能の一部もミドルウェア下位の機器依存アプリで代替してもよい。ＥＭＳからの通信を受けずに、予めの設定に従って自動設定する場合は管理制御エージェントはＥＭＳと入出力しなくてよい。更に、管理設定機能を管理制御エージェントが備えず他の機器無依存アプリや基本機能や機器依存部が備える場合は、管理制御エージェントも備えなくてもよい。逆にＥＭＳと各機能無依存アプリと直接入出力してもよい。
【００２４】
機器無依存アプリと機器依存部との入出力は、例えば、ＤＢＡ（Ｄｙｎａｍｉｃ  Ｂａｎｄｗｉｄｔｈ  Ａｓｓｉｇｎｍｅｎｔ）アプリ及びプロテクションアプリはＴＣレイヤのＥｍｂｅｄｄｅｄ  ＯＡＭ  Ｅｎｇｉｎｅと、ＤＷＢＡアプリ及びＯＮＵ登録認証アプリはＴＣレイヤのＰＬＯＡＭ  Ｅｎｇｉｎｅと、省電力アプリはＯＭＣＩ（ＯＮＵ  ｍａｎａｇｅｍｅｎｔ  ａｎｄ  ｃｏｎｔｒｏｌ  ｉｎｔｅｒｆａｃｅ）及びＬ２機能と、ＭＬＤ（Ｍｕｌｔｉｃａｓｔ  Ｌｉｓｔｅｎｅｒ  Ｄｉｓｃｏｖｅｒ）プロキシアプリはＬ２機能と、低速監視アプリ（ＯＭＣＩ）はＯＭＣＩと、相互に情報を入出力する。ＯＭＣＩ及びＬ２機能は、ＸＧＥＭ（ＸＧＰＯＮ  Ｅｎｃａｐｓｕｌａｔｉｏｎ  Ｍｅｔｈｏｄ）  Ｆｒａｍｅｒ及び暗号化を動作させる。ここで、ＤＷＢＡとＤＢＡを別としているが、一体であってもよく、ＤＢＡとＤＷＡの組み合わせであってもよい。
【００２５】
例えば、管理・制御エージェントは保守運用機能のアプリであり、ＮＥ管理・制御部におけるＮＥコントローラ等のＥＭＳと相互に情報を入出力する。
【００２６】
なお、機器無依存アプリの実装には優先順位を有していてもよい。例えば、管理・制御エージェントが最も優先される第１の優先順位である。第２の優先順位以下は、例えば、ＤＢＡアプリ、ＤＷＢＡアプリ、省電力アプリ、ＯＮＵ登録認証アプリ、ＭＬＤプロキシアプリ、プロテクションアプリ、低速監視アプリ（ＯＭＣＩ）の順である。
【００２７】
機器無依存アプリは、機器のベンダ、方式、機器種別、機器の世代、例えばＩＴＵ−Ｔ  Ｇ．９８９シリーズに準拠するＴＷＤＭ−ＰＯＮ（Ｔｉｍｅ  ａｎｄ  Ｗａｖｅｌｅｎｇｔｈ  Ｄｉｖｉｓｉｏｎ  Ｍｕｌｔｉｐｌｅｘｉｎｇ  −  Ｐａｓｓｉｖｅ  Ｏｐｔｉｃａｌ  Ｎｅｔｗｏｒｋ）とＩＴＵ−Ｔ  Ｇ．９８７シリーズに準拠するＸＧ−ＰＯＮとＩＴＵ−Ｔ  Ｇ．９８４シリーズに準拠するＧ−ＰＯＮとＩＴＵ−Ｔ  Ｇ．９８３シリーズに準拠するＢＰＯＮ、又はＩＥＥＥ８０２．３ａｖやＩＥＥＥ１９０４．１等に準拠する１０ＧＥ−ＰＯＮとＩＥＥＥ８０２．３ａｈに準拠するＧＥ−ＰＯＮ等の差異の少なくともいずれかによらずに動作するアプリであるが、拡張機能のアプリとして、機器無依存ＡＰＩ２１を介して、一部のベンダ、方式、種別、世代に備える機能を駆動するためのアプリや、一部のベンダ、方式、種別、世代の装置のみに備える機能を駆動するアプリを含んでいてもよい。
【００２８】
管理・制御エージェントは、ＥＭＳ及びミドルウェアと入出力する。ミドルウェアは、ＮＥ管理・制御部とＮＥ管理・制御情報を入出力する。ＮＥ管理・制御部は、ミドルウェアを介さずに、ＮＥ管理・制御情報をＥＭＳと直接やり取りしてもよいし、管理・制御エージェントを介してやり取りしてもよい。ミドルウェアは、機器無依存アプリと機器無依存ＡＰＩ２１を介して入出力し、機器依存部のＯＡＭやドライバやファームウェアやハードウェアと機器依存ＡＰＩ２３を介して入出力する。
【００２９】
ミドルウェアは入力を、そのまま又は所定の形式で出力する。例えば、出力先が機器無依存アプリであれば、ミドルウェアは、それぞれに入力する形式の機器無依存ＡＰＩ２１の形式にする。出力先が機器依存部のＯＡＭやドライバ、ファームウェア、ハードウェアであれば、ミドルウェアは、それぞれに入力する形式の機器依存ＡＰＩ２３の形式に変換して、又は終端して所定の処理を施して入力する。ミドルウェアは、入力の際に、それぞれの入力先に不要な入力情報は削除し、不足の情報があれば、他の機器無依存ＡＰＩ２１や機器依存ＡＰＩを２３を介して収集して補足することが望ましい。また、ミドルウェアへの入力の際に、ブロードキャスト又はマルチキャストして、関連するアプリ等に同報することとしてもよい。
【００３０】
図ではミドルウェアや機器依存部は単一で例示したが、それぞれ複数から構成されていてもよい。機器依存部のハードウェアに複数のプロセッサが含まれる場合、ミドルウェアはプロセッサやハードウェアをまたいでプロセッサ間通信等を用いて入出力してもよい。機器無依存アプリ間や機器依存機器無依存アプリをＤＬＬ（Ｄｙｎａｍｉｃ  Ｌｉｎｋ  Ｌｉｂｒａｒｙ）のような実行プログラムとして、単一のプロセッサ上のユーザ空間上に配置してもよいし、２以上のプロセッサ上のユーザ空間上に配置してもよい。
【００３１】
また、機器無依存アプリは、アプリケーションプログラミングインタフェース（ＡＰＩ Ａｐｐｌｉｃａｔｉｏｎ Ｐｒｏｇｒａｍｍｉｎｇ Ｉｎｔｅｒｆａｃｅ）等の入出力ＩＦを確保した上でカーネル空間に配置してもよいし、ファームウェア等に独立に入替可能なＩＦを有するミドルウェアとともに配置してもよいし、ファームウェア等に組み込んでコンパイルしなおしてもよい。機器無依存アプリ毎にユーザ空間やカーネル空間を任意の組み合わせとしてもよい。同一の機能に対応する機器無依存アプリを、ユーザ空間とカーネル空間の両方で実装可能としてもよい。この場合、例えば、切り替えていずれかを選択してもいいし、両方協働して処理してもよいし、一方のみで実処理を行うとしてもよい。機器依存部のソフトウェアも同様である。
【００３２】
望ましくは、主信号処理やＤＢＡ処理や低レイヤの信号処理のように高速処理が必要であるほど、拡張性・入替の即時性とトレードオフはあるが、オーバーヘッドが少なく高速な処理が期待されるカーネル空間やファームウェアに組み込むことが望ましい。機器依存アプリの配置するプロセッサもプロセッサ間通信によるバスや速度等の制限、通信路の占有等による他のプログラムへの影響の観点から、実処理を行うプロセッサ又はその近傍のプロセッサのユーザ空間やカーネル空間やファームウェア上に配置することが望ましい。但し、実処理を行うプロセッサ又はその近傍のプロセッサの能力を軽減するためにはプロセッサ間通信によるコミュニケーションコストは増大するが、遠隔のプロセッサで処理するとしてもよい。
【００３３】
機器無依存ＡＰＩ２１は、後から追加する拡張機能を想定して、予めミドルウェアに備えることが望ましいが、必要に応じて、機器依存ＡＰＩ２３や他の機器無依存アプリの改変を抑制する形で追加・削除してもよい。
【００３４】
（アーキテクチャの例２）
図２に、アーキテクチャの例２を示す。本アーキテクチャは、ミドルウェアの配下に機器依存アプリを備える。機器依存アプリを備える以外はアーキテクチャの例１と同様である。アーキテクチャの例２では、下から準拠する機器依存部の標準や機器製造ベンダに依存するハードウェアやハードウェアを駆動するドライバ・ファームウェア等のソフトウェア、機器依存部のハードやソフトウェアの少なくとも一部を駆動する機器依存アプリ、機器依存部のハードウェアやソフトウェア及び機器依存アプリの違いを隠蔽するミドルウェア、機器に依存しない汎用の機器無依存アプリとを備える。ミドルウェアと機器依存アプリは機器依存ＡＰＩ２３で接続される。機器依存アプリと機器依存部のＯＡＭやソフトウェアやハードウェアは機器依存ＡＰＩ２４で接続され、機器依存アプリと管理・制御エージェントはＡＰＩ２６で接続される。
【００３５】
機器無依存アプリは、例えば、ＥＭＳからの通信を受ける制御・管理エージェントと、基本機能と、拡張機能ＡＢＣである。しかし、機器無依存アプリは、アーキテクチャの例１及び２と同様に、これらの全てを含まなくてもよいし、これ以上含んでいてもよい。また、拡張機能は、アーキテクチャの例１と同様に、他の機能に影響を与えずに追加又は削除又は入替又は変更が可能であることが好ましい。
【００３６】
基本機能は、各拡張機能の一部として含まれていてもよいし、ミドルウェア下位で代替されてもよい。拡張機能が基本機能を含む場合や、ミドルウェア下位が基本機能を代替する場合や、それらの組み合わせである場合、機器無依存アプリは基本機能を含まなくてもよい。また、基本機能の一部もミドルウェア下位の機器依存アプリで代替してもよい。また、基本機能の一部もミドルウェア下位の機器依存アプリで代替してもよい。ＥＭＳからの通信を受けずに、予めの設定に従って自動設定する場合は管理制御エージェントはＥＭＳと入出力しなくてよい。更に、管理設定機能を管理制御エージェントが備えず他の機器無依存アプリや基本機能や機器依存部が備える場合は、管理制御エージェントも備えなくてもよい。逆にＥＭＳと各機器無依存アプリと直接入出力してもよい。ミドルウェア下位が基本機能の全てを代替する場合は、機器無依存アプリが基本機能を備えないアーキテクチャとなる。
【００３７】
アーキテクチャの例２では、機器依存アプリは、ミドルウェアを介して入出力するが、管理・制御エージェントから直接入出力してもよいし、両者の内のいずれかとのみ入出力してもよいし、ＥＭＳと直接入出力してもよい。また、機器依存アプリが、ＥＭＳからの通信を受けずに、予めの設定に従って自動設定されており、ミドルウェアを介してＥＭＳから管理・制御情報を取得可能である場合は、管理・制御エージェントを備えなくてもよい。
【００３８】
機器無依存アプリは、ミドルウェアを介して少なくとも機器依存部のハードウェア又はソフトウェアと入出力する。機器無依存アプリは、必要に応じてミドルウェアを介して、相互に入出力する。特に、機器無依存アプリは、ＥＭＳからの入出力に応じた制御・管理する場合はＥＭＳからの通信を受ける制御・管理エージェントと入出力する。
【００３９】
ＮＥ管理・制御部は、ミドルウェアを介して管理・制御エージェントとＮＥ管理・制御情報を入出力する。ＮＥ管理・制御部は、ミドルウェアを介さずに、ＥＭＳと直接ＮＥ管理・制御情報をやり取りしてもよい。また、機器依存アプリは、管理・制御エージェントとＮＥ管理・制御情報を入出力している。機器依存アプリは、管理・制御エージェントを介さずに、ＥＭＳと直接やり取りしてもよい。
【００４０】
管理・制御エージェントは、ＥＭＳ、ミドルウェア及び機器依存アプリと入出力する。ミドルウェアは、ＮＥ管理・制御部とＮＥ管理・制御情報を入出力する。ＮＥ管理・制御部は、ミドルウェアを介さずに、ＮＥ管理・制御情報をＥＭＳと直接やり取りしてもよい。ミドルウェアは、機器無依存アプリと機器無依存ＡＰＩ２１を介して入出力し、機器依存部のＯＡＭやドライバやファームウェアやハードウェアと機器依存無ＡＰＩ２１を介して入出力する。
【００４１】
ミドルウェアは、図１に示すミドルウェアと同様に、そのまま又は所定の形式で入力する。
【００４２】
機器無依存ＡＰＩ２１は、後から追加する拡張機能を想定して、予めミドルウェアに備えることが望ましいが、必要に応じて、機器依存ＡＰＩ２３や他の機器無依存アプリの改変を抑制する形で追加・削除してもよい。
【００４３】
（アーキテクチャの例３）
図３に、アーキテクチャの例３を示す。本アーキテクチャは、アーキテクチャの例１で説明したミドルウェアの代わりに、基本機能がハードや拡張機能とのやり取りを行う。その他の機器無依存アプリはアーキテクチャの例１と同様である。アーキテクチャの例１と比べて、機器依存ＡＰＩ２４を備えるミドルウェアを準拠する規格、世代、方式、システム、機器種別、製造ベンダの少なくともいずれかが異なる機器毎に作成する必要がないため、機器間世代間でより多くの機能を汎用化して移植し易く、接続性の検証も容易で、機器の機能が堅牢となる効果がある。
【００４４】
アーキテクチャの例３では、下から機器依存部、機器無依存アプリから構成される。機器依存部は、準拠する標準や機器製造ベンダ等に依存するハードウェアやハードウェアを駆動するドライバ・ファームウェア等のソフトウェアからなる。ドライバ等は機器依存部の違いを隠蔽する。機器無依存アプリは、移植用ＩＦ（機器無依存ＡＰＩ２７）とハードウェアや機器依存ソフトウェアの違いを隠蔽するドライバとを介して機器依存部と接続する。機器に依存しない汎用の機器無依存アプリとを備える。機器無依存アプリは、ハードウェアや機器依存ソフトウェアの違いを隠蔽するドライバを介して、ハードウェアや機器依存ソフトウェアとデータを入出力する。基本機能と各拡張機能は機器無依存ＡＰＩ２２（拡張用ＩＦ）で接続され、基本機能と機器依存部は機器無依存ＡＰＩ２７で接続される。
【００４５】
機器無依存アプリの内の基本機能が、ミドルウェアの代わりに、基本機能がハードや拡張機能とのやり取りを行う。機器無依存アプリは必要に応じて基本機能を介して、相互に入出力する。機器無依存アプリの拡張機能は基本機能を介して少なくとも機器無依存ＡＰＩ２２を介して入出力する。基本機能は、機器無依存アプリと機器無依存ＡＰＩ２２を介して入出力し、機器依存部のＯＡＭやドライバやファームウェアやハードウェアと機器無依存ＡＰＩ２７を介して入出力する。
【００４６】
基本機能は、図１に示すミドルウェアと同様に、そのまま又は所定の形式で入力する。例えば、他の機器無依存アプリであれば、それぞれに入力する形式の機器無依存ＡＰＩ２２の形式に変換し、機器依存のＯＡＭやドライバ、ファームウェア、ハードウェアであれば、それぞれに入力する形式の機器無依存ＡＰＩ２２の形式に変換し、又は終端して所定の処理を施して入力する。入力の際に、それぞれの入力先に不要な入力情報は削除し、不足の情報があれば、他の機器無依存ＡＰＩ２２や機器無依存ＡＰＩ２７を介して収集して補足することが望ましいが、入力を、ブロードキャスト又はマルチキャストして、関連するアプリ等に同報することとしてもよい。
【００４７】
機器無依存アプリは、例えば、基本機能、拡張機能ＡＢＣである。しかし、機器無依存アプリは、これらの全てを含まなくてもよいし、これ以上含んでいてもよい。例えば、拡張機能が不要である時は、拡張機能ＡＢＣはなくてよい。また、拡張機能は、他の機能に影響を与えることなく独立に追加又は削除他の機能に影響を与えることなく独立に可能であることが好ましい。例えば、サービス上の要求に合わせて、例えばマルチキャストサービス、省電力対応を拡張機能とする場合、その拡張機能が必要になった時に適宜追加し、不要となった時に適宜削除し、変更に応じて入替または変更するとしてもよい。
【００４８】
機器無依存ＡＰＩ２２は、後から追加する拡張機能を想定して、予め基本機能に備えることが望ましいが、必要に応じて、機器無依存ＡＰＩ２２や２７や他の機器無依存アプリの改変を抑制する形で追加・削除してもよい。
【００４９】
（アーキテクチャの例４）
図４に、アーキテクチャの例４を示す。本アーキテクチャとアーキテクチャの例３との違いは、基本機能の配下に機器依存アプリがあるところにある。機器依存アプリを備えることで、基本機能の構成を簡易化できる効果がある。アーキテクチャの例４では、下から機器依存部として準拠する標準や機器製造ベンダに依存するハードウェア、ハードウェアを駆動するドライバ・ファームウェア等のソフトウェア、機器依存部の少なくとも一部分を駆動する機器依存アプリ、移植用ＩＦとハードウェアや機器依存ソフトウェアの違いを隠蔽するドライバとを介し又は移植用ＩＦと機器依存アプリとを介して機器に依存せずに汎用の機器無依存アプリを備える。基本機能と機器依存アプリは機器無依存ＡＰＩ２７で接続され、機器依存アプリと機器依存部は機器依存ＡＰＩ２４で接続される。
【００５０】
機器無依存アプリの内の基本機能が、ミドルウェアの代わりに、基本機能がハード、拡張機能とのやり取りを行う。基本機能の中に、ＥＭＳからの通信を受ける制御・管理エージェント相当を含んでいてもよいし、拡張機能として制御・管理エージェントを備えてもよい。基本機能は、機器無依存アプリと機器無依存ＡＰＩ２２（拡張用ＩＦ）を介して入出力し、機器依存部のＯＡＭやドライバやファームウェアやハードウェアと機器依存ＡＰＩ２７（移植用ＩＦ）と機器依存部の差異を隠蔽する機器依存部のドライバ又は機器依存アプリと機器依存ＡＰＩ２４を介して入出力する。
【００５１】
基本機能は、図１に示すミドルウェアと同様に、そのまま又は所定の形式で入力する。アーキテクチャの例３と同様に、基本機能の中に、ＥＭＳからの通信を受ける制御・管理エージェント相当を含んでいてもよいし、拡張機能として制御・管理エージェントを備えてもよい。
【００５２】
機器無依存アプリは、例えば、基本機能、拡張機能ＡＢＣである。しかし、機器無依存アプリは、アーキテクチャの例３と同様に、全てを含まなくてもよいし、これ以上含んでいてもよい。また、拡張機能は、アーキテクチャの例３と同様に、互いに独立に他の機能に影響を与えずに、追加又は削除又は入替又は変更が可能であることが好ましい。また、基本機能の一部は、機器依存アプリで代替してもよい。機器依存アプリは基本機能から直接入出力しているが、ＥＭＳとそのまま又は所定の変換の後に基本機能を介さずに入出力してもよい。
【００５３】
機器無依存ＡＰＩ２２、２７は、図１に示すアーキテクチャと同様に、後から追加する拡張機能を想定して、予め基本機能に備えることが望ましいが、必要に応じて、機器無依存ＡＰＩ２２、２７や他の機器無依存アプリや機器依存アプリと機器依存ＡＰＩ２４の改変を抑制する形で追加・削除してもよい。
【００５４】
なお、図１から図４の構成はＴＷＤＭ−ＰＯＮ（Ｔｉｍｅ  ａｎｄ  Ｗａｖｅｌｅｎｇｔｈ  Ｄｉｖｉｓｉｏｎ  ＭｕｌｔｉｐｌｅｘｉのようなＩＴＵ−Ｔ勧告準拠のＰＯＮのＯＬＴ（Ｏｐｔｉｃａｌ  Ｌｉｎｅ  Ｔｅｒｍｉｎａｌ）を前提に記載しているが、ＯＮＵであってもよく、ＴＷＤＭ−ＰＯＮ以外のＩＴＵ−Ｔ勧告準拠のＰＯＮのＯＬＴ又はＯＮＵのいずれかであってもよいし、ＧＥ−ＰＯＮ、１０ＧＥ−ＰＯＮ等のＩＥＥＥ規格準拠のＰＯＮであってもよく、ＴＣレイヤやＰＭＤレイヤは対応する層に読み替えれば同様である。
【００５５】
ＴＷＤＭ−ＰＯＮは、主に、ＰＯＮマルチキャスト機能、省電力制御機能、周波数／時刻同期機能、プロテクション機能、保守運用機能、Ｌ２種信号処理機能、ＰＯＮアクセス制御機能、ＰＯＮ主信号処理機能の８機能を有する場合を例にとる。図６に主要８機能間の信号／情報の流れの例を示す。ＰＯＮ主信号処理機能はＰＭＤ（主要８機能外）とＰＯＮアクセス制御機能と保守運用機能（ＰＬＯＡＭ処理、ＯＭＣＩ処理）とＬ２主信号処理機能と接続していてもよく、ＰＯＮマルチキャスト機能、省電力制御機能、周波数／時刻同期機能、プロテクション機能は、保守運用機能、Ｌ２主信号処理機能、ＰＯＮアクセス制御機能、ＰＭＤからなる群に対してそれぞれ接続していてもよい。
【００５６】
図７から図１６を参照して各機能を説明する。図７はＰＯＮ主信号処理機能の図である。ＰＯＮ主信号処理機能を構成する処理として、上り信号の処理順（下り信号の処理は逆方向）にＰＨＹアダプテーション、フレーム化、サービスアダプテーションを備えていてもよい。これらの処理は基本処理である同期ブロック生成／抽出、スクランブル／デスクランブル、ＦＥＣデコード／エンコード、フレーム生成／／分離、ＧＥＭカプセル化、フラグメント処理、暗号化から構成されてもよい。
【００５７】
ＰＨＹアダプテーションは上り信号の処理順に同期ブロック抽出、デスクランブル、ＦＥＣデコーディングを、下り信号処理の順番でＦＥＣエンコーディング、スクランブル、同期ブロック生成を備えていてもよい。ＰＨＹアダプテーション、フレーム化、サービスアダプテーションの処理は備えずに同等の処理を基本処理の組み合わせで実現してもよい。また、順番が入れ替わっていてもよい。例えば、ＦＥＣ処理をＰＨＹアダプテーション以外に備えてもよい。
【００５８】
本主要機能では、１０Ｇｂｉｔ／ｓ／λと２．５Ｇｂｉｔ／ｓ／λの処理をそれぞれ波長毎に処理する場合は、それぞれ１０Ｇｂｉｔ／ｓ／λと２．５Ｇｂｉｔ／ｓ／λ以上のストリーム処理が、複数波長を処理するなら複数波長分が求められる。
【００５９】
図８はＰＯＮアクセス制御機能の図である。構成する処理として、ＯＮＵ登録／認証、ＤＢＡ、λ設定切替（ＤＷＡ）を有する。これらの処理は基本処理から構成されてもよい。例えば、ＯＮＵ登録／認証は初期処理を構成するレンジング、認証削除  登録、起動停止、ＤＢＡは帯域要求受信、トラフィック測定、履歴保持、割当計算、割当処理、設定切替計算、設定切替処理、設定切替状況把握の全てまたはそのいくつか、λ設定切替は、帯域要求受信、トラフィック測定、履歴保持、割当計算、割当処理、設定切替計算、設定切替処理、設定切替状況把握の全てまたはそのいくつかから構成されてもよい。ＯＮＵ登録／認証、ＤＢＡ、λ設定切替（ＤＷＡ）は備えずに同等の処理を基本処理の組み合わせで実現してもよい。また、順番が入れ替わっていてもよい。
【００６０】
本主要機能では、ＯＮＵ高速起動、ＤＢＡ周期内でのＢＷＭａｐ、無瞬断λ設定切替等が必要に応じて求められる。機能分担の例としては、登録／認証としては、タイムクリティカルなレンジング処理を機器依存部、その後の認証や鍵交換をアプリとしてもよい。ＤＢＡ・λ設定切替では、単純な繰り返し処理を機器依存部、理想状態への反映をアプリとしてしてもよい。
【００６１】
図９は、Ｌ２主信号処理機能の図である。構成する処理として、ＭＡＣ学習、ＶＬＡＮ制御、パス制御、帯域制御、優先制御、遅延制御、Ｃｏｐｙを有する。これらの処理は基本処理であるアドレス管理、Ｃｌａｓｓｉｆｉｅｒ、Ｍｏｄｉｆｉｅｒ、Ｐｏｌｉｃｅｒ／Ｓｈａｐｅｒ、Ｃｒｏｓｓ  Ｃｏｎｎｅｃｔ、Ｑｕｅｕｅ、Ｓｃｈｅｄｕｌｅｒ、Ｃｏｐｙ、トラフィックモニタから構成されてもよい。ＭＡＣ学習、ＶＬＡＮ制御、パス制御、帯域制御、優先制御、遅延制御、Ｃｏｐｙは備えずに同等の処理を基本処理の組み合わせで実現してもよい。また、順番が入れ替わっていてもよい。
【００６２】
本主要機能では、１０Ｇｂｉｔ／ｓ／λと２．５Ｇｂｉｔ／ｓ／λの処理をそれぞれ波長毎に処理する場合は、それぞれ１０Ｇｂｉｔ／ｓ／λと２．５Ｇｂｉｔ／ｓ／λ以上のストリーム処理が、複数波長を処理するなら複数波長分が求められる。
【００６３】
図１０は、保守運用機能（１）装置設定・管理の図である。構成する処理として、ＯＮＵ／ＯＳＵ／ＯＬＴ／ＳＷの装置設定（手動、一括、自動、オペレーション契機）、設定バックアップ、ＦＷ更新、装置制御（リセット）、冗長構成対応を有する。これらの処理は基本処理であるＣＬＩ−ＩＦ、オペレーションＩＦ、汎用Ｃｏｎｆｉｇ−ＩＦ  （ＮＥＴＣＯＮＦ／ＳＮＭＰなど）、テーブル管理から構成されてもよい。装置設定、設定バックアップ、ＦＷ更新、装置制御、冗長構成対応は備えずに同等の処理を基本処理の組み合わせで実現してもよい。また、順番が入れ替わっていてもよい。
【００６４】
本主要機能では、指示を受けてからＡＣＫ送信まで１００  ｍｓ以内、指示を受けてから反映完了通知送信まで２００  ｍｓ以内（但し、データ転送を含む設定バックアップとＦＷ更新は規模（サイズ・ユーザ数）に応じて規定。）等の規定に従うことが求められる。
機能分担の例としては、ハードのＣｏｎｆｉｇを除きアプリとし、ソフトや設定データはＯＮＵやＯＬＴで持たずに図２の１６外部サーバ上のアプリとすることもできる。コマンドの統一とシーケンスの定義をすることで実現することもできる。
【００６５】
図１１は、保守運用機能（２）低速監視・試験の図である。構成する処理として、装置の状態監視（ＣＰＵ／メモリ／電源／切替）、トラフィック監視、警報監視（ＯＮＵ異常、ＯＬＴ異常）、試験（ループバック）を有する。これらの処理は基本処理である警報通知、ログ記録、Ｌ３パケット生成／処理、テーブル管理から構成されてもよい。装置の状態監視、トラフィック監視、警報監視、試験は同等の処理を基本処理の組み合わせで実現してもよい。また、順番が入れ替わっていてもよい。
【００６６】
本主要機能では、レイテンシが１００  ｍｓ以内等の規定に従うことが求められる。機能分担の例として、通知／表示のＩＦのみアプリとし、モニタが必要な項目（ＣＰＵ負荷、メモリ利用量、電源状態、消費電力、Ｅｔｈｅｒｎｅｔ（登録商標）のリンク状態など）は機器依存部であり、機器依存部からの通知読み出し、通知のＮＷ送信、ファイルへの書き込みなどのＩＦを切るアプリすることもできる。
【００６７】
図１２は、保守運用機能（３）高速監視・制御の図である。構成する処理として、高速を要する監視・制御のやり取り（スリープ指示／返答、λ設定切替指示／返答など）を有する。本処理の手段として、Ｐｈｙｓｉｃａｌ  Ｌａｙｅｒ  ＯＡＭ  （ＰＬＯＡＭ）メッセージ、及び、ヘッダ内のビット表示（Ｅｍｂｅｄｄｅｄ  ＯＡＭ）を利用する。これらの処理は基本処理であるＰＬＯＡＭ処理、  Ｅｍｂｅｄｄｅｄ  ＯＡＭ処理、省電力機能部との通信、プロテクション機能部との通信、ＰＯＮアクセス制御部との通信から構成されてもよい。高速を要する監視・制御のやり取りは同等の処理を基本処理の組み合わせで実現してもよい。また、順番が入れ替わっていてもよい。
【００６８】
本主要機能では、ＰＬＯＡＭ処理を７５０  マイクロ秒以内とする等の規定に従うことが求められる。図１３は、ＰＯＮマルチキャスト機能の図である。構成する処理として、マルチキャストストリームの識別・振り分け、ＭＬＤプロキシ／スヌーピング、ＯＮＵフィルタ設定、波長間設定移行を有する。これらの処理は基本処理であるＬ２識別・振り分け、Ｌ３パケット処理（ＩＰｖ６Ｐａｒｓｅを備えるのが望ましい）、Ｌ３パケット生成、テーブル管理、  ＯＭＣＩ機能との通信から構成されてもよい。マルチキャストストリームの識別・振り分け、ＭＬＤプロキシ／スヌーピング、ＯＮＵフィルタ設定、波長間設定移行は同等の処理を基本処理の組み合わせで実現してもよい。また、順番が入れ替わっていてもよい。
【００６９】
本主要機能では、識別／振り分けを１０Ｇｂｉｔ／ｓ／λと２．５Ｇｂｉｔ／ｓ／λの処理をそれぞれ波長毎に処理する場合は、それぞれ１０Ｇｂｉｔ／ｓ／λと２．５Ｇｂｉｔ／ｓ／λ以上のストリーム処理が、複数波長を処理するなら複数波長分が、パケット処理としてＺａｐｐｉｎｇ性能（ＪＯＩＮレイテンシ）が平均１．５  秒以内等の規定に従うことが求められる。
【００７０】
機能分担の例としては、マルチキャスト（ＭＣ）ストリームの識別・振分は高速な処理能力を持つＣＰＵ等であればソフト処理可だが、ハード  ＋  ｃｏｎｆｉｇが望ましい。その他、上りに対するアプリ系やＯＮＵ設定は頻度や遅延制約が緩いためアプリとするである。
【００７１】
図１４は、省電力制御機能の図である。構成する処理として、スリープ用プロキシ／トラフィックモニタ、ＯＮＵ波長設定、波長間設定移行を有する。これらの処理は基本処理であるＬ３パケット処理（ＩＰｖ６Ｐａｒｓｅを備えるのが望ましい）、Ｌ３パケット生成、テーブル管理、ＯＳＵ省電力ＳＤ（Ｓｔａｔｅ  Ｄｉａｇｒａｍ）、ＯＭＣＩ機能との通信から構成されてもよい。スリープ用プロキシ／トラフィックモニタ、ＯＮＵ波長設定、波長間設定移行は同等の処理を基本処理の組み合わせで実現してもよい。また、順番が入れ替わっていてもよい。
【００７２】
本主要機能では、送受信立ち上がり時間（受信器／送信器）を  １０  ｍｓ  ／  ５  ｍｓ、立ち上がり時間（ＬＣ／ＯＳＵ／ＯＬＴ）１００  ｍｓ  ／  １  ｓ  ／  １０ｓ等の規定に従うことが求められる。機能分担の例として、ＰＳ（Ｐｏｗｅｒ  Ｓａｖｅ）アプリや、信号によってはプロキシ処理もアプリとすることもできる。省電力制御状態遷移管理（ドライバ部）は速度が求められるがアプリとすることもできる。トラフィックモニタはｃｏｎｆｉｇのみアプリとすることもできる。
【００７３】
図１５は、周波数／時刻同期機能の図である。ＯＬＴは、ＳｙｎｃＥ（Ｓｙｎｃｈｒｏｎｏｕｓ  Ｅｔｈｅｒｎｅｔ）（周波数同期用）及びＩＥＥＥ  １５８８ｖ２（時刻同期）により、自身のリアルタイムクロック（ＲＴＣ）を上位装置に従属同期させる。更に、ＯＭＣＩを利用して、ＰＯＮのスーパーフレームカウンタ（ＳＦＣ）と絶対時刻（ＴｏＤ：  Ｔｉｍｅ  ｏｆ  Ｄａｙ）情報の対応をＯＮＵに通知する。これらの処理は基本処理であるリアルタイムクロックの保持等から構成されてもよい。同等の処理を基本処理の組み合わせで実現してもよい。また、順番が入れ替わっていてもよい。
【００７４】
本主要機能では、周波数同期精度  ＋／―５０  ｐｐｂ（ＬＴＥ  ＦＤＤ、  同ＴＤＤ）、時刻同期精度＋／―１〜１．５  ｕｓ  （ＬＴＥ  ＴＤＤ、  スモールセル）、  ＋／―１  ｕｓ（Ｇ．９８７．３）等の規定に従うことが求められる。機能分担の例としては、リアルタイムクロック自体は機器依存部であり、上位装置への時刻合わせ計算はアプリとすることもできる（精度により機器依存部とすることもできる。）。
【００７５】
図１６は、プロテクション機能の図である。構成する処理として、冗長切替（ＣＴ、  ＳＷ、  ＮＮＩ、  ＣＯＮＴ、  ＰＯＮ  （Ｔｙｐｅ  Ａ、  Ｂ、Ｃ））を備える。これらの処理は基本処理である冗長パス設定、  切替トリガ検出、切替通知送受信、切替処理等から構成されてもよい。同等の処理を基本処理の組み合わせで実現してもよい。また、順番が入れ替わっていてもよい。
【００７６】
本主要機能では、強制切替は５０ｍｓ以下等の規定に従うことが求められる。機能分担の例としては、故障検出等のハードの切替トリガ検出と切替処理を除きアプリとすることもできる。冗長パスを予め設定せずに、切替トリガ検出時にＥＭＳ側への（からの）指示する場合は機器依存、等である。
【００７７】
なお、主要８機能は必要に応じて備えればよく、例えばＰＯＮ主信号処理機能、ＰＯＮアクセス制御機能、Ｌ２主信号処理機能、保守運用機能のみを備えてもよいし、それ以外の機能を備えてもよい。また、各機能のソフト化可否の評価は、２０１８年に想定されるＯＬＴの処理能力かつ、ソフトスイッチの適用は想定していない前提での一例である。想定する処理能力やソフトスイッチの適用を想定して適宜変更してもよい。ソフト化可の機能であっても、ソフト化しなくてもよい。各機能の内部の構成は同様の機能を実現できれば他の構成であってもよい。
【００７８】
主要８機能に含まれるアルゴリズムを主なソフト化領域とする。ソフト化領域とした機能を機器無依存ＡＰＩ２１、２２上の機器無依存アプリとする。例えば、差異化サービスに資するＯＮＵ登録／認証機能、ＤＷＢＡ機能、設定・管理・監視制御機能及び省電力制御機能におけるアルゴリズムは機器無依存アプリにおける拡張機能として扱われる。ＭＬＤプロキシアプリはマルチキャスト機能を含む。
【００７９】
拡張機能は、アプリの内、機能の更新頻度や独自仕様等の実現等の重要度に応じて拡張機能とする。更新頻度が低いか独自仕様等の実現の要求の低いものは基本機能や機器無依存アプリ以外のミドルウェアや機器依存ソフトウェアやハードウェアとすることが好ましい。特に、ソフトウェアの処理能力からくる制限がある機能は、ハードウェアのままとすることが好ましい。例えば、主信号の優先処理や回線の利用効率を向上するＤＢＡ等の更改頻度が高いかサービス差異化に寄与する機能や、オベレータの業務フローに密接にかかわり合いオペレータ毎の独自仕様が要求される管理制御機能から拡張機能とする。
【００８０】
アーキテクチャの例を図１８に示す。図１８に係る光アクセスシステムでは、ＩＴＵ−Ｔ  Ｇ．９８９シリーズに準拠する。以下に示す接続関係は例であり、間に介在する接続は介在しない接続であってもよいし、複数の接続関係の一部のみ接続していてもよく、それ以外の接続であってもよい。これは他の説明も同様である。コントローラとして機能するＥＭＳ（Ｅｌｅｍｅｎｔ  Ｍａｎａｇｅｍｅｎｔ  Ｓｙｓｔｅｍ）は、ＩＦ変換アプリを介して低速監視アプリ（ＥＭＳ−ＩＦ）及び設定・管理アプリが配置されている。Ｌ２機能と接続された低速監視アプリ（ＥＭＳ−ＩＦ）はＮＥコントロールと接続され、設定・管理アプリはＮＥ管理と接続されている。低速監視アプリ（ＯＭＣＩ）、ＭＬＤプロキシアプリ及び省電力アプリは、それぞれＬ２機能と接続されている。
【００８１】
プロテクションアプリは、ＰＬＯＡＭ  ＥｎｇｉｎｅとＥｍｂｅｄｄｅｄ  ＯＡＭ  Ｅｎｇｉｎｅと接続されている。省電力アプリは、ＯＭＣＩと、高速監視アプリを介してＰＬＯＡＭ  Ｅｎｇｉｎｅと接続されている。ＯＮＵ登録認証及びＤＷＢＡアプリはＰＬＯＡＭ  Ｅｎｇｉｎｅと接続され、ＤＢＡアプリはＥｍｂｅｄｄｅｄ  ＯＡＭ  Ｅｎｇｉｎｅと接続されている。省電力アプリは、プロテクションアプリとＯＮＵ登録認証とＤＷＢＡアプリとＤＢＡアプリ間でそれぞれ動作させてもよい。
【００８２】
図１９に装置上への基能配備の一例を示す。図１９に係る光アクセスシステムにおいて、機能をＣＰＵ版上の複数のＣＰＵ上に分散配置する例を示す。ここでは、ＣＰＵ版のＣＰＵをＣＯＮＴ（コント版、コントローラ、制御部等向き、ＯＳＵ向き、ＳＷ向きの３グループに分割した例である。３グループのＣＰＵはそれぞれ単一のＣＰＵであってもよいし、複数のＣＰＵから構成されていてもよいし、ＧＰＵ（Ｇｒａｐｈｉｃｓ  Ｐｒｏｃｅｓｓｉｎｇ  Ｕｎｉｔ）やＦＰＧＡ（Ｆｉｅｌｄ  Ｐｒｏｇｒａｍｍａｂｌｅ  Ｇａｔｅ  Ａｒｒａｙ）やＤＳＰ（Ｄｉｇｉｇａｌ  Ｓｉｇｎａｌ  Ｐｒｏｃｅｓｓｅｒ）やＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等の演算機能であってもよいし、それらを含んでいてもよい。
【００８３】
ＣＰＵ版上の複数のＣＰＵは単一のＣＰＵであってもよい。単一のＣＰＵであれば、ＣＰＵ間通信のためのオーバーヘッド処理が軽減する。また、ＣＰＵ版での集中配置の代わりに、各グループを３つのＰＫＧ（パッケージ、版）である（Ｃｏｎｔ版、ＯＳＵ、ＳＷ）に分散配置してしてもよい。装置設定ＩＦ及びＥＭＳ−ＩＦと接続されたＣＯＮＴは、ＣＯＮＴ向き、ＯＳＵ向き及びＳＷ向きの３グループに分割された各アプリ群を介してデータの入出力を行う図１９に示すように、Ｃｏｎｔ向きの各アプリは、低速監視アプリ（ＯＭＣＩ）、低速監視アプリ（ＥＭＳ−ＩＦ）、設定管理アプリとした。また、ＳＷ向きの各アプリは、ＭＬＤプロキシアプリとした。ＯＳＵ向きの各アプリは、省電力アプリ、プロテクションアプリ、高速監視アプリ、ＤＢＡアプリ、ＤＷＡアプリ、ＯＮＵ登録認証アプリとした。これらの機能と機能のグループは例であり、組み替えてもよいし、削除追加抽象転用してもよい。
【００８４】
各ＯＳＵ及びスイッチには、ミドルウェアが搭載されている。ミドルウェアは機能やハードウェア相互の接続性を確保することが可能であれば、いずれかに集中搭載してもよい。各ＯＳＵは、所定の波長の光送受信機（図のλＣａｒｄ）を備える。各アプリをＯＬＴ内の制御部であるコント版（図中のＣＯＮＴ．）は、ＣＯＮＴ向きの各アプリを制御する。ＣＯＮＴ向き、ＯＳＵ向き及びＳＷ向きの各アプリは、ミドルウェアを介して又はミドルウェアを介す必要がない場合は介さずに相互にデータの入出力を行うように接続されている。
【００８５】
各アプリはＣＰＵパッケージ上のＣＰＵで処理する例である。図では、各アプリをＯＬＴ内の制御部であるコント版（図のＣＯＮＴ．）向きの処理、光送受信機（図のλＣａｒｄ）を備えるＯＳＵパッケージ（図のＯＳＵ）向きの処理、ＯＳＵ及び上位ネットワーク側の装置とデータのやり取りを行うＳＷパッケージ向きの処理の３グループに分類している。
【００８６】
ＯＳＵグループとして省電力アプリ、プロテクションアプリ、高速監視アプリ、ＤＢＡアプリ、ＤＷＡアプリ、ＯＮＵ登録認証アプリを、ＳＷグループとしてＭＬＤプロキシアプリを、ＣＯＮＴグループとして低速監視アプリ（ＯＭＣＩ）、低速監視アプリ（ＥＭＳ−ＩＦ）、設定管理アプリとした。更に、ＣＰＵ版での集中制御を想定しているが、分類した各グループのアプリをそれぞれのＰＫＧ（Ｃｏｎｔ、ＯＳＵ、ＳＷ）に分散配置してもよい。
【００８７】
また上記の分類によらずに、Ｃｏｎｔ、ＯＳＵ、ＳＷのいずれか又はそれらの複数の組み合わせ上に配置してもよい。また、図中の装置設定ＩＦはＥＭＳ−ＩＦの一部であってもよいし、図１のＡＰＩ２５同等であってもよい。またアプリの処理はＣＰＵ上で行うとしたが、一部また全てを、処理機能を備える代替物、例えばＣＰＵ以外のＧＰＵやＮＰＵやＤＳＰ等のプロセッサやＦＰＧＡ上で処理してもよい。これは本願の他の実施例も同様である。
【００８８】
図２０はＣＰＵパッケージの代わりにサーバ等にアプリを配置した例である。アプリはサーバ等上で処理し、その処理結果をＥｔｈｅｒｎｅｔフレーム等の伝送路で伝送できる形式として伝送路で伝送した後に、ＯＬＴに到着する。ここで、伝送路で伝送できる形式としてはＥｔｈｅｒｎｅｔフレーム以外のフレームやＴＤＭ等の伝送であってもよく、変換機（図中のＣＯＮＶ．）を介しているが、ＯＳＵやＳＷやλカードが変換機を介さずにアプリの処理結果を受けることが可能とすれば変換機は不要である。サーバ等は、図５の外部サーバ１６相当であってもよいし、プロキシ部１５相当であってもよい。
【００８９】
図２１はアプリとアプリ以外の処理の例である。図ではＣＰＵの囲みが基本機能と独自機能での処理、ＯＳＵＭＡＣがベンダ依存部分での処理の例を示しているが、この分類に限定しない。本図のＣＰＵは図２０のＣＰＵパッケージや図２１のサーバ等上やそれ以外の処理能力を持つ箇所又はそれらの組み合わせであってもよい。ＯＳＵＭＡＣはＯＳＵ処理をする専用のＬＳＩを想定しているが、同等の処理が可能であれば汎用ＬＳＩを用いてもよい。
【００９０】
図２１に係る光アクセスシステムにおいて、ＣＰＵは、第１の群として保守運用機能のＦｆａｕｌｔ  Ｍａｎａｇｅｍｅｎｔと保守運用機能のＧＴＣ／ＰＭＤ  ＣｏｎｆｉｇとＰＯＮアクセス処理機能のＯＮＵ  Ａｃｔｉｖａｔｉｏｎ／ＤｅａｃｔｉｖａｔｉｏｎとＰＯＮアクセス処理機能のＤＢＡとＰＯＮアクセス処理機能のλ（波長）割当変更とを有し、第２の群として省電力制御機能のＳｌｅｅｐとプロテクション機能とを有し、第３の群として保守運用機能のＳｅｒｖｉｃｅ  Ｍａｎａｇｅｍｅｎｔと保守運用機能のＥｑｕｉｐｍｅｎｔ  Ｍａｎａｇｅｍｅｎｔとを有し、第４の群として保守運用機能のＦａｕｌｔ  Ｍａｎａｇｅｍｅｎｔと保守運用機能のＰｅｒｆｏｒｍａｎｃｅ  Ｍａｎａｇｅｍｅｎｔとマルチキャスト機能のＭＬＤプロキシとを有する。
【００９１】
ＳＷは、Ｌ２信号処理機能のＶＬＡＮ機能とＬ２信号処理機能のＱｏＳ機能とＬ２信号処理機能のＭｕｌｔｉｐｌｅｘ（Ｍｕｘ）とＬ２信号機能のＤｅｍｕｌｔｉｐｌｅｘ（Ｄｍｕｘ）とＬ２信号機能のＣｒｏｓｓ  Ｃｏｎｎｅｃｔ（ＸＣ）とマルチキャスト機能とＬ２信号機能の複写機能（Ｃｏｐｙ）とを有する。ＯＳＵ  ＭＡＣは、ＰＯＮ主信号処理機能のＦｒａｍｉｎｇと、ＰＯＮ主信号処理機能の暗号の符復号等のＳｅｃｕｒｉｔｙ機能と、ＰＯＮ主信号処理機能のＦＥＣ機能と、周波数／時刻同期機能とを有する。また、ＯＳＵ  ＭＡＣは、ＸＧＥＭ  Ｆｒａｍｅｒと、暗号化と、ＸＧＴＣ  Ｆｒａｍｅｒと、ＦＥＣと、ＰＨＹ  Ｆｒａｍｅｒと、ＳＰ変換と、ＰＭＤとの順でデータ処理を行ってもよい。暗号化ではＰＯＮ主信号処理機能のＳｅｃｕｒｉｔｙ機能が行い、ＦＥＣはＰＯＮ主信号処理機能（ＦＥＣ）が行い、ＰＨＹ  Ｆｒａｍｅｒの前段に位置するＦｒａｍｅｒ  Ｓｙｎｃは周波数／時刻同期機能が行ってもよい。
【００９２】
図２２は、主要８機能のアプリの処理とＧ。９８９．３機能図との対応である。図２２に示すように各アプリは、省電力アプリ、プロテクションアプリ、高速監視アプリ、ＤＢＡアプリ、ＤＷＡアプリ、ＯＮＵ登録認証アプリを用いる。ＴＷＤＭ  ＴＣ  Ｌａｙｅｒにおいて、（１）ではＰＨＹ  Ｂｕｒｓｔ  Ｔｉｍｉｎｇ  ａｎｄ  Ｐｒｏｆｉｌｅ  Ｃｏｎｔｒｏｌを有し、（２）ではＵｐｓｔｒｅａｍ  Ｂａｎｄｗｉｄｔｈ  Ｍａｎａｇｅｍｅｎｔ（ｍｇｍｔ．）、ＤＢＡ  ＣｏｎｔｒｏｌとＦＳ  Ｆｒａｍｅ／ＢｕｒｓｔとしてＰＬＯＡＭ  ＰａｒｔｉｔｉｏｎとＥｍｂｅｄｄｅｄ  Ｈｅａｄｅｒ  ＦｉｅｌｄｓとＸＧＥＭ  Ｐａｒｔｉｔｉｏｎを有し、（３）ではＵｓｅｒ  Ｄａｔａ  ＡｄａｐｔｅｒとＯＭＣＩ  ＡｄａｐｔｅｒとＸＧＥＭ  Ｅｎｇｉｎｅを有する。
【００９３】
Ｕｓｅｒ  ｄａｔａ  Ｃｌｉｅｎｔ及びＯＭＣＩ  Ｃｌｉｅｎｔは、それぞれＵｓｅｒ  Ｄａｔａ  ＡｄａｐｔｅｒとＯＭＣＩ  Ａｄａｐｔｅｒと接続されている。Ｕｓｅｒ  Ｄａｔａ  Ａｄａｐｔｅｒは、Ｓｅｃｕｒｉｔｙ  Ｋｅｙ  Ｍａｎａｇｅｍｅｎｔ（ｍｇｍｔ．）とＯＮＵ  Ｐｏｗｅｒ  Ｍａｎａｇｅｍｅｎｔ（ｍｇｍｔ．）とＴＷＤＭ  Ｃｈａｎｎｅｌ  Ｍａｎａｇｅｍｅｎｔ（ｍｇｍｔ．）とＰｒｏｔｅｃｔｉｏｎを有するＴＷＤＭ  ＴＣ  Ｆｕｎｃｔｉｏｎｓと、ＰＬＯＡＭ  Ｐｒｏｃｃｅｓｓｏｒと、ＡＭＣＣ  ＰＨＹとを介して、ＴＷＤＭ  ＰＭＤ  Ｌａｙｅｒが有するＡＭＣＣ  ＰＭＣ及びＣｏｎｖｅｎｔｉｏｎａｌ  ＴＷＤＭ  ＰＭＤのうち、ＡＭＣＣ  ＰＭＣと接続される。
【００９４】
図２３は、ユーザデータに加えて、ＰＬＯＡＭ、ＯＭＣＩもＳＷ経由で図５の１４又は１５又は１６から対応するものを受ける場合の例である。図２３に示すように各アプリは、省電力アプリ、プロテクションアプリ、高速監視アプリ、ＤＢＡアプリ、ＤＷＡアプリ、ＯＮＵ登録認証アプリを用いる。ＴＷＤＭ  ＴＣ  Ｌａｙｅｒにおいて、（１）ではＰＨＹ  ｂｕｒｓｔ  ｔｉｍｉｎｇ  ａｎｄ  Ｐｒｏｆｉｌｅ  Ｃｏｎｔｒｏｌを有し、（２）ではＵｐｓｔｒｅａｍ  Ｂａｎｄｗｉｄｔｈ  Ｍａｎａｇｅｍｅｎｔ（ｍｇｍｔ．）  ＤＢＡ  ｃｏｎｔｒｏｌとＦＳ  Ｆｒａｍｅ／ＢｕｒｓｔとしてＰＬＯＡＭ  ｐａｒｔｉｔｉｏｎとＥｍｂｅｄｄｅｄ  Ｈｅａｄｅｒ  ＦｉｅｌｄｓとＸＧＥＭ  Ｐａｒｔｉｔｉｏｎを有し、（３）ではＵｓｅｒ  Ｄａｔａ  ＡｄａｐｔｅｒとＯＭＣＩ  ＡｄａｐｔｅｒとＸＧＥＭ  Ｅｎｇｉｎｅを有する。
【００９５】
Ｕｓｅｒ  ｄａｔａ  Ｃｌｉｅｎｔ及びＯＭＣＩ  Ｃｌｉｅｎｔは、それぞれＵｓｅｒ  Ｄａｔａ  ＡｄａｐｔｅｒとＯＭＣＩ  ＡｄａｐｔｅｒとＳＷ経由により接続されている。Ｕｓｅｒ  Ｄａｔａ  Ａｄａｐｔｅｒは、Ｓｅｃｕｒｉｔｙ  ｋｅｙ  ｍｇｍｔとＯＮＵ  Ｐｏｗｅｒ  Ｍａｎａｇｅｍｅｎｔ（ｍｇｍｔ．）とＴＷＤＭ  Ｃｈａｎｎｅｌ  Ｍａｎａｇｅｍｅｎｔ（ｍｇｍｔ．）とＰｒｏｔｅｃｔｉｏｎを有するＴＷＤＭ  ＴＣ  Ｆｕｎｃｔｉｏｎｓと、ＰＬＯＡＭ  Ｐｒｏｃｃｅｓｓｏｒと、ＡＭＣＣ  ＰＨＹとを介して、ＴＷＤＭ  ＰＭＤ  Ｌａｙｅｒが有するＡＭＣＣ  ＰＭＣ及びＣｏｎｖｅｎｔｉｏｎａｌ  ＴＷＤＭ  ＰＭＤのうち、ＡＭＣＣ  ＰＭＣと接続される。なお、図２３に示すＰＬＯＡＭ  Ｐｒｏｃｃｅｓｓｏｒ及びＡＭＣＣ  ＰＨＹ間と、ＦＳ  Ｆｒａｍｅ／ＢｕｒｓｔのＰＬＯＡＭ  Ｐａｒｔｉｔｉｏｎ及びＰＬＯＡＭ  Ｐｒｏｃｃｅｓｓｏｒ間と、ＦＳ  Ｆｒａｍｅ／ＢｕｒｓｔのＥｍｂｅｄｄｅｄ  Ｈｅａｄｅｒ  Ｆｉｅｌｄｓ及びＴＷＤＭ  ＴＣ  Ｆｕｎｃｔｉｏｎｓ間とは、ＳＷ経由により接続されている。
【００９６】
なお、図１及び図２の例では、ソフト化領域を、基本機能、管理・制御エージェント、拡張機能Ａ、Ｂ、Ｃ、ミドルウェアとしたが、ソフト化領域は、サービスアダプテーション（暗号化、フラグメント処理、ＧＥＭ（ＧＰＯＮ  Ｅｎｃａｐｓｕｌａｔｉｏｎ  Ｍｅｔｈｏｄ）フレーム化）／ＸＧＥＭ（ＸＧＰＯＮ  Ｅｎｃａｐｓｕｌａｔｉｏｎ  Ｍｅｔｈｏｄ）フレーム化）Ｘ、ＰＨＹアダプテーションのＦＥＣ、スクランブル、同期ブロック生成／抽出、ＧＴＣ（ＧＰＯＮ  Ｔｒａｎｓｍｉｓｓｉｏｎ  Ｃｏｎｖｅｒｇｅｎｃｅ）フレーム化、ＰＨＹフレーム化、ＳＰ変換、符号化方式も対象としてもよい。
【００９７】
アーキテクチャのソフト化機能の実装例とハードウェアに対応する機能配備の例を説明する。機能配備は、例えば、ネットワーク機器又は外部のサーバにソフト化機能を備える。
【００９８】
複数のＯＳＵ、スイッチ、情報処理部及び制御部を備えるＯＬＴを想定する。各ＯＳＵは、波長毎に異なる送受信部を備える。この場合、ミドルウェアが各ＯＳＵ及びスイッチに搭載され、機器無依存アプリなどのソフト化領域が情報処理部に搭載される。
【００９９】
情報処理部すなわちＣＰＵは、機器無依存アプリを実行する。機器無依存アプリは、ＯＳＵ用の拡張機能と、スイッチ用の拡張機能と、制御部用の拡張機能と、を含む。ＯＳＵ用の拡張機能は、例えば、省電力アプリ、プロテクションアプリ、ＤＢＡアプリ、ＯＮＵ登録認証アプリである。スイッチ用の拡張機能は、例えば、ＭＬＤプロキシアプリである。制御部用の拡張機能は、例えば、低速監視アプリ（ＯＭＣＩ）、低速監視アプリ（ＥＭＳ（例えば、ＯＳＳ（Ｏｐｅｒａｔｉｏｎ  Ｓｕｐｐｏｒｔ  Ｓｙｓｔｅｍ））−ＩＦ（ＩｎｔｅｒＦａｃｅ）、設定・管理アプリである。Ｇ．９８９．３の場合、例えば、上述した図１８、２１〜２３に示すようになる。
【０１００】
ＤＢＡアプリの場合、図１及び図２に示すミドルウェア又は図３及び図４に示す基本機能は、ＴＣレイヤのハードウェアであるＥｍｂｅｄｄｅｄ  ＯＡＭ  Ｅｎｇｉｎｅを動作させる。そして、ＰＭＤレイヤのハードウェアである送受信部がＤＢＡアプリに従って受信する。なお、送受信部がＤＢＡに従わない上り信号でも受信する場合は、ＤＢＡアプリに従わないとしてもよい。
【０１０１】
情報処理部は、これらのソフト化機能に限らず、それ以外のソフト化機能を備えていてもよい。ハードウェアは、送受信部、ＯＳＵ、スイッチ、制御部、情報処理部に限らない。例えば、情報処理部は、送受信部、ＯＳＵ、スイッチ、制御部に含まれていてもよい。また後述の構成例の図に示すように、スイッチのＮＮＩ（Ｎｅｔｗｏｒｋ−Ｎｅｔｗｏｒｋ  Ｉｎｔｅｒｆａｃｅ）側にスイッチに入出力する信号を処理するプロキシ部または外部サーバを備えていてもよい。外部サーバは、複数の装置を備えるデータセンタ等のいわゆるクラウドと呼ばれる情報処理機能であってもよい。
【０１０２】
各機能は処理能力や処理遅延の要求に応じて適宜配置してもよい。また、ＯＳＵにスイッチ（後述のスイッチ部１２又はスイッチ部１３）を備えていてもよいし、スイッチとは別途スイッチ（後述のスイッチ部１３を備える場合のスイッチ部１２）を備えていてもよい。スイッチの機能はスイッチ部１２とスイッチ部１３で重複せずにスイッチの処理能力等に従って適宜分担することが望ましいが、重複してもよい。
【０１０３】
ソフト化機能を配備する箇所は、情報処理部に限らず、複数の演算処理可能な箇所に配置してもよい。例えば、ソフト化機能を配備する箇所は、送受信部、ＯＳＵのスイッチ、ＯＳＵのスイッチ以外、ＯＬＴの制御部、ＯＬＴのスイッチ、ＯＬＴの情報処理部、ＯＬＴのスイッチと制御部と情報処理部以外、スイッチのＮＮＩ側にスイッチに入出力する信号を処理するプロキシ部また外部サーバ等の処理装置のいずれかであってもよい。
【０１０４】
また、ソフト化機能の配置は、ソフト化機能毎であってもよいし、単一のソフト化機能を分割したソフト化機能の一部であってもよい。例えば、送受信部に関するものを送受信部以外の他の箇所、例えば、ＯＳＵのスイッチ、ＯＳＵの送受信部以外且つスイッチ以外、ＯＬＴのスイッチ、ＯＬＴの制御部、ＯＬＴの情報処理部、ＯＬＴのそれ以外、ＯＬＴの外部で主信号の経路上にあるプロキシ部、外部サーバ等のどこか又は複数の配備場所の組み合わせに配備してもよい。ＰＯＮ終端に関するものをＰＯＮ終端処理配備箇所以外の他の箇所、例えば、ＯＳＵの送受信部、ＯＳＵのスイッチ、ＯＳＵの送受信部以外且つスイッチ以外、ＯＬＴのスイッチ、ＯＬＴの制御部、ＯＬＴの情報処理部、ＯＬＴのそれ以外、ＯＬＴの外部で主信号の経路上にあるプロキシ部、外部サーバ等のどこか又は複数の配備場所の組み合わせに配備してもよい。
【０１０５】
ＯＮＵのスイッチに関するものをＯＮＵのスイッチ以外の他の箇所、例えば、送受信部、ＯＳＵの送受信部以外且つスイッチ以外、ＯＬＴのスイッチ、ＯＬＴの制御部、ＯＬＴの情報処理部、ＯＬＴのそれ以外、ＯＬＴの外部で主信号の経路上にあるプロキシ部、外部サーバ等のどこか又は複数の配備場所の組み合わせに配備してもよい。ＯＬＴのスイッチに関するものをＯＬＴのスイッチ以外の他の箇所、例えば、送受信部、ＯＳＵのスイッチ、ＯＳＵの送受信部以外且つスイッチ以外、ＯＬＴの制御部、ＯＬＴの情報処理部、ＯＬＴのそれ以外、ＯＬＴの外部で主信号の経路上にあるプロキシ部、外部サーバ等のどこか又は複数の配備場所の組み合わせに配備してもよい。
【０１０６】
また、ソフト化機能を配備する箇所は拡張機能の配備の状況や、演算可能な箇所の演算能力や演算負荷や消費電力等に応じて、適宜変更してもよい。
【０１０７】
ここで、図１７を参照してＯＬＴの主信号処理に係る主要な機能と機能間の関係を説明する。ＯＬＴ機能をスイッチに移行する。ＰＨＹアダプテーション機能、フレーム化機能、サービスアダプテーション機能などのＰＯＮ区間処理を行うＰＯＮ主信号処理機能を、送受信部に配備する。ＯＮＵ登録／認証機能、ＤＢＡ制御機能、ＤＷＡ機能などのＰＯＮアクセス制御機能を情報処理部に配備する。フレーム化で利用されるＶＬＡＮ制御、シェーパの前段の優先制御、ＭｕＸ／Ｄｍｕｘ及びＱｕｅｕｅ、並びにフレーム化の前段のシェーパなどのＬ２主信号処理機能をスイッチに配備する。シェーパの前段のコピー機能、コピーで利用されるＭＬＤ（Ｍｕｌｔｉｃａｓｔ  Ｌｉｓｔｅｎｅｒ  Ｄｉｓｃｏｖｅｒ）プロキシなどのマルチキャスト機能をスイッチに配備する。このように、ＰＯＮに配備されていたＰＯＮ主信号処理機能及びＰＯＮアクセス制御機能をスイッチに配備することで、ＰＯＮ基本機能を縮小する。特に、Ｌ２主信号処理は重複を避け、スイッチに配備することが好ましい。
【０１０８】
なお、スイッチの機能として、Ｃｌａｓｓｉｆｉｅｒ、Ｍｏｄｉｆｉｅｒ、Ｐｏｌｉｃｅｒ／Ｓｈａｐｅｒ、Ｃｒｏｓｓ  Ｃｏｎｎｅｃｔ、Ｑｕｅｕｅ、Ｓｃｈｅｄｕｌｅｒの順に備える前提で例示したが適宜変更してもよい。例えば、上り方向であり、帯域割当単位の中で処理を行わなければ、ＯＮＵからの入力をバースト送信のためのプリアンブルやバーストオーバーヘッドを外し、フレームをデカプセル化したり、ＬＬＩＤを外したりして、ＰＯＮを終端のみし、Ｃｌａｓｓｉｆｉｅｒ、Ｍｏｄｉｆｉｅｒ、Ｐｏｌｉｃｅｒ／Ｓｈａｐｅｒ、Ｃｒｏｓｓ  Ｃｏｎｎｅｃｔ、Ｑｕｅｕｅ、Ｓｃｈｅｄｕｌｅｒの全ての機能をスイッチで実施してもよいし、スイッチでＭｏｄｉｆｉｅｒ、Ｃｒｏｓｓ  Ｃｏｎｎｅｃｔ、Ｑｕｅｕｅ、  Ｓｃｈｅｄｕｌｅｒのみしてもよい。
【０１０９】
更に、ＰＯＮ終端後のパス等を記載するＶＩＤ等をＯＮＵで付与すれば、Ｃｒｏｓｓ  Ｃｏｎｎｅｃｔ、  Ｑｕｅｕｅ、  Ｓｃｈｅｄｕｌｅｒすればよい。上位ネットワークが単一パスと見做せれば、Ｑｕｅｕｅ、  Ｓｃｈｅｄｕｌｅｒでよい。また、Ｃｒｏｓｓ  Ｃｏｎｎｅｃｔでフレームが衝突しないようにＤＢＡすれば、Ｃｌａｓｓｉｆｉｅｒ、  Ｍｏｄｉｆｉｅｒ、Ｐｏｌｉｃｅｒ／Ｓｈａｐｅｒ、Ｃｒｏｓｓ  Ｃｏｎｎｅｃｔとすることができる。更に、上り方向であり、帯域割当単位の中で処理を行わなければ、ＯＮＵからの入力をバースト送信のためのプリアンブルやバーストオーバーヘッドを外し、フレームをデカプセル化したり、ＬＬＩＤを外したりして、ＰＯＮを終端のみし、ＰＯＮ終端後のパス等を記載するＶＩＤ等をＯＮＵで付与すれば、Ｃｒｏｓｓ  Ｃｏｎｎｅｃｔのみとすることもできる。
【０１１０】
また、Ｃｌａｓｓｉｆｉｅｒ、Ｍｏｄｉｆｉｅｒ、Ｐｏｌｉｃｅｒ／Ｓｈａｐｅｒ、Ｃｒｏｓｓ  Ｃｏｎｎｅｃｔ、Ｑｕｅｕｅ、Ｓｃｈｅｄｕｌｅｒで、Ｃｌａｓｓｉｆｉｅｒ、Ｐｏｌｉｃｅｒ／Ｓｈａｐｅｒ、Ｍｏｄｉｆｉｅｒ、Ｃｒｏｓｓ  Ｃｏｎｎｅｃｔ、Ｑｕｅｕｅ、Ｓｃｈｅｄｕｌｅｒとしてもよいし、Ｐｏｌｉｃｅｒ／Ｓｈａｐｅｒの前段にＱｕｅｕｅを置いて、Ｃｌａｓｓｉｆｉｅｒ、Ｍｏｄｉｆｉｅｒ、Ｑｕｅｕｅ、Ｐｏｌｉｃｅｒ／Ｓｈａｐｅｒ、Ｃｒｏｓｓ  Ｃｏｎｎｅｃｔ、Ｓｃｈｅｄｕｌｅｒとしたり、Ｃｌａｓｓｉｆｉｅｒ、Ｑｕｅｕｅ、Ｐｏｌｉｃｅｒ／Ｓｈａｐｅｒ、Ｍｏｄｉｆｉｅｒ、Ｃｒｏｓｓ  Ｃｏｎｎｅｃｔ、Ｓｃｈｅｄｕｌｅｒとしてもよい。ＰＯＮのバースト伝送や、マルチキャスト等の優先トラフィックを多重することによって生ずるバースト性による不要のＰｏｌｉｃｉｎｇ／Ｓｈａｐｉｎｇや、受信側での平準化したトラフィックの受信を考慮するとＰｏｌｉｃｅｒ／Ｓｈａｐｅｒの前段にＱｕｅｕｅを置いて平準化した後にＰｏｌｉｃｉｎｇ／Ｓｈａｐｉｎｇすることが望ましい。
【０１１１】
以下、図５を参照して、本実施形態について説明する。本実施形態に係る通信システムは、送受信部（ＴＲｘ）１１と、スイッチ部（ＳＷ）１２と、スイッチ部（ＳＷ）１３と、制御部１４と、プロキシ部１５と、外部サーバ１６と、の少なくとも一部を備える。図２では、異なる波長（λＡ〜λＮ）の送受信部が同一のスイッチ部１２に接続されている構成を示すが、本実施形態はこれに限定されない。例えば、異なる波長（λＡ〜λＮ）の送受信部が同一のスイッチ部１２に接続されている構成に加えて、同一の波長の送受信部が同一のスイッチ部１２に接続されていてもよい。
【０１１２】
ＯＬＴは、送受信部１１から制御部１４を備えていてもよいし、これらに加えて外部サーバ１６を備えてもよい。また、ＯＳＵは、送受信部１１でもよいし、これに加えてスイッチ部（ＳＷ）１２又は１３を備えてもよい。
【０１１３】
通信システム構成（１−１）は、送受信部（ＴＲｘ）１１と、スイッチ部（ＳＷ）１２と、スイッチ部（ＳＷ）１３と、制御部１４と、プロキシ部１５と、外部サーバ１６と、を備える（図５）。
【０１１４】
ＯＬＴは、送受信部（ＴＲｘ）１１と、スイッチ部（ＳＷ）１２と、スイッチ部（ＳＷ）１３と、制御部１４とから構成してもよいし、送受信部（ＴＲｘ）１１と、スイッチ部（ＳＷ）１２と、スイッチ部（ＳＷ）１３と、制御部１４と、外部サーバ１６とから構成してもよい。ＯＳＵは、送受信部（ＴＲｘ）１１とから構成してもよいし、送受信部（ＴＲｘ）１１と、スイッチ部（ＳＷ）１２とから構成してもよいし、送受信部（ＴＲｘ）１１と、スイッチ部（ＳＷ）１３とから構成してもよい。
【０１１５】
異なる波長（λＡ〜λＮ）の送受信部（ＴＲｘ）１１がスイッチ部１２に接続されている。ＴＲｘ１１は自律、又はＳＷ１２やＳＷ１３や制御部１４やプロキシ部１５や外部サーバ１６等の他の構成要素からの制御、又はＳＷ１２やＳＷ１３や制御部１４やプロキシ部１５や外部サーバ１６等の他の構成要素を介して転送された制御で制御され、ＯＤＮ又はＳＷ１２のトラフィックの一部又はその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つ又はその組み合わせで処理する。
【０１１６】
スイッチ部（ＳＷ）１２がスイッチ部（ＳＷ）１３に接続される。ここで本通信システム構成では、上り通信に関しても集約されるとは限らない。１−１の構成では、ＯＮＵ側からみて後段の装置（本通信システム構成ではＳＷ１２で例示するが、ＳＷ１３やプロキシ部１５等でよい）は波長毎への振り分けが主であるが、分配、集約、そのまま透過、ＶＩＤや優先廃棄を表すタグ等のタグ付加又は付替して、そのまま透過、ＶＩＤや優先廃棄を表すタグ等のタグ付加又は付替してもよい。
【０１１７】
１−２の構成では、上りトラヒックは集約するが主であるが、分配、振分、そのまま透過、タグ付加又は付替してもよく、下りトラフィックも分配、集約、振り分け、透過、タグ付加又は付替であってもよい。更に、１−１と１−２の組み合わせでは分配、集約、振り分け、透過、タグ付加又は付替のいずれかであってもよく、少なくとも一部の組み合わせであってもよい。そのいずれとなるかはサービスポリシーに応じて決定する。これは以降の通信システム構成でも同様である。上述した１−１の構成及び１−２の構成例を以下に列挙する。
【０１１８】
１−１の構成は、下から準拠する標準や製造ベンダに依存する機器依存部と、機器依存部のハードウェアやソフトウェアの違いを隠蔽するミドルウェア、機器に依存しない汎用の機器無依存アプリを備える。ミドルウェアと機器無依存アプリは機器無依存ＡＰＩ２１で接続され、ミドルウェアと機器依存部のソフトウェアやＯＡＭやハードウェアは機器依存ＡＰＩ２３で接続され、ミドルウェアとＮＥ管理・制御部は機器依存ＡＰＩ２５で接続される。
【０１１９】
１−２の構成は、１−１においてＴＷＤＭ−ＰＯＮに用いられる構成例を示したが、ＴＤＭ−ＰＯＮに適用してもよい。ＴＤＭ−ＰＯＮでは、λ設定切替（ＤＷＡ）のようなＯＮＵの間のＯＮＵ−ＯＬＴのＰＯＮ区間の波長リソースを波長分割多重する機能を備えていなくてもよいことを除けば実施形態１−１と同様である。
【０１２０】
ＳＷ１２は自律、又はＴＲｘ１１やＳＷ１３や制御部１４やプロキシ部１５や外部サーバ１６等の他の構成要素からの制御、又はＴＲｘ１１やＳＷ１３や制御部１４やプロキシ部１５や外部サーバ１６等の他の構成要素を介して転送された制御で制御され、ＴＲｘ１１又はＳＷ１３のトラフィックの一部又はその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部又はその組み合わせで処理する。
【０１２１】
ここで、制御部１４は１１から１５（本通信システム構成ではＴＲｘ１１、ＳＷ１２、ＳＷ１３、プロキシ部１５）の少なくとも一つを制御する場合と、制御せずに通信システム構成に備える１１から１５（本通信システム構成ではＴＲｘ１１、ＳＷ１２、ＳＷ１３、プロキシ部１５）の少なくとも一つに制御情報を転送する場合がある。転送元としては、例えば、プロキシ部１５や外部サーバ１６が列挙できる。また、通信システム構成に備える１１から１５のいずれかが自律で動く場合もある。これは以降の通信システム構成例でも同様である。
【０１２２】
スイッチ部（ＳＷ）１３はプロキシ部１５に直接、又は複数のＯＬＴから／へのトラフィックを集約や分配や振分や複製や折返や透過の少なくとも一部をする集線ＳＷ等を介して接続される。ＳＷ１３は自律、又はＴＲｘ１１やＳＷ１２や制御部１４やプロキシ部１５や外部サーバ１６等の他の構成要素からの制御、又はＴＲｘ１１やＳＷ１２や制御部１４やプロキシ部１５や外部サーバ１６等の他の構成要素を介して転送された制御で制御され、ＳＷ１２又はプロキシ部１５のトラフィックの一部又はその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部又はその組み合わせで処理する。
【０１２３】
制御部１４は、ＴＲｘ１１又はＳＷ１２又はＳＷ１３又はプロキシ部１５又は外部サーバ１６又は外部のオペレーションシステム（不図示）やコントローラ（不図示）や外部の装置（不図示）と接続される。制御部１４は、ＴＲｘ１１やＳＷ１２やＳＷ１３やプロキシ部１５や外部サーバ１６等の他の構成要素を制御、又はＴＲｘ１１やＳＷ１２やＳＷ１３やプロキシ部１５や外部サーバ１６等の他の構成要素を介して制御を転送する。ここで、本実施形態では、プロキシ１５はＯＬＴから／へのデータ経路上に設置することを想定している。但し、間に他の装置（例えば、複数のＯＬＴから／へのトラフィックを集約／分配する集線ＳＷ等）を介在する場合がある。このため、直接接続されるとは限らない場合がある。制御の流れとしては、ＴＲｘ１１、ＳＷ１２、ＳＷ１３、コント版１４、サーバ１６が列挙できる。
【０１２４】
プロキシ部１５は上位側の装置（不図示）に直接、又は複数のＯＬＴから／へのトラフィックを集約や分配や振分や複製や折返や透過の少なくとも一部をする集線ＳＷ等を介して接続される。プロキシ部１５は自律、又はＴＲｘ１１やＳＷ１２やＳＷ１３や制御部１４や外部サーバ１６等の他の構成要素からの制御、又はＴＲｘ１１やＳＷ１２やＳＷ１３や制御部１４や外部サーバ１６等の他の構成要素を介して転送された制御で制御され、ＳＷ１３又は上位側の装置（不図示）のトラフィックの一部又はその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部又はその組み合わせで処理する。
【０１２５】
外部サーバ１６は、ＴＲｘ１１又はＳＷ１２又はＳＷ１３又は制御部１４又はプロキシ部１５又は外部のオペレーションシステム（不図示）やコントローラ（不図示）や外部の装置（不図示）と接続される。外部サーバ１６は、ＴＲｘ１１やＳＷ１２やＳＷ１３や制御部１４やプロキシ部１５等の他の構成要素を制御、又はＴＲｘ１１やＳＷ１２やＳＷ１３や制御部１４やプロキシ部１５等の他の構成要素を介して制御を転送する。
【０１２６】
ＴＲｘ１１やＳＷ１２やＳＷ１３や制御部１４やプロキシ部１５や外部サーバ１６は、ＴＲｘ１１やＳＷ１２やＳＷ１３やプロキシ部１５や外部サーバ１６等の他の構成要素のトラフィックの一部又はその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１２やＳＷ１３やプロキシ部１５や外部サーバ１６等の他の構成要素又は外部のオペレーションシステム（不図示）やコントローラ（不図示）や外部の装置（不図示）に送付してもよい。
【０１２７】
通信システム構成（１−２）は、通信システム構成１−１において、同一の波長の送受信部（ＴＲｘ）１１（λＡ〜λＡ）、送受信部（ＴＲｘ）１１（λＢ〜λＢ）、・・・、送受信部（ＴＲｘ）１１（λＮ〜λＮ）がスイッチ部１２に接続されている。一部の波長のＴＲｘ１１が複数とそれ以外の波長のＴＲｘ１１がＯＮＵ側からみて後段の装置（本通信システム構成例ではＳＷ１２）に接続されていてもよい。他は同様である。
【０１２８】
通信システム構成（２−１）は、送受信部（ＴＲｘ）１１と、スイッチ部（ＳＷ）１２と、スイッチ部（ＳＷ）１３と、制御部１４と、プロキシ部１５と、を備える（図２）。異なる波長（λＡ〜λＮ）の送受信部（ＴＲｘ）１１がスイッチ部１２に接続されている。
【０１２９】
ＴＲｘ１１は自律、又はＳＷ１２やＳＷ１３や制御部１４やプロキシ部１５等の他の構成要素からの制御、又はＳＷ１２やＳＷ１３や制御部１４やプロキシ部１５等の他の構成要素を介して転送された制御で制御され、ＯＤＮ又はＳＷ１２のトラフィックの一部又はその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つ又はその組み合わせで処理する。
【０１３０】
スイッチ部（ＳＷ）１２がスイッチ部（ＳＷ）１３に接続される。ＳＷ１２は自律、又はＴＲｘ１１やＳＷ１３や制御部１４やプロキシ部１５等の他の構成要素からの制御、又はＴＲｘ１１やＳＷ１３や制御部１４やプロキシ部１５等の他の構成要素を介して転送された制御で制御され、ＴＲｘ１１又はＳＷ１３のトラフィックの一部又はその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部又はその組み合わせで処理する。
【０１３１】
スイッチ部（ＳＷ）１３はプロキシ部１５に直接、又は複数のＯＬＴから／へのトラフィックを集約や分配や振分や複製や折返や透過の少なくとも一部をする集線ＳＷ等を介して接続される。ＳＷ１３は自律、又はＴＲｘ１１やＳＷ１２や制御部１４やプロキシ部１５等の他の構成要素からの制御、又はＴＲｘ１１やＳＷ１２や制御部１４やプロキシ部１５等の他の構成要素を介して転送された制御で制御され、ＳＷ１２又はプロキシ部１５のトラフィックの一部又はその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部又はその組み合わせで処理する。
【０１３２】
制御部１４は、ＴＲｘ１１又はＳＷ１２又はＳＷ１３又はプロキシ部１５又は外部のオペレーションシステム（不図示）やコントローラ（不図示）や外部の装置（不図示）と接続される。制御部１４は、ＴＲｘ１１やＳＷ１２やＳＷ１３やプロキシ部１５等の他の構成要素を制御、又はＴＲｘ１１やＳＷ１２やＳＷ１３やプロキシ部１５等の他の構成要素を介して制御を転送する。プロキシ部１５は上位側の装置（不図示）に直接、又は複数のＯＬＴから／へのトラフィックを集約や分配や振分や複製や折返や透過の少なくとも一部をする集線ＳＷ等を介して接続される。
【０１３３】
プロキシ部１５は自律、又はＴＲｘ１１やＳＷ１２やＳＷ１３や制御部１４等の他の構成要素からの制御、又はＴＲｘ１１やＳＷ１２やＳＷ１３や制御部１４等の他の構成要素を介して転送された制御で制御され、ＳＷ１３又は上位側の装置（不図示）のトラフィックの一部又はその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部又はその組み合わせで処理する。
【０１３４】
ＴＲｘ１１やＳＷ１２やＳＷ１３や制御部１４やプロキシ部１５は、ＴＲｘ１１やＳＷ１２やＳＷ１３やプロキシ部１５等の他の構成要素のトラフィックの一部又はその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１２やＳＷ１３やプロキシ部１５等の他の構成要素又は外部のオペレーションシステム（不図示）やコントローラ（不図示）や外部の装置（不図示）に送付してもよい。
【０１３５】
通信システム構成（２−２）は、通信システム構成２−１において、同一の波長の送受信部（ＴＲｘ）１１（λＡ〜λＡ）、送受信部（ＴＲｘ）１１（λＢ〜λＢ）、・・・、送受信部（ＴＲｘ）１１（λＮ〜λＮ）がスイッチ部１２に接続されている。一部の波長のＴＲｘ１１が複数とそれ以外の波長のＴＲｘ１１がＯＮＵ側からみて後段の装置に接続されていてもよい。他は同様である。
【０１３６】
通信システム構成（３−１）は、送受信部（ＴＲｘ）１１と、スイッチ部（ＳＷ）１２と、スイッチ部（ＳＷ）１３と、制御部１４と、外部サーバ１６と、を備える（図２）。異なる波長（λＡ〜λＮ）の送受信部（ＴＲｘ）１１がスイッチ部１２に接続されている。
【０１３７】
ＴＲｘ１１は自律、又はＳＷ１２やＳＷ１３や制御部１４や外部サーバ１６等の他の構成要素からの制御、又はＳＷ１２やＳＷ１３や制御部１４や外部サーバ１６等の他の構成要素を介して転送された制御で制御され、ＯＤＮ又はＳＷ１２のトラフィックの一部又はその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つ又はその組み合わせで処理する。
【０１３８】
スイッチ部（ＳＷ）１２がスイッチ部（ＳＷ）１３に接続される。ＳＷ１２は自律、又はＴＲｘ１１やＳＷ１３や制御部１４や外部サーバ１６等の他の構成要素からの制御、又はＴＲｘ１１やＳＷ１３や制御部１４や外部サーバ１６等の他の構成要素を介して転送された制御で制御され、ＴＲｘ１１又はＳＷ１３のトラフィックの一部又はその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部又はその組み合わせで処理する。
【０１３９】
スイッチ部（ＳＷ）１３は上位側の装置（不図示）に直接、又は複数のＯＬＴから／へのトラフィックを集約や分配や振分や複製や折返や透過の少なくとも一部をする集線ＳＷ等を介して接続される。ＳＷ１３は自律、又はＴＲｘ１１やＳＷ１２や制御部１４や外部サーバ１６等の他の構成要素からの制御、又はＴＲｘ１１やＳＷ１２や制御部１４や外部サーバ１６等の他の構成要素を介して転送された制御で制御され、ＳＷ１２のトラフィックの一部又はその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部又はその組み合わせで処理する。
【０１４０】
制御部１４は、ＴＲｘ１１又はＳＷ１２又はＳＷ１３又は外部サーバ１６又は外部のオペレーションシステム（不図示）やコントローラ（不図示）や外部の装置（不図示）と接続される。制御部１４は、ＴＲｘ１１やＳＷ１２やＳＷ１３や外部サーバ１６等の他の構成要素を制御、又はＴＲｘ１１やＳＷ１２やＳＷ１３や外部サーバ１６等の他の構成要素を介して制御を転送する。外部サーバ１６は、ＴＲｘ１１又はＳＷ１２又はＳＷ１３又は制御部１４又は外部のオペレーションシステム（不図示）やコントローラ（不図示）や外部の装置（不図示）と接続される。外部サーバ１６は、ＴＲｘ１１やＳＷ１２やＳＷ１３や制御部１４等の他の構成要素を制御、又はＴＲｘ１１やＳＷ１２やＳＷ１３や制御部１４等の他の構成要素を介して制御を転送する。
【０１４１】
ＴＲｘ１１やＳＷ１２やＳＷ１３や制御部１４や外部サーバ１６は、ＴＲｘ１１やＳＷ１２やＳＷ１３や外部サーバ１６等の他の構成要素のトラフィックの一部又はその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１２やＳＷ１３や外部サーバ１６等の他の構成要素又は外部のオペレーションシステム（不図示）やコントローラ（不図示）や外部の装置（不図示）に送付してもよい。
【０１４２】
通信システム構成（３−２）は、通信システム構成３−１において、同一の波長の送受信部（ＴＲｘ）１１（λＡ〜λＡ）、送受信部（ＴＲｘ）１１（λＢ〜λＢ）、・・・、送受信部（ＴＲｘ）１１（λＮ〜λＮ）がスイッチ部１２に接続されている。一部の波長のＴＲｘ１１が複数とそれ以外の波長のＴＲｘ１１がＳＷ１２に接続されていてもよい。他は同様である。
【０１４３】
通信システム構成（４−１）は、送受信部（ＴＲｘ）１１と、スイッチ部（ＳＷ）１２と、スイッチ部（ＳＷ）１３と、プロキシ部１５と、外部サーバ１６と、を備える（図２）。異なる波長（λＡ〜λＮ）の送受信部（ＴＲｘ）１１がスイッチ部１２に接続されている。
【０１４４】
ＴＲｘ１１は自律、又はＳＷ１２やＳＷ１３やプロキシ部１５や外部サーバ１６等の他の構成要素からの制御、又はＳＷ１２やＳＷ１３やプロキシ部１５や外部サーバ１６等の他の構成要素を介して転送された制御で制御され、ＯＤＮ又はＳＷ１２のトラフィックの一部又はその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つ又はその組み合わせで処理する。
【０１４５】
スイッチ部（ＳＷ）１２がスイッチ部（ＳＷ）１３に接続される。ＳＷ１２は自律、又はＴＲｘ１１やＳＷ１３や制御部１４やプロキシ部１５や外部サーバ１６等の他の構成要素からの制御、又はＴＲｘ１１やＳＷ１３やプロキシ部１５や外部サーバ１６等の他の構成要素を介して転送された制御で制御され、ＴＲｘ１１又はＳＷ１３のトラフィックの一部又はその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部又はその組み合わせで処理する。
【０１４６】
スイッチ部（ＳＷ）１３はプロキシ部１５に直接、又は複数のＯＬＴから／へのトラフィックを集約や分配や振分や複製や折返や透過の少なくとも一部をする集線ＳＷ等を介して接続される。ＳＷ１３は自律、又はＴＲｘ１１やＳＷ１２やプロキシ部１５や外部サーバ１６等の他の構成要素からの制御、又はＴＲｘ１１やＳＷ１２やプロキシ部１５や外部サーバ１６等の他の構成要素を介して転送された制御で制御され、ＳＷ１２又はプロキシ部１５のトラフィックの一部又はその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部又はその組み合わせで処理する。
【０１４７】
プロキシ部１５は上位側の装置（不図示）に直接、又は複数のＯＬＴから／へのトラフィックを集約や分配や振分や複製や折返や透過の少なくとも一部をする集線ＳＷ等を介して接続される。プロキシ部１５は自律、又はＴＲｘ１１やＳＷ１２やＳＷ１３や外部サーバ１６等の他の構成要素からの制御、又はＴＲｘ１１やＳＷ１２やＳＷ１３や外部サーバ１６等の他の構成要素を介して転送された制御で制御され、ＳＷ１３又は上位側の装置（不図示）のトラフィックの一部又はその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部又はその組み合わせで処理する。
【０１４８】
外部サーバ１６は、ＴＲｘ１１又はＳＷ１２又はＳＷ１３又はプロキシ部１５又は外部のオペレーションシステム（不図示）やコントローラ（不図示）や外部の装置（不図示）と接続される。外部サーバ１６は、ＴＲｘ１１やＳＷ１２やＳＷ１３やプロキシ部１５等の他の構成要素を制御、又はＴＲｘ１１やＳＷ１２やＳＷ１３やプロキシ部１５等の他の構成要素を介して制御を転送する。
【０１４９】
ＴＲｘ１１やＳＷ１２やＳＷ１３やプロキシ部１５や外部サーバ１６は、ＴＲｘ１１やＳＷ１２やＳＷ１３やプロキシ部１５や外部サーバ１６等の他の構成要素のトラフィックの一部又はその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１２やＳＷ１３やプロキシ部１５や外部サーバ１６等の他の構成要素又は外部のオペレーションシステム（不図示）やコントローラ（不図示）や外部の装置（不図示）に送付してもよい。
【０１５０】
通信システム構成（４−２）は、通信システム構成４−１において、同一の波長の送受信部（ＴＲｘ）１１（λＡ〜λＡ）、送受信部（ＴＲｘ）１１（λＢ〜λＢ）、・・・、送受信部（ＴＲｘ）１１（λＮ〜λＮ）がスイッチ部１２に接続されている。一部の波長のＴＲｘ１１が複数とそれ以外の波長のＴＲｘ１１がＳＷ１２に接続されていてもよい。他は同様である。
【０１５１】
通信システム構成（５−１）は、送受信部（ＴＲｘ）１１と、スイッチ部（ＳＷ）１２と、制御部１４と、プロキシ部１５と、外部サーバ１６と、を備える（図２）。異なる波長（λＡ〜λＮ）の送受信部（ＴＲｘ）１１がスイッチ部１２に接続されている。
【０１５２】
ＴＲｘ１１は自律、又はＳＷ１２や制御部１４やプロキシ部１５や外部サーバ１６等の他の構成要素からの制御、又はＳＷ１２や制御部１４やプロキシ部１５や外部サーバ１６等の他の構成要素を介して転送された制御で制御され、ＯＤＮ又はＳＷ１２のトラフィックの一部又はその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つ又はその組み合わせで処理する。
【０１５３】
スイッチ部（ＳＷ）１２がプロキシ部１５に直接、又は複数のＯＬＴから／へのトラフィックを集約や分配や振分や複製や折返や透過の少なくとも一部をする集線ＳＷ等を介して接続される。ＳＷ１２は自律、又はＴＲｘ１１や制御部１４やプロキシ部１５や外部サーバ１６等の他の構成要素からの制御、又はＴＲｘ１１や制御部１４やプロキシ部１５や外部サーバ１６等の他の構成要素を介して転送された制御で制御され、ＴＲｘ１１又はプロキシ部１５のトラフィックの一部又はその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部又はその組み合わせで処理する。
【０１５４】
制御部１４は、ＴＲｘ１１又はＳＷ１２又はプロキシ部１５又は外部サーバ１６又は外部のオペレーションシステム（不図示）やコントローラ（不図示）や外部の装置（不図示）と接続される。制御部１４は、ＴＲｘ１１やＳＷ１２やプロキシ部１５や外部サーバ１６等の他の構成要素を制御、又はＴＲｘ１１やＳＷ１２やプロキシ部１５や外部サーバ１６等の他の構成要素を介して制御を転送する。プロキシ部１５は上位側の装置（不図示）に直接、又は複数のＯＬＴから／へのトラフィックを集約や分配や振分や複製や折返や透過の少なくとも一部をする集線ＳＷ等を介して接続される。
【０１５５】
プロキシ部１５は自律、又はＴＲｘ１１やＳＷ１２や制御部１４や外部サーバ１６等の他の構成要素からの制御、又はＴＲｘ１１やＳＷ１２や制御部１４や外部サーバ１６等の他の構成要素を介して転送された制御で制御され、ＳＷ１２又は上位側の装置（不図示）のトラフィックの一部又はその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部又はその組み合わせで処理する。
【０１５６】
外部サーバ１６は、ＴＲｘ１１又はＳＷ１２又は制御部１４又はプロキシ部１５又は外部のオペレーションシステム（不図示）やコントローラ（不図示）や外部の装置（不図示）と接続される。外部サーバ１６は、ＴＲｘ１１やＳＷ１２や制御部１４やプロキシ部１５等の他の構成要素を制御、又はＴＲｘ１１やＳＷ１２や制御部１４やプロキシ部１５等の他の構成要素を介して制御を転送する。
【０１５７】
ＴＲｘ１１やＳＷ１２や制御部１４やプロキシ部１５や外部サーバ１６は、ＴＲｘ１１やＳＷ１２やプロキシ部１５や外部サーバ１６等の他の構成要素のトラフィックの一部又はその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１２やプロキシ部１５や外部サーバ１６等の他の構成要素又は外部のオペレーションシステム（不図示）やコントローラ（不図示）や外部の装置（不図示）に送付してもよい。
【０１５８】
通信システム構成（５−２）は、通信システム構成５−１において、同一の波長の送受信部（ＴＲｘ）１１（λＡ〜λＡ）、送受信部（ＴＲｘ）１１（λＢ〜λＢ）、・・・、送受信部（ＴＲｘ）１１（λＮ〜λＮ）がスイッチ部１２に接続されている。一部の波長のＴＲｘ１１が複数とそれ以外の波長のＴＲｘ１１がＳＷ１２に接続されていてもよい。他は同様である。
【０１５９】
通信システム構成（６−１）は、送受信部（ＴＲｘ）１１と、スイッチ部（ＳＷ）１３と、制御部１４と、プロキシ部１５と、外部サーバ１６と、を備える（図２）。異なる波長（λＡ〜λＮ）の送受信部（ＴＲｘ）１１がＳＷ１３に接続されている。
【０１６０】
ＴＲｘ１１は自律、又はＳＷ１３や制御部１４やプロキシ部１５や外部サーバ１６等の他の構成要素からの制御、又はＳＷ１３や制御部１４やプロキシ部１５や外部サーバ１６等の他の構成要素を介して転送された制御で制御され、ＯＤＮ又はＳＷ１３のトラフィックの一部又はその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つ又はその組み合わせで処理する。
【０１６１】
スイッチ部（ＳＷ）１３はプロキシ部１５に直接、又は複数のＯＬＴから／へのトラフィックを集約や分配や振分や複製や折返や透過の少なくとも一部をする集線ＳＷ等を介して接続される。ＳＷ１３は自律、又はＴＲｘ１１や制御部１４やプロキシ部１５や外部サーバ１６等の他の構成要素からの制御、又はＴＲｘ１１や制御部１４やプロキシ部１５や外部サーバ１６等の他の構成要素を介して転送された制御で制御され、ＴＲｘ１１又はプロキシ部１５のトラフィックの一部又はその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部又はその組み合わせで処理する。
【０１６２】
制御部１４は、ＴＲｘ１１又はＳＷ１３又はプロキシ部１５又は外部サーバ１６又は外部のオペレーションシステム（不図示）やコントローラ（不図示）や外部の装置（不図示）と接続される。制御部１４は、ＴＲｘ１１やＳＷ１３やプロキシ部１５や外部サーバ１６等の他の構成要素を制御、又はＴＲｘ１１やＳＷ１３やプロキシ部１５や外部サーバ１６等の他の構成要素を介して制御を転送する。プロキシ部１５は上位側の装置（不図示）に直接、又は複数のＯＬＴから／へのトラフィックを集約や分配や振分や複製や折返や透過の少なくとも一部をする集線ＳＷ等を介して接続される。
【０１６３】
プロキシ部１５は自律、又はＴＲｘ１１やＳＷ１３や制御部１４や外部サーバ１６等の他の構成要素からの制御、又はＴＲｘ１１やＳＷ１３や制御部１４や外部サーバ１６等の他の構成要素を介して転送された制御で制御され、ＳＷ１３又は上位側の装置（不図示）のトラフィックの一部又はその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部又はその組み合わせで処理する。
【０１６４】
外部サーバ１６は、ＴＲｘ１１又はＳＷ１３又は制御部１４又はプロキシ部１５又は外部のオペレーションシステム（不図示）やコントローラ（不図示）や外部の装置（不図示）と接続される。外部サーバ１６は、ＴＲｘ１１やＳＷ１３や制御部１４やプロキシ部１５等の他の構成要素を制御、又はＴＲｘ１１やＳＷ１３や制御部１４やプロキシ部１５等の他の構成要素を介して制御を転送する。
【０１６５】
ＴＲｘ１１やＳＷ１３や制御部１４やプロキシ部１５や外部サーバ１６は、ＴＲｘ１１やＳＷ１３やプロキシ部１５や外部サーバ１６等の他の構成要素のトラフィックの一部又はその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１３やプロキシ部１５や外部サーバ１６等の他の構成要素又は外部のオペレーションシステム（不図示）やコントローラ（不図示）や外部の装置（不図示）に送付してもよい。
【０１６６】
通信システム構成（６−２）は、通信システム構成６−１において、同一の波長の送受信部（ＴＲｘ）１１（λＡ〜λＡ）、送受信部（ＴＲｘ）１１（λＢ〜λＢ）、・・・、送受信部（ＴＲｘ）１１（λＮ〜λＮ）がＳＷ１３に接続されている。一部の波長のＴＲｘ１１が複数とそれ以外の波長のＴＲｘ１１がＳＷ１３に接続されていてもよい。他は同様である。
【０１６７】
通信システム構成（７−１）は、送受信部（ＴＲｘ）１１と、スイッチ部（ＳＷ）１２と、スイッチ部（ＳＷ）１３と、制御部１４と、を備える（図２）。異なる波長（λＡ〜λＮ）の送受信部（ＴＲｘ）１１がスイッチ部１２に接続されている。
【０１６８】
ＴＲｘ１１は自律、又はＳＷ１２やＳＷ１３や制御部１４等の他の構成要素からの制御、又はＳＷ１２やＳＷ１３や制御部１４等の他の構成要素を介して転送された制御で制御され、ＯＤＮ又はＳＷ１２のトラフィックの一部又はその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つ又はその組み合わせで処理する。
【０１６９】
スイッチ部（ＳＷ）１２がスイッチ部（ＳＷ）１３に接続される。ＳＷ１２は自律、又はＴＲｘ１１やＳＷ１３や制御部１４等の他の構成要素からの制御、又はＴＲｘ１１やＳＷ１３や制御部１４等の他の構成要素を介して転送された制御で制御され、ＴＲｘ１１又はＳＷ１３のトラフィックの一部又はその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部又はその組み合わせで処理する。
【０１７０】
スイッチ部（ＳＷ）１３は上位側の装置（不図示）に直接、又は複数のＯＬＴから／へのトラフィックを集約や分配や振分や複製や折返や透過の少なくとも一部をする集線ＳＷ等を介して接続される。ＳＷ１３は自律、又はＴＲｘ１１やＳＷ１２や制御部１４等の他の構成要素からの制御、又はＴＲｘ１１やＳＷ１２や制御部１４等の他の構成要素を介して転送された制御で制御され、ＳＷ１２又は上位側の装置（不図示）のトラフィックの一部又はその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部又はその組み合わせで処理する。
【０１７１】
制御部１４は、ＴＲｘ１１又はＳＷ１２又はＳＷ１３又は外部のオペレーションシステム（不図示）やコントローラ（不図示）や外部の装置（不図示）と接続される。制御部１４は、ＴＲｘ１１やＳＷ１２やＳＷ１３等の他の構成要素を制御、又はＴＲｘ１１やＳＷ１２やＳＷ１３等の他の構成要素を介して制御を転送する。ＴＲｘ１１やＳＷ１２やＳＷ１３や制御部１４は、ＴＲｘ１１やＳＷ１２やＳＷ１３等の他の構成要素のトラフィックの一部又はその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１２やＳＷ１３等の他の構成要素又は外部のオペレーションシステム（不図示）やコントローラ（不図示）や外部の装置（不図示）に送付してもよい。
【０１７２】
通信システム構成（７−２）は、通信システム構成７−１において、同一の波長の送受信部（ＴＲｘ）１１（λＡ〜λＡ）、送受信部（ＴＲｘ）１１（λＢ〜λＢ）、・・・、送受信部（ＴＲｘ）１１（λＮ〜λＮ）がスイッチ部１２に接続されている。一部の波長のＴＲｘ１１が複数とそれ以外の波長のＴＲｘ１１がＳＷ１２に接続されていてもよい。他は同様である。
【０１７３】
通信システム構成（８−１）は、送受信部（ＴＲｘ）１１と、スイッチ部（ＳＷ）１２と、スイッチ部（ＳＷ）１３と、プロキシ部１５と、を備える（図２）。異なる波長（λＡ〜λＮ）の送受信部（ＴＲｘ）１１がスイッチ部１２に接続されている。
【０１７４】
ＴＲｘ１１は自律、又はＳＷ１２やＳＷ１３やプロキシ部１５等の他の構成要素からの制御、又はＳＷ１２やＳＷ１３やプロキシ部１５等の他の構成要素を介して転送された制御で制御され、ＯＤＮ又はＳＷ１２のトラフィックの一部又はその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つ又はその組み合わせで処理する。
【０１７５】
スイッチ部（ＳＷ）１２がスイッチ部（ＳＷ）１３に接続される。ＳＷ１２は自律、又はＴＲｘ１１やＳＷ１３やプロキシ部１５等の他の構成要素からの制御、又はＴＲｘ１１やＳＷ１３やプロキシ部１５等の他の構成要素を介して転送された制御で制御され、ＴＲｘ１１又はＳＷ１３のトラフィックの一部又はその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部又はその組み合わせで処理する。
【０１７６】
スイッチ部（ＳＷ）１３はプロキシ部１５に直接、又は複数のＯＬＴから／へのトラフィックを集約や分配や振分や複製や折返や透過の少なくとも一部をする集線ＳＷ等を介して接続される。ＳＷ１３は自律、又はＴＲｘ１１やＳＷ１２やプロキシ部１５等の他の構成要素からの制御、又はＴＲｘ１１やＳＷ１２やプロキシ部１５等の他の構成要素を介して転送された制御で制御され、ＳＷ１２又はプロキシ部１５のトラフィックの一部又はその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部又はその組み合わせで処理する。
【０１７７】
プロキシ部１５は上位側の装置（不図示）に直接、又は複数のＯＬＴから／へのトラフィックを集約や分配や振分や複製や折返や透過の少なくとも一部をする集線ＳＷ等を介して接続される。プロキシ部１５は自律、又はＴＲｘ１１やＳＷ１２やＳＷ１３等の他の構成要素からの制御、又はＴＲｘ１１やＳＷ１２やＳＷ１３等の他の構成要素を介して転送された制御で制御され、ＳＷ１３又は上位側の装置（不図示）のトラフィックの一部又はその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部又はその組み合わせで処理する。
【０１７８】
ＴＲｘ１１やＳＷ１２やＳＷ１３やプロキシ部１５は、ＴＲｘ１１やＳＷ１２やＳＷ１３やプロキシ部１５等の他の構成要素のトラフィックの一部又はその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１２やＳＷ１３やプロキシ部１５や等の他の構成要素又は外部のオペレーションシステム（不図示）やコントローラ（不図示）や外部の装置（不図示）に送付してもよい。
【０１７９】
通信システム構成（８−２）は、通信システム構成８−１において、同一の波長の送受信部（ＴＲｘ）１１（λＡ〜λＡ）、送受信部（ＴＲｘ）１１（λＢ〜λＢ）、・・・、送受信部（ＴＲｘ）１１（λＮ〜λＮ）がスイッチ部１２に接続されている。一部の波長のＴＲｘ１１が複数とそれ以外の波長のＴＲｘ１１がＳＷ１２に接続されていてもよい。他は同様である。
【０１８０】
通信システム構成（９−１）は、送受信部（ＴＲｘ）１１と、スイッチ部（ＳＷ）１２と、制御部１４と、プロキシ部１５と、を備える（図２）。異なる波長（λＡ〜λＮ）の送受信部（ＴＲｘ）１１がスイッチ部１２に接続されている。
【０１８１】
ＴＲｘ１１は自律、又はＳＷ１２や制御部１４やプロキシ部１５や等の他の構成要素からの制御、又はＳＷ１２や制御部１４やプロキシ部１５等の他の構成要素を介して転送された制御で制御され、ＯＤＮ又はＳＷ１２のトラフィックの一部又はその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つ又はその組み合わせで処理する。
【０１８２】
スイッチ部（ＳＷ）１２がプロキシ部１５に直接、又は複数のＯＬＴから／へのトラフィックを集約や分配や振分や複製や折返や透過の少なくとも一部をする集線ＳＷ等を介して接続される。ＳＷ１２は自律、又はＴＲｘ１１や制御部１４やプロキシ部１５等の他の構成要素からの制御、又はＴＲｘ１１や制御部１４やプロキシ部１５等の他の構成要素を介して転送された制御で制御され、ＴＲｘ１１又はプロキシ部１５のトラフィックの一部又はその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部又はその組み合わせで処理する。
【０１８３】
制御部１４は、ＴＲｘ１１又はＳＷ１２又はプロキシ部１５又は外部のオペレーションシステム（不図示）やコントローラ（不図示）や外部の装置（不図示）と接続される。制御部１４は、ＴＲｘ１１やＳＷ１２やプロキシ部１５等の他の構成要素を制御、又はＴＲｘ１１やＳＷ１２やプロキシ部１５等の他の構成要素を介して制御を転送する。プロキシ部１５は上位側の装置（不図示）に直接、又は複数のＯＬＴから／へのトラフィックを集約や分配や振分や複製や折返や透過の少なくとも一部をする集線ＳＷ等を介して接続される。
【０１８４】
プロキシ部１５は自律、又はＴＲｘ１１やＳＷ１２や制御部１４等の他の構成要素からの制御、又はＴＲｘ１１やＳＷ１２や制御部１４等の他の構成要素を介して転送された制御で制御され、ＳＷ１２又は上位側の装置（不図示）のトラフィックの一部又はその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０１８５】
ＴＲｘ１１やＳＷ１２や制御部１４やプロキシ部１５は、ＴＲｘ１１やＳＷ１２やプロキシ部１５等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１２やプロキシ部１５等の他の構成要素または外部のオペレーションシステム（不図示）やコントローラ（不図示）や外部の装置（不図示）に送付してもよい。
【０１８６】
通信システム構成（９−２）は、通信システム構成９−１において、同一の波長の送受信部（ＴＲｘ）１１（λＡ〜λＡ）、送受信部（ＴＲｘ）１１（λＢ〜λＢ）、・・・、送受信部（ＴＲｘ）１１（λＮ〜λＮ）がスイッチ部１２に接続されている。一部の波長のＴＲｘ１１が複数とそれ以外の波長のＴＲｘ１１がＳＷ１２に接続されていてもよい。他は同様である。
【０１８７】
通信システム構成（１０−１）は、送受信部（ＴＲｘ）１１と、スイッチ部（ＳＷ）１３制御部１４と、プロキシ部１５と、を備える（図２）。異なる波長（λＡ〜λＮ）の送受信部（ＴＲｘ）１１がＳＷ１３に接続されている。
【０１８８】
ＴＲｘ１１は自律、又はＳＷ１３や制御部１４やプロキシ部１５や外部サーバ１６等の他の構成要素からの制御、又はＳＷ１３や制御部１４やプロキシ部１５等の他の構成要素を介して転送された制御で制御され、ＯＤＮ又はＳＷ１３のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つまたはその組み合わせで処理する。
【０１８９】
スイッチ部（ＳＷ）１３はプロキシ部１５に直接、又は複数のＯＬＴから／へのトラフィックを集約や分配や振分や複製や折返や透過の少なくとも一部をする集線ＳＷ等を介して接続される。ＳＷ１３は自律、又はＴＲｘ１１や制御部１４やプロキシ部１５等の他の構成要素からの制御、又はＴＲｘ１１や制御部１４やプロキシ部１５等の他の構成要素を介して転送された制御で制御され、ＴＲｘ１１又はプロキシ部１５のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０１９０】
制御部１４は、ＴＲｘ１１又はＳＷ１３又はプロキシ部１５又は外部のオペレーションシステム（不図示）やコントローラ（不図示）や外部の装置（不図示）と接続される。制御部１４は、ＴＲｘ１１やＳＷ１３やプロキシ部１５等の他の構成要素を制御、又はＴＲｘ１１やＳＷ１３やプロキシ部１５等の他の構成要素を介して制御を転送する。プロキシ部１５は上位側の装置（不図示）に直接、又は複数のＯＬＴから／へのトラフィックを集約や分配や振分や複製や折返や透過の少なくとも一部をする集線ＳＷ等を介して接続される。
【０１９１】
プロキシ部１５は自律、又はＴＲｘ１１やＳＷ１３や制御部１４等の他の構成要素からの制御、又はＴＲｘ１１やＳＷ１３や制御部１４等の他の構成要素を介して転送された制御で制御され、ＳＷ１３又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０１９２】
ＴＲｘ１１やＳＷ１３や制御部１４やプロキシ部１５は、ＴＲｘ１１やＳＷ１３やプロキシ部１５等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１３やプロキシ部１５等の他の構成要素または外部のオペレーションシステム（不図示）やコントローラ（不図示）や外部の装置（不図示）に送付してもよい。
【０１９３】
通信システム構成（１０−２）は、通信システム構成１０−１において、同一の波長の送受信部（ＴＲｘ）１１（λＡ〜λＡ）、送受信部（ＴＲｘ）１１（λＢ〜λＢ）、・・・、送受信部（ＴＲｘ）１１（λＮ〜λＮ）がＳＷ１３に接続されている。一部の波長のＴＲｘ１１が複数とそれ以外の波長のＴＲｘ１１がＳＷ１３に接続されていてもよい。他は同様である。
【０１９４】
通信システム構成（１１−１）は、送受信部（ＴＲｘ）１１と、スイッチ部（ＳＷ）１２と、スイッチ部（ＳＷ）１３と、外部サーバ１６と、を備える（図２）。異なる波長（λＡ〜λＮ）の送受信部（ＴＲｘ）１１がスイッチ部１２に接続されている。
【０１９５】
ＴＲｘ１１は自律、又はＳＷ１２やＳＷ１３や外部サーバ１６等の他の構成要素からの制御、又はＳＷ１２やＳＷ１３や外部サーバ１６等の他の構成要素を介して転送された制御で制御され、ＯＤＮ又はＳＷ１２のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つまたはその組み合わせで処理する。
【０１９６】
スイッチ部（ＳＷ）１２がスイッチ部（ＳＷ）１３に接続される。ＳＷ１２は自律、又はＴＲｘ１１やＳＷ１３や外部サーバ１６等の他の構成要素からの制御、又はＴＲｘ１１やＳＷ１３や外部サーバ１６等の他の構成要素を介して転送された制御で制御され、ＴＲｘ１１又はＳＷ１３のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０１９７】
スイッチ部（ＳＷ）１３は上位側の装置（不図示）に直接、又は複数のＯＬＴから／へのトラフィックを集約や分配や振分や複製や折返や透過の少なくとも一部をする集線ＳＷ等を介して接続される。ＳＷ１３は自律、又はＴＲｘ１１やＳＷ１２や外部サーバ１６等の他の構成要素からの制御、又はＴＲｘ１１やＳＷ１２や外部サーバ１６等の他の構成要素を介して転送された制御で制御され、ＳＷ１２又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０１９８】
外部サーバ１６は、ＴＲｘ１１又はＳＷ１２又はＳＷ１３又は外部のオペレーションシステム（不図示）やコントローラ（不図示）や外部の装置（不図示）と接続される。外部サーバ１６は、ＴＲｘ１１やＳＷ１２やＳＷ１３等の他の構成要素を制御、又はＴＲｘ１１やＳＷ１２やＳＷ１３等の他の構成要素を介して制御を転送する。
【０１９９】
ＴＲｘ１１やＳＷ１２やＳＷ１３や外部サーバ１６は、ＴＲｘ１１やＳＷ１２やＳＷ１３や外部サーバ１６等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１２やＳＷ１３や外部サーバ１６等の他の構成要素または外部のオペレーションシステム（不図示）やコントローラ（不図示）や外部の装置（不図示）に送付してもよい。
【０２００】
通信システム構成（１１−２）は、通信システム構成１１−１において、同一の波長の送受信部（ＴＲｘ）１１（λＡ〜λＡ）、送受信部（ＴＲｘ）１１（λＢ〜λＢ）、・・・、送受信部（ＴＲｘ）１１（λＮ〜λＮ）がスイッチ部１２に接続されている。一部の波長のＴＲｘ１１が複数とそれ以外の波長のＴＲｘ１１がＳＷ１２に接続されていてもよい。他は同様である。
【０２０１】
通信システム構成（１２−１）は、送受信部（ＴＲｘ）１１と、スイッチ部（ＳＷ）１２と、制御部１４と、外部サーバ１６と、を備える（図２）。異なる波長（λＡ〜λＮ）の送受信部（ＴＲｘ）１１がスイッチ部１２に接続されている。
【０２０２】
ＴＲｘ１１は自律、又はＳＷ１２や制御部１４や外部サーバ１６等の他の構成要素からの制御、又はＳＷ１２や制御部１４や外部サーバ１６等の他の構成要素を介して転送された制御で制御され、ＯＤＮ又はＳＷ１２のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つまたはその組み合わせで処理する。
【０２０３】
スイッチ部（ＳＷ）１２が上位側の装置（不図示）に直接、又は複数のＯＬＴから／へのトラフィックを集約や分配や振分や複製や折返や透過の少なくとも一部をする集線ＳＷ等を介して接続される。ＳＷ１２は自律、又はＴＲｘ１１や制御部１４や外部サーバ１６等の他の構成要素からの制御、又はＴＲｘ１１や制御部１４や外部サーバ１６等の他の構成要素を介して転送された制御で制御され、ＴＲｘ１１又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０２０４】
制御部１４は、ＴＲｘ１１又はＳＷ１２又は外部サーバ１６又は外部のオペレーションシステム（不図示）やコントローラ（不図示）や外部の装置（不図示）と接続される。制御部１４は、ＴＲｘ１１やＳＷ１２や外部サーバ１６等の他の構成要素を制御、又はＴＲｘ１１やＳＷ１２や外部サーバ１６等の他の構成要素を介して制御を転送する。外部サーバ１６は、ＴＲｘ１１又はＳＷ１２又は制御部１４又は外部のオペレーションシステム（不図示）やコントローラ（不図示）や外部の装置（不図示）と接続される。外部サーバ１６は、ＴＲｘ１１やＳＷ１２や制御部１４等の他の構成要素を制御、又はＴＲｘ１１やＳＷ１２や制御部１４等の他の構成要素を介して制御を転送する。
【０２０５】
ＴＲｘ１１やＳＷ１２や制御部１４や外部サーバ１６は、ＴＲｘ１１やＳＷ１２や外部サーバ１６等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１２や外部サーバ１６等の他の構成要素または外部のオペレーションシステム（不図示）やコントローラ（不図示）や外部の装置（不図示）に送付してもよい。
【０２０６】
通信システム構成（１２−２）は、通信システム構成１２−１において、同一の波長の送受信部（ＴＲｘ）１１（λＡ〜λＡ）、送受信部（ＴＲｘ）１１（λＢ〜λＢ）、・・・、送受信部（ＴＲｘ）１１（λＮ〜λＮ）がスイッチ部１２に接続されている。一部の波長のＴＲｘ１１が複数とそれ以外の波長のＴＲｘ１１がＳＷ１２に接続されていてもよい。他は同様である。
【０２０７】
通信システム構成（１３−１）は、送受信部（ＴＲｘ）１１と、スイッチ部（ＳＷ）１３と、制御部１４と、外部サーバ１６と、を備える（図２）。異なる波長（λＡ〜λＮ）の送受信部（ＴＲｘ）１１がＳＷ１３に接続されている。
【０２０８】
ＴＲｘ１１は自律、又はＳＷ１３や制御部１４や外部サーバ１６等の他の構成要素からの制御、又はＳＷ１３や制御部１４や外部サーバ１６等の他の構成要素を介して転送された制御で制御され、ＯＤＮ又はＳＷ１３のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つまたはその組み合わせで処理する。
【０２０９】
スイッチ部（ＳＷ）１３は上位側の装置（不図示）に直接、又は複数のＯＬＴから／へのトラフィックを集約や分配や振分や複製や折返や透過の少なくとも一部をする集線ＳＷ等を介して接続される。ＳＷ１３は自律、又はＴＲｘ１１や制御部１４や外部サーバ１６等の他の構成要素からの制御、又はＴＲｘ１１や制御部１４や外部サーバ１６等の他の構成要素を介して転送された制御で制御され、ＳＷ１２又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０２１０】
制御部１４は、ＴＲｘ１１又はＳＷ１３又は外部サーバ１６又は外部のオペレーションシステム（不図示）やコントローラ（不図示）や外部の装置（不図示）と接続される。制御部１４は、ＴＲｘ１１やＳＷ１３や外部サーバ１６等の他の構成要素を制御、又はＴＲｘ１１やＳＷ１３や外部サーバ１６等の他の構成要素を介して制御を転送する。外部サーバ１６は、ＴＲｘ１１又はＳＷ１３又は制御部１４又は外部のオペレーションシステム（不図示）やコントローラ（不図示）や外部の装置（不図示）と接続される。外部サーバ１６は、ＴＲｘ１１やＳＷ１３や制御部１４等の他の構成要素を制御、又はＴＲｘ１１やＳＷ１３や制御部１４等の他の構成要素を介して制御を転送する。
【０２１１】
ＴＲｘ１１やＳＷ１３や制御部１４や外部サーバ１６は、ＴＲｘ１１やＳＷ１３や外部サーバ１６等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１３や外部サーバ１６等の他の構成要素または外部のオペレーションシステム（不図示）やコントローラ（不図示）や外部の装置（不図示）に送付してもよい。
【０２１２】
通信システム構成（１３−２）は、通信システム構成１３−１において、同一の波長の送受信部（ＴＲｘ）１１（λＡ〜λＡ）、送受信部（ＴＲｘ）１１（λＢ〜λＢ）、・・・、送受信部（ＴＲｘ）１１（λＮ〜λＮ）がＳＷ１３に接続されている。一部の波長のＴＲｘ１１が複数とそれ以外の波長のＴＲｘ１１がＳＷ１３に接続されていてもよい。他は同様である。
【０２１３】
通信システム構成（１４−１）は、送受信部（ＴＲｘ）１１と、スイッチ部（ＳＷ）１２と、プロキシ部１５と、外部サーバ１６と、を備える（図２）。異なる波長（λＡ〜λＮ）の送受信部（ＴＲｘ）１１がスイッチ部１２に接続されている。
【０２１４】
ＴＲｘ１１は自律、又はＳＷ１２やプロキシ部１５や外部サーバ１６等の他の構成要素からの制御、又はＳＷ１２やプロキシ部１５や外部サーバ１６等の他の構成要素を介して転送された制御で制御され、ＯＤＮ又はＳＷ１２のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つまたはその組み合わせで処理する。
【０２１５】
スイッチ部（ＳＷ）１２がプロキシ部１５に直接、又は複数のＯＬＴから／へのトラフィックを集約や分配や振分や複製や折返や透過の少なくとも一部をする集線ＳＷ等を介して接続される。ＳＷ１２は自律、又はＴＲｘ１１やプロキシ部１５や外部サーバ１６等の他の構成要素からの制御、又はＴＲｘ１１やプロキシ部１５や外部サーバ１６等の他の構成要素を介して転送された制御で制御され、ＴＲｘ１１又はプロキシ部１５のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０２１６】
プロキシ部１５は自律、又はＴＲｘ１１やＳＷ１２や外部サーバ１６等の他の構成要素からの制御、又はＴＲｘ１１やＳＷ１２や外部サーバ１６等の他の構成要素を介して転送された制御で制御され、ＳＷ１２又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０２１７】
外部サーバ１６は、ＴＲｘ１１又はＳＷ１２又はプロキシ部１５又は外部のオペレーションシステム（不図示）やコントローラ（不図示）や外部の装置（不図示）と接続される。外部サーバ１６は、ＴＲｘ１１やＳＷ１２やプロキシ部１５等の他の構成要素を制御、又はＴＲｘ１１やＳＷ１２やプロキシ部１５等の他の構成要素を介して制御を転送する。ＴＲｘ１１やＳＷ１２やプロキシ部１５や外部サーバ１６は、ＴＲｘ１１やＳＷ１２やプロキシ部１５や外部サーバ１６等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１２やプロキシ部１５や外部サーバ１６等の他の構成要素または外部のオペレーションシステム（不図示）やコントローラ（不図示）や外部の装置（不図示）に送付してもよい。
【０２１８】
通信システム構成（１４−２）は、通信システム構成１４−１において、同一の波長の送受信部（ＴＲｘ）１１（λＡ〜λＡ）、送受信部（ＴＲｘ）１１（λＢ〜λＢ）、・・・、送受信部（ＴＲｘ）１１（λＮ〜λＮ）がスイッチ部１２に接続されている。一部の波長のＴＲｘ１１が複数とそれ以外の波長のＴＲｘ１１がＳＷ１２に接続されていてもよい。他は同様である。
【０２１９】
通信システム構成（１５−１）は、送受信部（ＴＲｘ）１１と、スイッチ部（ＳＷ）１３と、プロキシ部１５と、外部サーバ１６と、を備える（図２）。異なる波長（λＡ〜λＮ）の送受信部（ＴＲｘ）１１がＳＷ１３に接続されている。
【０２２０】
ＴＲｘ１１は自律、又はＳＷ１３やプロキシ部１５や外部サーバ１６等の他の構成要素からの制御、又はＳＷ１３やプロキシ部１５や外部サーバ１６等の他の構成要素を介して転送された制御で制御され、ＯＤＮ又はＳＷ１２のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つまたはその組み合わせで処理する。
【０２２１】
スイッチ部（ＳＷ）１３はプロキシ部１５に直接、又は複数のＯＬＴから／へのトラフィックを集約や分配や振分や複製や折返や透過の少なくとも一部をする集線ＳＷ等を介して接続される。ＳＷ１３は自律、又はＴＲｘ１１やプロキシ部１５や外部サーバ１６等の他の構成要素からの制御、又はＴＲｘ１１やプロキシ部１５や外部サーバ１６等の他の構成要素を介して転送された制御で制御され、ＴＲｘ１１又はプロキシ部１５のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０２２２】
プロキシ部１５は自律、又はＴＲｘ１１やＳＷ１３や外部サーバ１６等の他の構成要素からの制御、又はＴＲｘ１１やＳＷ１３や外部サーバ１６等の他の構成要素を介して転送された制御で制御され、ＳＷ１３又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０２２３】
外部サーバ１６は、ＴＲｘ１１又はＳＷ１３又はプロキシ部１５又は外部のオペレーションシステム（不図示）やコントローラ（不図示）や外部の装置（不図示）と接続される。外部サーバ１６は、ＴＲｘ１１やＳＷ１３やプロキシ部１５等の他の構成要素を制御、又はＴＲｘ１１やＳＷ１３やプロキシ部１５等の他の構成要素を介して制御を転送する。
【０２２４】
ＴＲｘ１１やＳＷ１３やプロキシ部１５や外部サーバ１６は、ＴＲｘ１１やＳＷ１３やプロキシ部１５や外部サーバ１６等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１３やプロキシ部１５や外部サーバ１６等の他の構成要素または外部のオペレーションシステム（不図示）やコントローラ（不図示）や外部の装置（不図示）に送付してもよい。
【０２２５】
通信システム構成（１５−２）は、通信システム構成１５−１において、同一の波長の送受信部（ＴＲｘ）１１（λＡ〜λＡ）、送受信部（ＴＲｘ）１１（λＢ〜λＢ）、・・・、送受信部（ＴＲｘ）１１（λＮ〜λＮ）がＳＷ１３に接続されている。一部の波長のＴＲｘ１１が複数とそれ以外の波長のＴＲｘ１１がＳＷ１３に接続されていてもよい。他は同様である。
【０２２６】
通信システム構成（１７−１）は、送受信部（ＴＲｘ）１１と、スイッチ部（ＳＷ）１２と、スイッチ部（ＳＷ）１３と、を備える（図２）。異なる波長（λＡ〜λＮ）の送受信部（ＴＲｘ）１１がスイッチ部１２に接続されている。
【０２２７】
ＴＲｘ１１は自律、又はＳＷ１２やＳＷ１３等の他の構成要素からの制御、又はＳＷ１２やＳＷ１３等の他の構成要素を介して転送された制御で制御され、ＯＤＮ又はＳＷ１２のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つまたはその組み合わせで処理する。
【０２２８】
スイッチ部（ＳＷ）１２がスイッチ部（ＳＷ）１３に接続される。ＳＷ１２は自律、又はＴＲｘ１１やＳＷ１３等の他の構成要素からの制御、又はＴＲｘ１１やＳＷ１３等の他の構成要素を介して転送された制御で制御され、ＴＲｘ１１又はＳＷ１３のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０２２９】
スイッチ部（ＳＷ）１３は上位側の装置（不図示）に直接、又は複数のＯＬＴから／へのトラフィックを集約や分配や振分や複製や折返や透過の少なくとも一部をする集線ＳＷ等を介して接続される。ＳＷ１３は自律、又はＴＲｘ１１やＳＷ１２等の他の構成要素からの制御、又はＴＲｘ１１やＳＷ１２等の他の構成要素を介して転送された制御で制御され、ＳＷ１２又は上位側装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０２３０】
ＴＲｘ１１やＳＷ１２やＳＷ１３は、ＴＲｘ１１やＳＷ１２やＳＷ１３等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１２やＳＷ１３等の他の構成要素または外部のオペレーションシステム（不図示）やコントローラ（不図示）や外部の装置（不図示）に送付してもよい。
【０２３１】
通信システム構成（１７−２）は、通信システム構成１７−１において、同一の波長の送受信部（ＴＲｘ）１１（λＡ〜λＡ）、送受信部（ＴＲｘ）１１（λＢ〜λＢ）、・・・、送受信部（ＴＲｘ）１１（λＮ〜λＮ）がスイッチ部１２に接続されている。一部の波長のＴＲｘ１１が複数とそれ以外の波長のＴＲｘ１１がＳＷ１２に接続されていてもよい。他は同様である。
【０２３２】
通信システム構成（１８−１）は、送受信部（ＴＲｘ）１１と、スイッチ部（ＳＷ）１２と、制御部１４と、を備える（図２）。異なる波長（λＡ〜λＮ）の送受信部（ＴＲｘ）１１がスイッチ部１２に接続されている。
【０２３３】
ＴＲｘ１１は自律、又はＳＷ１２や制御部１４等の他の構成要素からの制御、又はＳＷ１２や制御部１４等の他の構成要素を介して転送された制御で制御され、ＯＤＮ又はＳＷ１２のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つまたはその組み合わせで処理する。
【０２３４】
スイッチ部（ＳＷ）１２が上位側の装置（不図示）に直接、又は複数のＯＬＴから／へのトラフィックを集約や分配や振分や複製や折返や透過の少なくとも一部をする集線ＳＷ等を介して接続される。ＳＷ１２は自律、又はＴＲｘ１１や制御部１４等の他の構成要素からの制御、又はＴＲｘ１１や制御部１４等の他の構成要素を介して転送された制御で制御され、ＴＲｘ１１やプロキシ部１５のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０２３５】
制御部１４は、ＴＲｘ１１又はＳＷ１２又は外部のオペレーションシステム（不図示）やコントローラ（不図示）や外部の装置（不図示）と接続される。制御部１４は、ＴＲｘ１１やＳＷ１２等の他の構成要素を制御、又はＴＲｘ１１やＳＷ１２等の他の構成要素を介して制御を転送する。ＴＲｘ１１やＳＷ１２や制御部１４は、ＴＲｘ１１やＳＷ１２等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１２等の他の構成要素または外部のオペレーションシステム（不図示）やコントローラ（不図示）や外部の装置（不図示）に送付してもよい。
【０２３６】
通信システム構成（１８−２）は、通信システム構成１８−１において、同一の波長の送受信部（ＴＲｘ）１１（λＡ〜λＡ）、送受信部（ＴＲｘ）１１（λＢ〜λＢ）、・・・、送受信部（ＴＲｘ）１１（λＮ〜λＮ）がスイッチ部１２に接続されている。一部の波長のＴＲｘ１１が複数とそれ以外の波長のＴＲｘ１１がＳＷ１２に接続されていてもよい。他は同様である。
【０２３７】
通信システム構成（１９−１）は、送受信部（ＴＲｘ）１１と、スイッチ部（ＳＷ）１３と、制御部１４と、を備える（図２）。異なる波長（λＡ〜λＮ）の送受信部（ＴＲｘ）１１がＳＷ１３に接続されている。
【０２３８】
ＴＲｘ１１は自律、又はＳＷ１３や制御部１４等の他の構成要素からの制御、又はＳＷ１３や制御部１４等の他の構成要素を介して転送された制御で制御され、ＯＤＮ又はＳＷ１３のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つまたはその組み合わせで処理する。
【０２３９】
スイッチ部（ＳＷ）１３は上位側の装置（不図示）に直接、又は複数のＯＬＴから／へのトラフィックを集約や分配や振分や複製や折返や透過の少なくとも一部をする集線ＳＷ等を介して接続される。ＳＷ１３は自律、又はＴＲｘ１１や制御部１４等の他の構成要素からの制御、又はＴＲｘ１１や制御部１４等の他の構成要素を介して転送された制御で制御され、ＴＲｘ１１又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０２４０】
制御部１４は、ＴＲｘ１１又はＳＷ１３又は外部のオペレーションシステム（不図示）やコントローラ（不図示）や外部の装置（不図示）と接続される。制御部１４は、ＴＲｘ１１やＳＷ１３等の他の構成要素を制御、又はＴＲｘ１１やＳＷ１３等の他の構成要素を介して制御を転送する。
【０２４１】
ＴＲｘ１１やＳＷ１３や制御部１４は、ＴＲｘ１１やＳＷ１３や等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１３等の他の構成要素または外部のオペレーションシステム（不図示）やコントローラ（不図示）や外部の装置（不図示）に送付してもよい。
【０２４２】
通信システム構成（１９−２）は、通信システム構成１９−１において、同一の波長の送受信部（ＴＲｘ）１１（λＡ〜λＡ）、送受信部（ＴＲｘ）１１（λＢ〜λＢ）、・・・、送受信部（ＴＲｘ）１１（λＮ〜λＮ）がＳＷ１３に接続されている。一部の波長のＴＲｘ１１が複数とそれ以外の波長のＴＲｘ１１がＳＷ１３に接続されていてもよい。他は同様である。
【０２４３】
通信システム構成（２０−１）は、送受信部（ＴＲｘ）１１と、スイッチ部（ＳＷ）１２と、プロキシ部１５と、を備える（図２）。異なる波長（λＡ〜λＮ）の送受信部（ＴＲｘ）１１がスイッチ部１２に接続されている。
【０２４４】
ＴＲｘ１１は自律、又はＳＷ１２やプロキシ部１５等の他の構成要素からの制御、又はＳＷ１２やプロキシ部１５等の他の構成要素を介して転送された制御で制御され、ＯＤＮ又はＳＷ１２のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つまたはその組み合わせで処理する。
【０２４５】
スイッチ部（ＳＷ）１２がプロキシ部１５に直接、又は複数のＯＬＴから／へのトラフィックを集約や分配や振分や複製や折返や透過の少なくとも一部をする集線ＳＷ等を介して接続される。ＳＷ１２は自律、又はＴＲｘ１１やプロキシ部１５等の他の構成要素からの制御、又はＴＲｘ１１やプロキシ部１５等の他の構成要素を介して転送された制御で制御され、ＴＲｘ１１又はプロキシ部１５のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。プロキシ部１５は上位側の装置（不図示）に直接、又は複数のＯＬＴから／へのトラフィックを集約や分配や振分や複製や折返や透過の少なくとも一部をする集線ＳＷ等を介して接続される。
【０２４６】
プロキシ部１５は自律、又はＴＲｘ１１やＳＷ１２等の他の構成要素からの制御、又はＴＲｘ１１やＳＷ１２等の他の構成要素を介して転送された制御で制御され、ＳＷ１２又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０２４７】
ＴＲｘ１１やＳＷ１２やプロキシ部１５は、ＴＲｘ１１やＳＷ１２やプロキシ部１５等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１２やプロキシ部１５等の他の構成要素または外部のオペレーションシステム（不図示）やコントローラ（不図示）や外部の装置（不図示）に送付してもよい。
【０２４８】
通信システム構成（２０−２）は、通信システム構成２０−１において、同一の波長の送受信部（ＴＲｘ）１１（λＡ〜λＡ）、送受信部（ＴＲｘ）１１（λＢ〜λＢ）、・・・、送受信部（ＴＲｘ）１１（λＮ〜λＮ）がスイッチ部１２に接続されている。一部の波長のＴＲｘ１１が複数とそれ以外の波長のＴＲｘ１１がＳＷ１２に接続されていてもよい。他は同様である。
【０２４９】
通信システム構成（２１−１）は、送受信部（ＴＲｘ）１１と、スイッチ部（ＳＷ）１３と、プロキシ部１５と、と、を備える（図２）。異なる波長（λＡ〜λＮ）の送受信部（ＴＲｘ）１１がＳＷ１３に接続されている。
【０２５０】
ＴＲｘ１１は自律、又はＳＷ１３やプロキシ部１５等の他の構成要素からの制御、又はＳＷ１３やプロキシ部１５等の他の構成要素を介して転送された制御で制御され、ＯＤＮ又はＳＷ１３のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つまたはその組み合わせで処理する。
【０２５１】
スイッチ部（ＳＷ）１３はプロキシ部１５に直接、又は複数のＯＬＴから／へのトラフィックを集約や分配や振分や複製や折返や透過の少なくとも一部をする集線ＳＷ等を介して接続される。ＳＷ１３は自律、又はＴＲｘ１１やプロキシ部１５等の他の構成要素からの制御、又はＴＲｘ１１やプロキシ部１５等の他の構成要素を介して転送された制御で制御され、ＴＲｘ１１又はプロキシ部１５のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０２５２】
プロキシ部１５は上位側の装置（不図示）に直接、又は複数のＯＬＴから／へのトラフィックを集約や分配や振分や複製や折返や透過の少なくとも一部をする集線ＳＷ等を介して接続される。プロキシ部１５は自律、又はＴＲｘ１１やＳＷ１３等の他の構成要素からの制御、又はＴＲｘ１１やＳＷ１３等の他の構成要素を介して転送された制御で制御され、ＳＷ１３又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０２５３】
ＴＲｘ１１やＳＷ１３やプロキシ部１５は、ＴＲｘ１１やＳＷ１３やプロキシ部１５等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１３やプロキシ部１５等の他の構成要素または外部のオペレーションシステム（不図示）やコントローラ（不図示）や外部の装置（不図示）に送付してもよい。
【０２５４】
通信システム構成（２１−２）は、通信システム構成２１−１において、同一の波長の送受信部（ＴＲｘ）１１（λＡ〜λＡ）、送受信部（ＴＲｘ）１１（λＢ〜λＢ）、・・・、送受信部（ＴＲｘ）１１（λＮ〜λＮ）がＳＷ１３に接続されている。一部の波長のＴＲｘ１１が複数とそれ以外の波長のＴＲｘ１１がＳＷ１３に接続されていてもよい。他は同様である。
【０２５５】
通信システム構成（２３−１）は、送受信部（ＴＲｘ）１１と、スイッチ部（ＳＷ）１２と、外部サーバ１６と、を備える（図２）。異なる波長（λＡ〜λＮ）の送受信部（ＴＲｘ）１１がスイッチ部１２に接続されている。
【０２５６】
ＴＲｘ１１は自律、又はＳＷ１２や外部サーバ１６等の他の構成要素からの制御、又はＳＷ１２や外部サーバ１６等の他の構成要素を介して転送された制御で制御され、ＯＤＮ又はＳＷ１２のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つまたはその組み合わせで処理する。
【０２５７】
スイッチ部（ＳＷ）１２が上位側の装置（不図示）に直接、又は複数のＯＬＴから／へのトラフィックを集約や分配や振分や複製や折返や透過の少なくとも一部をする集線ＳＷ等を介して接続される。ＳＷ１２は自律、又はＴＲｘ１１や外部サーバ１６等の他の構成要素からの制御、又はＴＲｘ１１や外部サーバ１６等の他の構成要素を介して転送された制御で制御され、ＴＲｘ１１又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０２５８】
外部サーバ１６は、ＴＲｘ１１又はＳＷ１２又は外部のオペレーションシステム（不図示）やコントローラ（不図示）や外部の装置（不図示）と接続される。外部サーバ１６は、ＴＲｘ１１やＳＷ１２等の他の構成要素を制御、又はＴＲｘ１１やＳＷ１２等の他の構成要素を介して制御を転送する。
【０２５９】
ＴＲｘ１１やＳＷ１２や外部サーバ１６は、ＴＲｘ１１やＳＷ１２や外部サーバ１６等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１２や外部サーバ１６等の他の構成要素または外部のオペレーションシステム（不図示）やコントローラ（不図示）や外部の装置（不図示）に送付してもよい。
【０２６０】
通信システム構成（２３−２）は、通信システム構成２３−１において、同一の波長の送受信部（ＴＲｘ）１１（λＡ〜λＡ）、送受信部（ＴＲｘ）１１（λＢ〜λＢ）、・・・、送受信部（ＴＲｘ）１１（λＮ〜λＮ）がスイッチ部１２に接続されている。一部の波長のＴＲｘ１１が複数とそれ以外の波長のＴＲｘ１１がＳＷ１２に接続されていてもよい。他は同様である。
【０２６１】
通信システム構成（２４−１）は、送受信部（ＴＲｘ）１１と、スイッチ部（ＳＷ）１３と、外部サーバ１６と、を備える（図２）。異なる波長（λＡ〜λＮ）の送受信部（ＴＲｘ）１１がＳＷ１３に接続されている。
【０２６２】
ＴＲｘ１１は自律、又はＳＷ１３や外部サーバ１６等の他の構成要素からの制御、又はＳＷ１３や外部サーバ１６等の他の構成要素を介して転送された制御で制御され、ＯＤＮ又はＳＷ１３のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つまたはその組み合わせで処理する。
【０２６３】
スイッチ部（ＳＷ）１３は上位側の装置（不図示）に直接、又は複数のＯＬＴから／へのトラフィックを集約や分配や振分や複製や折返や透過の少なくとも一部をする集線ＳＷ等を介して接続される。ＳＷ１３は自律、又はＴＲｘ１１や外部サーバ１６等の他の構成要素からの制御、又はＴＲｘ１１や外部サーバ１６等の他の構成要素を介して転送された制御で制御され、ＴＲｘ１１又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０２６４】
外部サーバ１６は、ＴＲｘ１１又はＳＷ１３又は外部のオペレーションシステム（不図示）やコントローラ（不図示）や外部の装置（不図示）と接続される。外部サーバ１６は、ＴＲｘ１１やＳＷ１３等の他の構成要素を制御、又はＴＲｘ１１やＳＷ１３等の他の構成要素を介して制御を転送する。
【０２６５】
ＴＲｘ１１やＳＷ１３や外部サーバ１６は、ＴＲｘ１１やＳＷ１３や外部サーバ１６等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１３や外部サーバ１６等の他の構成要素または外部のオペレーションシステム（不図示）やコントローラ（不図示）や外部の装置（不図示）に送付してもよい。
【０２６６】
通信システム構成（２４−２）は、通信システム構成２４−１において、同一の波長の送受信部（ＴＲｘ）１１（λＡ〜λＡ）、送受信部（ＴＲｘ）１１（λＢ〜λＢ）、・・・、送受信部（ＴＲｘ）１１（λＮ〜λＮ）がＳＷ１３に接続されている。一部の波長のＴＲｘ１１が複数とそれ以外の波長のＴＲｘ１１がＳＷ１３に接続されていてもよい。他は同様である。
【０２６７】
通信システム構成（２７−１）は、送受信部（ＴＲｘ）１１と、スイッチ部（ＳＷ）１２と、を備える（図２）。異なる波長（λＡ〜λＮ）の送受信部（ＴＲｘ）１１がスイッチ部１２に接続されている。
【０２６８】
ＴＲｘ１１は自律、又はＳＷ１２等の他の構成要素からの制御、又はＳＷ１２等の他の構成要素を介して転送された制御で制御され、ＯＤＮ又はＳＷ１２のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つまたはその組み合わせで処理する。
【０２６９】
スイッチ部（ＳＷ）１２が上位側の装置（不図示）に直接、又は複数のＯＬＴから／へのトラフィックを集約や分配や振分や複製や折返や透過の少なくとも一部をする集線ＳＷ等を介して接続される。ＳＷ１２は自律、又はＴＲｘ１１等の他の構成要素からの制御、又はＴＲｘ１１等の他の構成要素を介して転送された制御で制御され、ＴＲｘ１１又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０２７０】
ＴＲｘ１１やＳＷ１２は、ＴＲｘ１１やＳＷ１２等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１２等の他の構成要素または外部のオペレーションシステム（不図示）やコントローラ（不図示）や外部の装置（不図示）に送付してもよい。
【０２７１】
通信システム構成（２７−２）は、通信システム構成２７−１において、同一の波長の送受信部（ＴＲｘ）１１（λＡ〜λＡ）、送受信部（ＴＲｘ）１１（λＢ〜λＢ）、・・・、送受信部（ＴＲｘ）１１（λＮ〜λＮ）がスイッチ部１２に接続されている。一部の波長のＴＲｘ１１が複数とそれ以外の波長のＴＲｘ１１がＳＷ１２に接続されていてもよい。他は同様である。
【０２７２】
通信システム構成（２８−１）は、送受信部（ＴＲｘ）１１と、スイッチ部（ＳＷ）１３と、を備える（図２）。異なる波長（λＡ〜λＮ）の送受信部（ＴＲｘ）１１がＳＷ１３に接続されている。
【０２７３】
ＴＲｘ１１は自律、又はＳＷ１３等の他の構成要素からの制御、又はＳＷ１３等の他の構成要素を介して転送された制御で制御され、ＯＤＮ又はＳＷ１３のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つまたはその組み合わせで処理する。
【０２７４】
スイッチ部（ＳＷ）１３は上位側の装置（不図示）に直接、又は複数のＯＬＴから／へのトラフィックを集約や分配や振分や複製や折返や透過の少なくとも一部をする集線ＳＷ等を介して接続される。ＳＷ１３は自律、又はＴＲｘ１１等の他の構成要素からの制御、又はＴＲｘ１１等の他の構成要素を介して転送された制御で制御され、ＴＲｘ１１又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０２７５】
ＴＲｘ１１やＳＷ１３は、ＴＲｘ１１やＳＷ１３等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１３等の他の構成要素または外部のオペレーションシステム（不図示）やコントローラ（不図示）や外部の装置（不図示）に送付してもよい。
【０２７６】
通信システム構成（２８−２）は、通信システム構成２８−１において、同一の波長の送受信部（ＴＲｘ）１１（λＡ〜λＡ）、送受信部（ＴＲｘ）１１（λＢ〜λＢ）、・・・、送受信部（ＴＲｘ）１１（λＮ〜λＮ）がＳＷ１３に接続されている。一部の波長のＴＲｘ１１が複数とそれ以外の波長のＴＲｘ１１がＳＷ１３に接続されていてもよい。他は同様である。
【０２７７】
（第１の構成例）
ＯＬＴが送受信部１１を備え、実施部と指示部に分離配備する例について説明する。ここでは、図１や３の構成で、機器依存部が実施部として機能し、機器無依存アプリが指示部としたが、機能配備により、共に機器無依存アプリであってもよいし、共にて機器依存部であってもよい。共に機器無依存アプリである例としては、例えば、ＤＢＡ処理等の機能の実施部を非力な送受信機に備えるプロセッサ等の情報処理部に備え、指示部を強力な情報処能力を備えるその他の箇所の情報処理部、例えばＯＳＵ等に備え、ミドルウェアとして装置間のプロセッサ間通信や装置間通信が働く場合である。共に機器依存部に備える場合は、左記の例と同様にファームウェア等の一部としてそれぞれＤＢＡ機能をコンパイルした場合等である。
【０２７８】
本例では、実施部を送受信部１１に備え、指示部を送受信部１１の例えば情報処理部やＣＰＵ等の演算処理が可能な個所に備える。実施部と指示部の入出力は、内部配線やバックボードやＯＡＭや主信号線や専用の配線やオペレーションシステムやＣｏｎｔ版やコントローラや制御部１４等の経路のいずれでもよい。ＯＮＵからの申告又は申告の複写を指示部で直接終端して入力する場合はＯＡＭや主信号にカプセル化してもよい。ＯＮＵからの申告又は申告の複写をいずれかの箇所で終端して内部配線やバックボードやＯＡＭや主信号線や専用の配線やオペレーションシステムやＣｏｎｔ版やコントローラや制御部１４等の経路を経由して入力してもよい。ＯＡＭや主信号線を用いる場合は、ＯＡＭや主信号にカプセル化することが望ましい。主信号線を通す場合はＯＳＵ又は他箇所のスイッチ部にて指示部に振り分けることが望ましい。なお、本構成は、通信システム構成（１−１）〜（２８−２）のうち送受信部１１に演算処理可能な箇所とＳＷ１２とＳＷ１３の少なくとも一方を備える任意の構成に適用できる。
【０２７９】
（第２の構成例）
本構成では、ＯＬＴが送受信部１１及びスイッチ部１２を備え、実施部を送受信部１１に備え、指示部をスイッチ部１２の例えば情報処理部やＣＰＵ等の演算処理可能な箇所に備える。その他は第１の構成例と同様である。なお、本構成は、通信システム構成（１−１）〜（２８−２）のうちスイッチ部１２に演算処理可能な箇所を備える任意の構成に適用できる。なお、ＴＲｘ１１及びＳＷ１２の演算処理可能な箇所の両方に実施部及び指示部が備わっていてもよい。
【０２８０】
（第３の構成例）
本構成では、ＯＬＴが送受信部１１を備え、実施部を送受信部１１に備え、指示部がＯＳＵの例えば情報処理部やＣＰＵ等の演算処理可能な個所に備える。その他は第１の構成例と同様である。なお、通信システム構成（１−１）〜（２８−２）のうちＯＳＵに演算処理可能な箇所とＳＷ１２とＳＷ１３の少なくとも一方を備える任意の構成に適用できる。なお、ＴＲｘ１１及びＯＳＵ２１の演算処理可能な箇所の両方に実施部及び指示部が備わっていてもよい。
【０２８１】
（第４の構成例）
本構成では、ＯＬＴが送受信部１１及びスイッチ部１３を備え、実施部を送受信部１１が備え、指示部をスイッチ部１３の例えば情報処理部やＣＰＵ等の演算処理可能な箇所に備える。その他は第１の構成例と同様である。なお、通信システム構成（１−１）〜（２８−２）のうちスイッチ部１３に演算処理可能な箇所に備える任意の構成に適用できる。なお、ＴＲｘ１１及びＳＷ１３の演算処理可能な箇所の両方に実施部及び指示部が備わっていてもよい。
【０２８２】
（第５の構成例）
本構成では、ＯＬＴが送受信部１１を備え、実施部を送受信部１１に備え、指示部をＯＬＴの例えば制御部１４や情報処理部やＣｏｎｔ版やＣＰＵ版等の演算処理可能な箇所に備える。その他は第１の構成例と同様である。なお、本構成は、通信システム構成（１−１）〜（２８−２）のうちＯＬＴに演算処理可能な箇所とＳＷ１２とＳＷ１３の少なくとも一方を備える任意の構成に適用できる。
【０２８３】
（第６の構成例）
本構成では、ＯＬＴが送受信部１１を備え、実施部を送受信部１１に備え、指示部がＯＬＴ外部の例えばセンタクラウドやローカルクラウドやエッジクラウドや単独の外部サーバ１６やＮＥコントローラなどのＥＭＳ等の演算処理可能な個所である。この場合、送受信部１１が実施部として機能し、ＯＬＴの外部、例えば外部サーバ１６情報処理部やオペレーションシステムややＮＥコントローラなどのＥＭＳ等の演算処理が可能な箇所に備える。その他は第１の構成例と同様である。なお、本構成は、通信システム構成（１−１）〜（２８−２）のうちＯＬＴ外部に情報処理部等の演算処理可能な箇所とＳＷ１２とＳＷ１３の少なくとも一方を備える任意の構成に適用できる。
【０２８４】
（第７の構成例）
本構成では、ＯＬＴが送受信部１１を備え、実施部を送受信部１１に備え、指示部をＯＬＴ外部の主信号ネットワーク中の例えばプロキシ部１５等の演算処理可能な箇所に備える。その他は第１の構成例と同様である。なお、本構成は、通信システム構成（１−１）〜（２８−２）のうちＯＬＴ外部の主信号ネットワーク中に演算処理可能な箇所とＳＷ１２とＳＷ１３の少なくとも一方を備える任意の構成に適用できる。なお、ＴＲｘ１１及び主信号ネットワーク中の演算処理可能な箇所の両方に実施部及び指示部が備わっていてもよい。
【０２８５】
（第８の構成例）
本構成では、ＯＬＴが送受信部１１を備え、実施部をスイッチ部１２に備え、指示部を送受信部１１の例えば情報処理部やＣＰＵ等の演算処理可能な箇所に備える。その他は第１の構成例と同様である。なお、本構成は、通信システム構成（１−１）〜（２８−２）のうち送受信部１１に演算処理可能な箇所とスイッチ部１２を備える任意の構成に適用できる。なお、ＳＷ１２及びＴＲｘ１１の演算処理可能な箇所の両方に実施部及び指示部が備わっていてもよい。
【０２８６】
（第９の構成例）
本構成では、ＯＬＴがスイッチ部１２を備え、実施部をスイッチ部１２に備え、指示部がスイッチ部１２の例えば情報処理部やＣＰＵ等の演算処理可能な箇所に備える。実施部が指示部よりＰＯＮ側に配置されることが応答速度の観点から好ましいが、逆でもよい。実施部と指示部の入出力は、内部配線やバックボードやＯＡＭや主信号線や専用の配線やオペレーションシステムやＣｏｎｔ版等の経路のいずれでもよい。その他は第１の構成例と同様である。なお、本構成は、通信システム構成（１−１）〜（２８−２）のうちスイッチ部１２に演算処理の可能な箇所を備える任意の構成に適用できる。
【０２８７】
（第１０の構成例）
本構成では、ＯＬＴがスイッチ部１２を備え、実施部をスイッチ部１２に備え、指示部をＯＳＵの例えば情報処理部やＣＰＵ等の演算処理可能な箇所に備える。その他は第１の構成例と同様である。なお、本構成は、通信システム構成（１−１）〜（２８−２）のうちスイッチ部１２とＯＳＵに演算処理可能な個所を備える任意の構成に適用できる。なお、ＳＷ１２及びＯＳＵ２１の演算処理可能な箇所の両方に実施部及び指示部が備わっていてもよい。
【０２８８】
（第１１の構成例）
本構成では、ＯＬＴがスイッチ部１２及び１３を備え、実施部をのスイッチ部１２に備え、指示部をスイッチ部１３の例えば情報処理部やＣＰＵ等の演算処理可能な箇所に備える。その他は第１の構成例と同様である。なお、本構成は、通信システム構成（１−１）〜（２８−２）のうちスイッチ部１２とスイッチ部１３に演算処理可能な箇所を備える任意の構成に適用できる。なお、ＳＷ１２及びＳＷ１３の演算処理可能な箇所の両方に実施部及び指示部が備わっていてもよい。
【０２８９】
（第１２の構成例）
本構成では、ＯＬＴがスイッチ部１２を備え、実施部をスイッチ部１２に備え、指示部をＯＬＴの例えば制御部１４や情報処理部やＣｏｎｔ版やＣＰＵ版等の演算処理可能な箇所に備える。その他は第１の構成例と同様である。なお、本構成は、通信システム構成（１−１）〜（２８−２）のうちスイッチ部１２とＯＬＴに演算処理可能な箇所を備える任意の構成に適用できる。なお、ＳＷ１２及びＯＬＴの演算処理可能な箇所の両方に実施部及び指示部が備わっていてもよい。
【０２９０】
（第１３の構成例）
本構成では、ＯＬＴがスイッチ部１２を備え、実施部をスイッチ部１２に備え、指示部をＯＬＴ外部の例えばセンタクラウドやローカルクラウドやエッジクラウドや単独の外部サーバ１６や情報処理部やオペレーションシステムやＮＥコントローラなどのＥＭＳ等の演算処理可能な箇所に備える。その他は第１の構成例と同様である。なお、本構成は、通信システム構成（１−１）〜（２８−２）のうちスイッチ部１２とＯＬＴ外部に演算処理可能な箇所を備える任意の構成に適用できる。なお、ＳＷ１２及びＯＬＴ外部の演算処理可能な箇所の両方に実施部及び指示部が備わっていてもよい。
【０２９１】
（第１４の構成例）
本構成では、ＯＬＴがスイッチ部１２を備え、実施部をスイッチ部１２に備え、指示部をＯＬＴ外部の主信号ネットワーク中の例えばプロキシ部１５等の演算処理が可能な箇所に備える。その他は第１の構成例と同様である。なお、本構成は、通信システム構成（１−１）〜（２８−２）のうちスイッチ部１２とＯＬＴ外部の主信号ネットワーク中演算処理可能な箇所を備える任意の構成に適用できる。なお、ＳＷ１２及びＯＬＴ外部の主信号ネットワークの演算処理可能な箇所の両方に実施部及び指示部が備わっていてもよい。
【０２９２】
（第１５の構成例）
本構成では、ＯＬＴが送受信部１１を備え、実施部をＯＳＵに備え、指示部を送受信部１１の例えば情報処理部やＣＰＵ等の演算処理可能な箇所に備える。その他は第１の構成例と同様である。なお、本構成は、通信システム構成（１−１）〜（２８−２）のうちＯＳＵと送受信部１１に演算処理可能な箇所とＳＷ１２とＳＷ１３の少なくとも一方を備える構成に適用できる。なお、ＯＳＵと送受信部１１の演算処理可能な箇所の両方に実施部及び指示部が備わっていてもよい。
【０２９３】
（第１６の構成例）
本構成では、ＯＬＴがスイッチ部１２を備え、実施部をＯＳＵに備え、指示部をスイッチ部１２の例えば情報処理部やＣＰＵ等の演算処理が可能な箇所に備える。その他は第１の構成例と同様である。なお、本構成は、通信システム構成（１−１）〜（２８−２）のうちスイッチ部１２とＯＳＵに演算処理可能な個所を備える任意の構成に適用できる。なお、スイッチ部１２とＯＳＵの演算処理可能な箇所の両方に実施部及び指示部が備わっていてもよい。
【０２９４】
（第１７の構成例）
本構成では、ＯＬＴがＯＳＵを備え、実施部をＯＳＵに備え、指示部をＯＳＵの例えば情報処理部やＣＰＵ等の演算処理可能な箇所に備える。こ実施部が指示部よりもＰＯＮ近傍に配置されることが応答速度の観点から好ましいが、逆でもよい。その他は第１の構成例と同様である。なお、本構成は、通信システム構成（１−１）〜（２８−２）のうちＯＳＵに演算処理可能な箇所とＳＷ１２とＳＷ１３の少なくとも一方を備える構成に適用できる。
【０２９５】
（第１８の構成例）
本構成では、ＯＬＴがＯＳＵとスイッチ部１３を備え、実施部をＯＳＵに備え、指示部をスイッチ部１３の例えば情報処理部やＣＰＵ等の演算処理可能な箇所に備える。こその他は第１の構成例と同様である。なお、本構成は、通信システム構成（１−１）〜（２８−２）のうちＯＳＵとスイッチ部１３に演算処理可能な箇所を含む任意の構成に適用できる。なお、ＯＳＵ２１とＳＷ１３の演算処理可能な箇所の両方に実施部及び指示部が備わっていてもよい。
【０２９６】
（第１９の構成例）
本構成では、ＯＬＴがＯＳＵを備え、実施部をＯＳＵに備え、指示部をＯＬＴの例えば制御部１４や情報処理部やＣｏｎｔ版やＣＰＵ版等の演算処理の可能な箇所に備える。その他は第１の構成例と同様である。なお、本構成は、通信システム構成（１−１）〜（２８−２）のうちＯＳＵとＯＬＴに演算処理可能な個所とＳＷ１２とＳＷ１３の少なくとも一方を備える構成に適用できる。なお、ＯＳＵ２１とＯＬＴの演算処理可能な箇所の両方に実施部及び指示部が備わっていてもよい。
【０２９７】
（第２０の構成例）
本構成では、ＯＬＴがＯＳＵを備え、実施部をＯＳＵに備え、指示部をＯＬＴ外部の例えばセンタクラウドやローカルクラウドやエッジクラウドや単独の外部サーバ１６やＮＥコントローラなどのＥＭＳ等の演算処理可能な箇所に備える。その他は第１の構成例と同様である。なお、本構成は、通信システム構成（１−１）〜（２８−２）のうちＯＳＵとＯＬＴ外部の演算処理可能な個所とＳＷ１２とＳＷ１３の少なくとも一方を備える構成に適用できる。なお、ＯＳＵ２１とＯＬＴ外部の演算処理可能な箇所の両方に実施部及び指示部が備わっていてもよい。
【０２９８】
（第２１の構成例）
本構成では、ＯＬＴがＯＳＵを備え、実施部をＯＳＵに備え、指示部をＯＬＴ外部の主信号ネットワーク中の例えばプロキシ部１５等の演算処理可能な箇所に備える。その他は第１の構成例と同様である。なお、本構成は、通信システム構成（１−１）〜（２８−２）のうちＯＳＵとＯＬＴ外部の主信号ネットワーク中に演算処理可能な箇所とＳＷ１２とＳＷ１３の少なくとも一方を備える構成に適用できる。なお、ＯＳＵ２１と主信号ネットワークの演算処理可能な箇所の両方に実施部及び指示部が備わっていてもよい。
【０２９９】
（第２２の構成例）
本構成では、ＯＬＴが送受信部１１及びスイッチ部１３を備え、実施部をスイッチ部１３に備え、指示部を送受信部１１例えば情報処理部やＣＰＵ等の演算処理可能な箇所に備える。その他は第１の構成例と同様である。なお、本構成は、通信システム構成（１−１）〜（２８−２）のうちスイッチ１３と送受信部１１に演算処理可能な個所とを備える任意の構成に適用できる。なお、ＳＷ１３とＴＲｘ１１の演算処理可能な箇所の両方に実施部及び指示部が備わっていてもよい。
【０３００】
（第２３の構成例）
本構成では、ＯＬＴがスイッチ部１２及び１３を備え、実施部をスイッチ部１３に備え、指示部をＯＳＵのスイッチ部１２の例えば情報処理部やＣＰＵ等の演算処理可能な箇所に備える。その他は第１の構成例と同様である。なお、本構成は、通信システム構成（１−１）〜（２８−２）のうちスイッチ部１３とスイッチ部１２に演算処理可能な箇所を備える任意の構成に適用できる。
【０３０１】
（第２４の構成例）
本構成では、ＯＬＴがＯＳＵ及びスイッチ部１３を備え、実施部をスイッチ部１３に備え、指示部をＯＳＵの例えば情報処理部やＣＰＵ等の演算処理可能な箇所に備える。その他は第１の構成例と同様である。なお、本構成は、通信システム構成（１−１）〜（２８−２）のうちスイッチ部１３とＯＳＵに演算処理可能な個所とを備える任意の構成に適用できる。なお、ＳＷ１３とＯＳＵ２１の演算処理可能な箇所の両方に実施部及び指示部が備わっていてもよい。
【０３０２】
（第２５の構成例）
本構成では、ＯＬＴがスイッチ部１３を備え、実施部をスイッチ部１３に備え、指示部をスイッチ部１３の例えば情報処理部やＣＰＵ等の演算処理可能な箇所に備える。その他は第１の構成例と同様である。なお、本構成は、通信システム構成（１−１）〜（２８−２）のうちスイッチ部１３に演算処理可能な箇所を備える任意の構成に適用できる。
【０３０３】
（第２６の構成例）
本構成では、ＯＬＴがスイッチ部１３を備え、実施部をスイッチ部１３に備え、指示部がＯＬＴの例えば制御部１４や情報処理部やＣｏｎｔ版やＣＰＵ版等の演算処理の可能な箇所に備える。その他は第１の構成例と同様である。なお、本構成は、通信システム構成（１−１）〜（２８−２）のうちスイッチ部１３とＯＬＴに演算処理可能な箇所を備える任意の構成に適用できる。なお、ＳＷ１３とＯＬＴの演算処理可能な箇所の両方に実施部及び指示部が備わっていてもよい。
【０３０４】
（第２７の構成例）
本構成では、ＯＬＴがスイッチ部１３を備え、実施部をスイッチ部１３に備え、指示部をＯＬＴ外部の例えばセンタクラウドやローカルクラウドやエッジクラウドや単独の外部サーバ１６や情報処理部やオペレーションシステムやＮＥコントローラなどのＥＭＳ等の演算処理可能な箇所である。その他は第１の構成例と同様である。なお、本構成は、通信システム構成（１−１）〜（２８−２）のうちスイッチ部１３とＯＬＴ外部の演算処理可能な個所を含む任意の構成に適用できる。なお、ＳＷ１３とＯＬＴ外部の演算処理可能な箇所の両方に実施部及び指示部が備わっていてもよい。
【０３０５】
（第２８の構成例）
本構成では、ＯＬＴがスイッチ部１３を備え、実施部をスイッチ部１３に備え、指示部をＯＬＴ外部の主信号ネットワークの例えばプロキシ部１５等の演算処理可能な個所である。その他は第１の構成例と同様である。なお、本構成は、通信システム構成（１−１）〜（２８−２）のうちスイッチ部１３とＯＬＴ外部のｖに演算処理可能な箇所を備える任意の構成に適用できる。なお、ＳＷ１３とＯＬＴ外部の主信号ネットワーク中の演算処理可能な箇所の両方に実施部及び指示部が備わっていてもよい。
【０３０６】
（第２９の構成例）
本構成では、実施部をＯＬＴの例えば制御部１４や情報処理部やＣｏｎｔ版やＣＰＵ版等に備え、指示部を送受信部１１の例えば情報処理部やＣＰＵ版等の演算処理可能な箇所に備える。その他は第１の構成例と同様である。なお、本構成は、通信システム構成（１−１）〜（２８−２）のうちＯＬＴに制御部１４や情報処理部やＣｏｎｔ版やＣＰＵ版等と送受信部１１に演算処理可能な箇所とＳＷ１２とＳＷ１３の少なくとも一方を備える任意の構成に適用できる。なお、ＯＬＴの例えば制御部１４や情報処理部やＣｏｎｔ版やＣＰＵ版等とＴＲｘ１１の演算処理可能な箇所の両方に実施部及び指示部が備わっていてもよい。
【０３０７】
（第３０の構成例）
本構成では、ＯＬＴがスイッチ部１２を備え、実施部をＯＬＴの例えば制御部１４や情報処理部やＣｏｎｔ版やＣＰＵ版等に備え、指示部をスイッチ部１２の情報処理部やＣＰＵ等の演算処理可能な箇所に備える。その他は第１の構成例と同様である。なお、本構成は、通信システム構成（１−１）〜（２８−２）のうちＯＬＴの例えば制御部１４や情報処理部やＣｏｎｔ版やＣＰＵ版等とスイッチ部１２に演算処理可能な箇所を備える任意の構成に適用できる。なお、ＯＬＴの例えば制御部１４や情報処理部やＣｏｎｔ版やＣＰＵ版等とスイッチ部１２の演算処理可能な箇所の両方に実施部及び指示部が備わっていてもよい。
【０３０８】
（第３１の構成例）
本構成では、ＯＬＴがＯＳＵを備え、実施部をＯＬＴの例えば制御部１４や情報処理部やＣｏｎｔ版やＣＰＵ版等に備え、指示部をＯＳＵの例えば情報処理部やＣＰＵ等の演算処理可能な個所に備える。その他は第１の構成例と同様である。なお、本構成は、通信システム構成（１−１）〜（２８−２）のうちＯＬＴの例えば制御部１４や情報処理部やＣｏｎｔ版やＣＰＵ版等とＯＳＵに演算処理可能な個所とＯＬＴに演算処理可能な個所とＳＷ１２とＳＷ１３の少なくとも一方を備える任意の構成に適用できる。なお、ＯＬＴの例えば制御部１４や情報処理部やＣｏｎｔ版やＣＰＵ版等とＯＳＵ２１の演算処理可能な箇所の両方に実施部及び指示部が備わっていてもよい。
【０３０９】
（第３２の構成例）
本構成では、ＯＬＴがスイッチ部１３を備え、実施部をＯＬＴの例えば制御部１４や情報処理部やＣｏｎｔ版やＣＰＵ版等に備え、指示部をスイッチ部１３の情報処理部やＣＰＵ等の演算処理可能な箇所に備える。その他は第１の構成例と同様である。なお、本構成は、通信システム構成（１−１）〜（２８−２）のうちＯＬＴの例えば制御部１４や情報処理部やＣｏｎｔ版やＣＰＵ版等とスイッチ部１３に演算処理可能な箇所を備える任意の構成に適用できる。なお、ＯＬＴの例えば制御部１４や情報処理部やＣｏｎｔ版やＣＰＵ版等とＳＷ１３の演算処理可能な箇所の両方に実施部及び指示部が備わっていてもよい。
【０３１０】
（第３３の構成例）
本構成では、実施部をＯＬＴの例えば制御部１４や情報処理部やＣｏｎｔ版やＣＰＵ版等に備え、指示部をＯＬＴの例えば制御部１４や情報処理部やＣｏｎｔ版やＣＰＵ版等の演算処理可能な個所に備える。実施部が指示部よりも主信号近傍に配置されることが応答速度の観点から好ましいが、逆でもよい。その他は第１の構成例と同様である。なお、本構成は、通信システム構成（１−１）〜（２８−２）のうちＯＬＴの例えば制御部１４や情報処理部やＣｏｎｔ版やＣＰＵ版等とＯＬＴに演算処理可能な箇所とＳＷ１２とＳＷ１３の少なくとも一方を備える構成に適用できる。なお、ＯＬＴの例えば制御部１４や情報処理部やＣｏｎｔ版やＣＰＵ版等とＯＬＴの演算処理可能な箇所の両方に実施部及び指示部が備わっていてもよい。
【０３１１】
（第３４の構成例）
本構成では、実施部をＯＬＴの例えば制御部１４や情報処理部やＣｏｎｔ版やＣＰＵ版等に備え、指示部をＯＬＴ外部例えばセンタクラウドやローカルクラウドやエッジクラウドや単独の外部サーバ１６や情報処理部やオペレーションシステムやＮＥコントローラなどのＥＭＳ等の演算処理可能な箇所に備える。その他は第１の構成例と同様である。なお、本構成は、通信システム構成（１−１）〜（２８−２）のうちＯＬＴの例えば制御部１４や情報処理部やＣｏｎｔ版やＣＰＵ版等とＯＬＴ外部に演算処理可能な個所とＳＷ１２とＳＷ１３の少なくとも一方を含む構成に適用できる。なお、ＯＬＴの例えば制御部１４や情報処理部やＣｏｎｔ版やＣＰＵ版等とＯＬＴ外部の演算処理可能な箇所の両方に実施部及び指示部が備わっていてもよい。
【０３１２】
（第３５の構成例）
本構成では、実施部をＯＬＴの例えば制御部１４や情報処理部やＣｏｎｔ版やＣＰＵ版等の演算処理可能な箇所に備え、指示部をＯＬＴ外部の主信号ネットワーク中の例えばプロキシ部１５等の演算処理可能な箇所である。その他は第１の構成例と同様である。なお、本構成は通信システム構成（１−１）〜（２８−２）のうちＯＬＴの例えば制御部１４や情報処理部やＣｏｎｔ版やＣＰＵ版等とＯＬＴ外部の主信号ネットワーク中に演算処理可能な個所とＳＷ１２とＳＷ１３の少なくとも一方を備える任意の構成に適用できる。なお、ＯＬＴの例えば制御部１４や情報処理部やＣｏｎｔ版やＣＰＵ版等とＯＬＴ外部の主信号ネットワーク中の演算可能な箇所の両方に実施部及び指示部が備わっていてもよい。
【０３１３】
（第３６の構成例）
本構成では、実施部をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部を送受信部１１の情報処理部やＣＰＵ等の演算処理可能な箇所に備える。その他は第１の構成例と同様である。なお、本構成は、通信システム構成（１−１）〜（２８−２）のうちＯＬＴ外部の例えばセンタクラウドやローカルクラウドやエッジクラウドや単独の外部サーバ１６や情報処理部やオペレーションシステムやＮＥコントローラなどのＥＭＳ等送受信部１１の演算処理可能な個所とＳＷ１２とＳＷ１３の少なくとも一方を備える任意の構成に適用できる。なお、ＯＬＴ外部の例えばセンタクラウドやローカルクラウドやエッジクラウドや単独の外部サーバ１６や情報処理部やオペレーションシステムやＮＥコントローラなどのＥＭＳ等とＴＲｘ１１の演算処理可能な箇所の両方に実施部及び指示部が備わっていてもよい。
【０３１４】
（第３７の構成例）
本構成では、実施部をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部をスイッチ部１２の情報処理部やＣＰＵ等の演算処理可能な箇所に備える。その他は第１の構成例と同様である。なお、本構成は、通信システム構成（１−１）〜（２８−２）のうちＯＬＴ外部の例えばセンタクラウドやローカルクラウドやエッジクラウドや単独の外部サーバ１６や情報処理部やオペレーションシステムやＮＥコントローラなどのＥＭＳ等とスイッチ部１２に演算処理可能な箇所を備える任意の構成に適用できる。なお、ＯＬＴ外部の例えばセンタクラウドやローカルクラウドやエッジクラウドや単独の外部サーバ１６や情報処理部やオペレーションシステムやＮＥコントローラなどのＥＭＳ等とＳＷ１２の演算処理可能な箇所の両方に実施部及び指示部が備わっていてもよい。
【０３１５】
（第３８の構成例）
本構成では、ＯＬＴがＯＳＵを備え、実施部をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部をＯＳＵの例えば情報処理部やＣＰＵ等の演算処理可能な箇所に備える。その他は第１の構成例と同様である。なお、本構成は、通信システム構成（１−１）〜（２８−２）のうちＯＬＴ外部の例えばセンタクラウドやローカルクラウドやエッジクラウドや単独の外部サーバ１６や情報処理部やオペレーションシステムやＮＥコントローラなどのＥＭＳ等とＯＳＵに演算処理可能な箇所とＳＷ１２とＳＷ１３の少なくとも一方を備える任意の構成に適用できる。なお、ＯＬＴ外部の例えばセンタクラウドやローカルクラウドやエッジクラウドや単独の外部サーバ１６や情報処理部やオペレーションシステムやＮＥコントローラなどのＥＭＳ等とＯＳＵ２１の演算処理可能な箇所の両方に実施部及び指示部が備わっていてもよい。
【０３１６】
（第３９の構成例）
本構成では、ＯＬＴがスイッチ部１３を備え、実施部をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部をスイッチ部１３の例えば情報処理部やＣＰＵ等の演算処理可能な箇所である。その他は第１の構成例と同様である。なお、本構成は、通信システム構成（１−１）〜（２８−２）のうちＯＬＴ外部の例えばセンタクラウドやローカルクラウドやエッジクラウドや単独の外部サーバ１６や情報処理部やオペレーションシステムやＮＥコントローラなどのＥＭＳ等とスイッチ部１３に演算処理可能な箇所を備える任意の構成に適用できる。なお、ＯＬＴ外部の例えばセンタクラウドやローカルクラウドやエッジクラウドや単独の外部サーバ１６や情報処理部やオペレーションシステムやＮＥコントローラなどのＥＭＳ等とＳＷ１３の演算処理可能な箇所の両方に実施部及び指示部が備わっていてもよい。
【０３１７】
（第４０の構成例）
本構成では、実施部をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部をＯＬＴの例えば制御部１４や情報処理部やＣｏｎｔ版やＣＰＵ版等の演算処理可能な個所に備える。その他は第１の構成例と同様である。なお、本構成は、通信システム構成（１−１）〜（２８−２）のうちＯＬＴ外部の例えばセンタクラウドやローカルクラウドやエッジクラウドや単独の外部サーバ１６や情報処理部やオペレーションシステムやＮＥコントローラなどのＥＭＳ等とＯＬＴに演算処理可能な箇所とＳＷ１２とＳＷ１３の少なくとも一方を備える任意の構成に適用できる。なお、ＯＬＴ外部の例えばセンタクラウドやローカルクラウドやエッジクラウドや単独の外部サーバ１６や情報処理部やオペレーションシステムやＮＥコントローラなどのＥＭＳ等とＯＬＴの演算処理可能な箇所の両方に実施部及び指示部が備わっていてもよい。
【０３１８】
（第４１の構成例）
本構成では、実施部をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部をＯＬＴ外部の例えばセンタクラウドやローカルクラウドやエッジクラウドや単独の外部サーバ１６や情報処理部やオペレーションシステムやＮＥコントローラなどのＥＭＳ等の演算処理可能な箇所に備える。実施部が指示部よりもＯＬＴ近傍に配置されることが応答速度の観点から好ましいが、逆でもよく、同位置の別サーバ上でもよく、同一サーバ上の別ＶＭ上でもよい。その他は第１の構成例と同様である。なお、本構成は、通信システム構成（１−１）〜（２８−２）のうちＯＬＴ外部の例えばセンタクラウドやローカルクラウドやエッジクラウドや単独の外部サーバ１６や情報処理部やオペレーションシステムやＮＥコントローラなどのＥＭＳ等とＯＬＴ外部の例えばセンタクラウドやローカルクラウドやエッジクラウドや単独の外部サーバ１６や情報処理部やオペレーションシステムやＮＥコントローラなどのＥＭＳ等に演算処理可能な個所とＳＷ１２とＳＷ１３の少なくとも一方を備える任意の構成に適用できる。
【０３１９】
（第４２の構成例）
本構成では、実施部をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部をＯＬＴ外部の主信号ネットワーク中の例えばプロキシ部１５等の演算処理可能な箇所に備える。その他は第１の構成例と同様である。なお、本構成は通信システム構成（１−１）〜（２８−２）のうちＯＬＴ外部の例えばセンタクラウドやローカルクラウドやエッジクラウドや単独の外部サーバ１６や情報処理部やオペレーションシステムやＮＥコントローラなどのＥＭＳ等とＯＬＴ外部の主信号ネットワーク中に演算処理可能な箇所とＳＷ１２とＳＷ１３の少なくとも一方を備える任意の構成に適用できる。
【０３２０】
（第４３の構成例）
本構成では、実施部をＯＬＴ外部の主信号ネットワーク中の例えばプロキシ部１５等に備え、指示部を送受信部１１の例えば情報処理部やＣＰＵ等の演算処理可能な個所に備える。その他は第１の構成例と同様である。なお、本構成は、通信システム構成（１−１）〜（２８−２）のうちＯＬＴ外部の主信号ネットワーク中の例えばプロキシ部１５等と送受信部１１に演算処理可能な箇所とＳＷ１２とＳＷ１３の少なくとも一方を備える任意の構成に適用できる。なお、ＯＬＴ外部の主信号ネットワーク中の例えばプロキシ部１５等とＴＲｘ１１の演算処理可能な箇所の両方に実施部及び指示部が備わっていてもよい。
【０３２１】
（第４４の構成例）
本構成では、ＯＬＴがスイッチ部１２を備え、実施部をＯＬＴ外部の主信号ネットワーク中の例えばプロキシ部１５等に備え、指示部をＯＳＵのスイッチ部１２の例えば情報処理部やＣＰＵ等の演算処理可能な箇所に備える。なお、本構成は、通信システム構成（１−１）〜（２８−２）のうちＯＬＴ外部の主信号ネットワーク中の例えばプロキシ部１５等とスイッチ部１２に演算処理可能な個所を備える任意の構成に適用できる。なお、ＯＬＴ外部の主信号ネットワーク中の例えばプロキシ部１５等とＳＷ１２の演算処理可能な箇所の両方に実施部及び指示部が備わっていてもよい。
【０３２２】
（第４５の構成例）
本構成では、ＯＬＴがＯＳＵを備え、実施部をＯＬＴ外部の主信号ネットワーク中の例えばプロキシ部１５等に備え、指示部をＯＳＵの例えば情報処理部やＣＰＵ等の演算処理可能な箇所に備える。その他は第１の構成例と同様である。なお、本構成は、通信システム構成（１−１）〜（２８−２）のうちＯＬＴ外部の主信号ネットワーク中の例えばプロキシ部１５等とＯＳＵに演算処理可能な箇所とＳＷ１２とＳＷ１３の少なくとも一方を備える任意の構成に適用できる。なお、ＯＬＴ外部の主信号ネットワーク中の例えばプロキシ部１５等とＯＳＵ２１の演算処理可能な箇所の両方に実施部及び指示部が備わっていてもよい。
【０３２３】
（第４６の構成例）
本構成では、ＯＬＴがスイッチ部１３を備え、実施部をＯＬＴ外部の主信号ネットワーク中の例えばプロキシ部１５等に備え、指示部をスイッチ部１３の例えば情報処理部やＣＰＵ等の演算処理可能な箇所に備える。その他は第１の構成例と同様である。なお、本構成は、通信システム構成（１−１）〜（２８−２）のうちＯＬＴ外部の主信号ネットワーク中の例えばプロキシ部１５等とスイッチ部１３に演算処理可能な箇所を備える任意の構成に適用できる。なお、ＯＬＴ外部の主信号ネットワーク中の例えばプロキシ部１５等とＳＷ１３の演算処理可能な箇所の両方に実施部及び指示部が備わっていてもよい。
【０３２４】
（第４７の構成例）
本構成では、実施部をＯＬＴ外部の主信号ネットワーク中の例えばプロキシ部１５等に備え、指示部をＯＬＴの例えば制御部１４や情報処理部やＣｏｎｔ版やＣＰＵ版等の演算処理可能な箇所に備える。その他は第１の構成例と同様である。なお、本構成は、通信システム構成（１−１）〜（２８−２）のうちＯＬＴ外部の主信号ネットワーク中の例えばプロキシ部１５等とＯＬＴに演算処理可能な個所とＳＷ１２とＳＷ１３の少なくとも一方を備える構成に適用できる。なお、ＯＬＴ外部の主信号ネットワーク中の例えばプロキシ部１５等とＯＬＴの演算処理可能な箇所の両方に実施部及び指示部が備わっていてもよい。
【０３２５】
（第４８の構成例）
本構成では、実施部をＯＬＴ外部の主信号ネットワーク中の例えばプロキシ部１５等に備え、指示部をＯＬＴ外部の例えばセンタクラウドやローカルクラウドやエッジクラウドや単独の外部サーバ１６や情報処理部やオペレーションシステムやＮＥコントローラなどのＥＭＳ等の演算処理可能な箇所である。その他は第１の構成例と同様である。なお、本構成は、通信システム構成（１−１）〜（２８−２）のうちＯＬＴ外部の主信号ネットワーク中の例えばプロキシ部１５等とＯＬＴ外部に演算処理可能な個所とＳＷ１２とＳＷ１３の少なくとも一方を備える任意の構成に適用できる。なお、ＯＬＴ外部の主信号ネットワーク中の例えばプロキシ部１５等とＯＬＴ外部の演算処理可能な箇所の両方に実施部及び指示部が備わっていてもよい。
【０３２６】
（第４９の構成例）
本構成では、実施部をＯＬＴ外部の主信号ネットワーク中の例えばプロキシ部１５等に備え、指示部をＯＬＴ外部の主信号ネットワーク中の例えばプロキシ部１５等の演算処理可能な箇所に備える。実施部が指示部よりもＯＬＴ近傍に配置されることが応答速度の観点から好ましいが、逆でもよく、同位置の別装置上でもよく、同一装置上の別ＶＭ上でもよい。その他は第１の構成例と同様である。なお、本構成は通信システム構成（１−１）〜（２８−２）のうちＯＬＴ外部の主信号ネットワーク中の例えばプロキシ部１５等とＯＬＴ外部の主信号ネットワーク中に演算処理可能な箇所とＳＷ１２とＳＷ１３の少なくとも一方を備える任意の構成に適用できる。
【０３２７】
なお、第１の構成から第４９の構成において、指示部の設定又はアルゴリズムを変更するためのインタフェースを備え、指示部のソフトウェアを変更できるとしてもよい。
【０３２８】
また、第１の構成から第４９の構成において、指示部は装置の構成要素で、演算処理が可能な一か所の構成要素上に配置したが、演算処理が可能な複数の構成要素装置上、例えば複数の情報処理部での処理により実現してもよい。
【０３２９】
以上示した通り、本実施形態は、少なくとも一部の機能モジュールと入出力ＩＦを定義し、世代間で移植する機能を明確化して汎用性、移植性を確保することで過去の資産を活用し、機器ベンダ間で汎用の機能を明確化することでベンダ間で共用可能とすることで二重開発を回避し、開発コストや調達コストを低減する。さらに、拡張機能を提供するための入出力ＩＦを明確化して拡張性を担保することで独自機能の実現を容易化し、差異化サービスのタイムリーな提供を可能とする。
【０３３０】
以上示した本実施形態に係る構成は、以下の実施形態でも同様であり、適宜組み合わせてもよい。例えば、図１では、本システムが、実施部の構成がＴＲｘ１１及びスイッチ部１２、１３のみの場合を例示するが、ＴＲｘ１１及びスイッチ部１２、１３以外の箇所、それ以外の場所、ＰＯＮの終端する箇所や、制御部１４を実施部としてもよい。
【０３３１】
以上により、通常の汎用化、ソフトウェア化したスイッチを実施部として流用することで、汎用化、ソフトウェア化したスイッチの安価且つ柔軟かつ迅速な機能追加が可能なＯＬＴを実現できる。
【０３３２】
（実施形態１−２）
実施形態１−１ではＴＷＤＭ−ＰＯＮに用いられる構成を例示したが、ＴＤＭ−ＰＯＮに適用してもよい。ＴＤＭ−ＰＯＮでは、λ設定切替（ＤＷＡ）のようなＯＮＵの間ＯＮＵ−ＯＬＴのＰＯＮ区間の波長リソースを波長分割多重する機能を備えていなくてもよいことを除けば実施形態１−１と同様である。
【０３３３】
（実施形態１−３）
実施形態１−１ではＴＷＤＭ−ＰＯＮに用いられる構成を例示したが、ＷＤＭ−ＰＯＮに適用してもよい。ＷＤＭ−ＰＯＮでは、ＤＢＡのようなＯＮＵの間ＯＮＵ−ＯＬＴのＰＯＮ区間の帯域リソースを時分割多重する機能を備えていなくてもよいことを除けば実施形態１−１と同様である。
【０３３４】
（実施形態１−４）ＯＦＤＭ−ＰＯＮ、ＣＤＭ−ＰＯＮ、ＳＣＭ−ＰＯＮ、芯線多重を含めた組み合わせ
実施形態１−１ではＴＷＤＭ−ＰＯＮに用いられる構成を例示したが、波長と時間以外のリソースを共用するＰＯＮに適用してもよい。例えば、１波長の電気の周波数リソースを分割多重するＯＦＤＭ−ＰＯＮ、１波長の電気の周波数リソースを分割多重するＳＣＭ−ＰＯＮ、符号で分割多重するＣＤＭ−ＰＯＮに適用してもよいし、芯線多重を併用してもよい。ＴＷＤＭ−ＰＯＮの波長リソースを波長分割多重する機能を、それぞれの多重するリソースに分割多重するに要する機能に対応する機能に読み替えれば同様である。
【０３３５】
（実施形態２）
本実施形態では、ＴＷＤＭ−ＰＯＮに用いられる構成が、ＧＥＭカプセル化を行う。この場合、ＧＥＭフレームを生成するアダプタをスイッチに備え、スイッチとそれ以外の部分の間をＧＥＭフレームを導通するようにする。
【０３３６】
ＧＥＭカプセル化までスイッチに移管することで、それ以外の部分のプロトコルスタックからＬ２機能を除外し、スイッチとそれ以外の部分で、Ｌ２機能の重畳を回避することができる。
【０３３７】
なお、ＴＷＤＭ−ＰＯＮを例に挙げたが、実施形態１−２〜実施形態１−４のように、ＰＯＮ区間での識別するためのフレームを同様に扱えばそれ以外のＰＯＮであっても同様の効果が得られる。例えば、ＩＥＥＥの規格のＧＥ−ＰＯＮ、１０ＧＥ−ＰＯＮ等であれば、ＧＥＭフレームの代わりに、ＬＬＩＤを付与してＬＬＩＤの付与されたフレームをスイッチとそれ以外の部分の間を導通するようすればよい。
【０３３８】
（実施形態３）
本実施形態では、ＴＷＤＭ−ＰＯＮに用いられる制御情報が、スイッチを経由する。この場合、ブリッジ機能関連をスイッチに移管する代わりに、制御情報を保持するＰＬＯＡＭ、Ｅｍｂｅｄｄｅｄ  ＯＡＭ、ＯＭＣＩのいずれかを必要に応じてフレーム化してスイッチ経由で処理する。
【０３３９】
制御情報をスイッチ経由でやり取りすることで、スイッチ以外の処理が軽くなる効果がある。なお、本実施形態の移管に加えて、実施形態１及び実施形態２のブリッジ機能のスイッチへの移管を行ってもよい。
【０３４０】
なお、ＴＷＤＭ−ＰＯＮを例に挙げたが、制御情報を同様に扱いスイッチ経由で処理すれば、実施形態１−２〜実施形態１−４のように、それ以外のＰＯＮであっても同様の効果が得られる。
【産業上の利用可能性】
【０３４１】
本発明は情報通信産業に適用することができる。
【符号の説明】
【０３４２】
１１：送受信部
１２、１３：スイッチ部
１４：制御部
１５：プロキシ部
１６：外部サーバ
２１、２２、２７：機器無依存ＡＰＩ
２３、２４、２５：機器依存ＡＰＩ
２６：ＡＰＩ
【図１】
0006602218.tif 000002
【図２】
0006602218.tif 000003
【図３】
0006602218.tif 000004
【図４】
0006602218.tif 000005
【図５】
0006602218.tif 000006
【図６】
0006602218.tif 000007
【図７】
0006602218.tif 000008
【図８】
0006602218.tif 000009
【図９】
0006602218.tif 000010
【図１０】
0006602218.tif 000011
【図１１】
0006602218.tif 000012
【図１２】
0006602218.tif 000013
【図１３】
0006602218.tif 000014
【図１４】
0006602218.tif 000015
【図１５】
0006602218.tif 000016
【図１６】
0006602218.tif 000017
【図１７】
0006602218.tif 000018
【図１８】
0006602218.tif 000019
【図１９】
0006602218.tif 000020
【図２０】
0006602218.tif 000021
【図２１】
0006602218.tif 000022
【図２２】
0006602218.tif 000023
【図２３】
0006602218.tif 000024